(57)【特許請求の範囲】
【請求項１】
ネットワークノード（100）から無線端末（200）へデータを送信する方法であって、
第１の多数入力・多数出力（ＭＩＭＯ）送信時間間隔（ＴＴＩ）の期間に、第１及び第２のデータブロックをそれぞれ第１及び第２のＭＩＭＯレイヤで前記無線端末（200）へ送信するステップ（1899）と、
前記第１のＭＩＭＯ  ＴＴＩの期間に、第３のデータブロックを第３のＭＩＭＯレイヤで前記無線端末（200）へ送信するステップ（1899）と、
前記第１のＭＩＭＯ  ＴＴＩに対して、第１及び第２のＡＣＫ‐ＮＡＣＫ符号語を含むフィードバックを、前記無線端末（200）から受信するステップ（1901）であって、前記第１のＡＣＫ‐ＮＡＣＫ符号語が、前記第１のＭＩＭＯレイヤにマッピングされ、前記第２のＡＣＫ‐ＮＡＣＫ符号語が、前記第２及び第３のＭＩＭＯレイヤにマッピングされる、前記ステップと、
前記第１のＡＣＫ‐ＮＡＣＫ符号語がＡＣＫであり、且つ、前記第２のＡＣＫ‐ＮＡＣＫ符号語がＮＡＣＫであることに応じて、前記第１のＭＩＭＯレイヤについての間欠送信インジケータを、ＨＳ−ＳＣＣＨ下りリンク・シグナリングチャネルの変調及び送信ランク・フィールド内のビットパターンとして前記無線端末（200）へ送信するステップ（2121）と、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、第２のＭＩＭＯ  ＴＴＩの期間に、前記第２のデータブロックを前記第２のＭＩＭＯレイヤで前記無線端末（200）へ再送するステップ（2123）と、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、前記第２のＭＩＭＯ  ＴＴＩの期間に、前記第３のデータブロックを前記第３のＭＩＭＯレイヤで前記無線端末（200）へ再送するステップ（2123）と、
を含むことを特徴とする方法。
【請求項２】
前記第２のデータブロックを再送するステップは、下りリンク・トラフィックチャネルで前記第２のデータブロックを再送するステップを含む、
ことを特徴とする請求項１に記載の方法。
【請求項３】
前記下りリンク・トラトラフィックチャネルは、高速物理下りリンク共有チャネル（ＨＳ−ＰＤＳＣＨ）を含む、
ことを特徴とする請求項２に記載の方法。
【請求項４】
前記間欠送信インジケータを送信するステップは、前記ＨＳ−ＳＣＣＨ下りリンク・シグナリングチャネルの前記変調及び送信ランク・フィールドで、１１１１０のビットパターン及び１１１１１のビットパターンのうちの１つを送信するステップを含む、
ことを特徴とする請求項１に記載の方法。
【請求項５】
前記第１のＭＩＭＯ  ＴＴＩの期間に、第４のデータブロックを第４のＭＩＭＯレイヤで前記無線端末（200）へ送信するステップ（1899）であって、前記第１のＡＣＫ‐ＮＡＣＫ符号語が、前記第１及び第４のＭＩＭＯレイヤにマッピングされる、前記ステップを更に含み、
前記第２及び第３のデータブロックを再送するステップは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１及び第４のデータブロックを再送することなく前記第２及び第３のデータブロックを再送するステップを含む、
ことを特徴とする請求項１から４のいずれか１項に記載の方法。
【請求項６】
前記第１及び第２のＡＣＫ‐ＮＡＣＫ符号語が否定応答（ＮＡＣＫ）であることに応じて、前記第２のＭＩＭＯ  ＴＴＩの期間に、前記第１及び第２のデータブロックをそれぞれ前記第１及び第２のＭＩＭＯレイヤで前記無線端末（200）へ再送するステップ（1911）、
を更に含むことを特徴とする請求項１から５のいずれか１項に記載の方法。
【請求項７】
前記第２のデータブロックを再送するステップは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１のデータブロックを再送することなく前記第２のデータブロックを再送するステップを含む、
ことを特徴とする請求項１から４のいずれか１項に記載の方法。
【請求項８】
無線アクセスネットワーク（60）の基地局（100）であって、
無線端末との、無線チャネル（300）を介した通信を提供するよう構成された送受信機（109）と、
前記送受信機（109）と接続されたプロセッサ（101）と、を備え、
前記プロセッサは、
第１の多数入力・多数出力（ＭＩＭＯ）送信時間間隔（ＴＴＩ）の期間に、前記送受信機を介して、第１及び第２のデータブロックをそれぞれ第１及び第２のＭＩＭＯレイヤで前記無線端末（200）へ送信し、
前記第１のＭＩＭＯ  ＴＴＩの期間に、第３のデータブロックを第３のＭＩＭＯレイヤで前記無線端末（200）へ送信し、
前記第１のＭＩＭＯ  ＴＴＩに対して、第１及び第２のＡＣＫ‐ＮＡＣＫ符号語を含むフィードバックを、前記送受信機を介して前記無線端末（200）から受信し、ここで、前記第１のＡＣＫ‐ＮＡＣＫ符号語が、前記第１のＭＩＭＯレイヤにマッピングされ、前記第２のＡＣＫ‐ＮＡＣＫ符号語が、前記第２及び第３のＭＩＭＯレイヤにマッピングされており、
前記第１のＡＣＫ‐ＮＡＣＫ符号語がＡＣＫであり、且つ、前記第２のＡＣＫ‐ＮＡＣＫ符号語がＮＡＣＫであることに応じて、前記第１のＭＩＭＯレイヤについての間欠送信インジケータを、ＨＳ−ＳＣＣＨ下りリンク・シグナリングチャネルの変調及び送信ランク・フィールド内のビットパターンとして前記送受信機を介して前記無線端末（200）へ送信し、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、第２のＭＩＭＯ  ＴＴＩの期間に、前記第２のデータブロックを、前記送受信機を介して前記第２のＭＩＭＯレイヤで前記無線端末（200）へ再送し、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、前記第２のＭＩＭＯ  ＴＴＩの期間に、前記第３のデータブロックを前記第３のＭＩＭＯレイヤで前記無線端末（200）へ再送する、
よう構成されることを特徴とする基地局。
【請求項９】
前記プロセッサは、下りリンク・トラフィックチャネルで前記第２のデータブロックを再送することによって、前記第２のデータブロックを再送するよう構成される、
ことを特徴とする請求項８に記載の基地局。
【請求項１０】
前記下りリンク・トラトラフィックチャネルは、高速物理下りリンク共有チャネル（ＨＳ−ＰＤＳＣＨ）を含む、
ことを特徴とする請求項９に記載の基地局。
【請求項１１】
前記プロセッサは、前記ＨＳ−ＳＣＣＨ下りリンク・シグナリングチャネルの前記変調及び送信ランク・フィールドで、１１１１０のビットパターン及び１１１１１のビットパターンのうちの１つを送信することによって、間欠送信インジケータを送信するよう構成される、
ことを特徴とする請求項８に記載の基地局。
【請求項１２】
前記プロセッサは、更に、前記第１のＭＩＭＯ  ＴＴＩの期間に、第４のデータブロックを第４のＭＩＭＯレイヤで前記無線端末（200）へ送信するよう構成され、前記第１のＡＣＫ‐ＮＡＣＫ符号語が、前記第１及び第４のＭＩＭＯレイヤにマッピングされ、
前記プロセッサは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１及び第４のデータブロックを再送することなく前記第２及び第３のデータブロックを再送することによって、前記第２及び第３のデータブロックを再送するよう構成される、
ことを特徴とする請求項８から１１のいずれか１項に記載の基地局。
【請求項１３】
前記プロセッサは、更に、前記第１及び第２のＡＣＫ‐ＮＡＣＫ符号語が否定応答（ＮＡＣＫ）であることに応じて、前記第２のＭＩＭＯ  ＴＴＩの期間に、前記第１及び第２のデータブロックをそれぞれ前記第１及び第２のＭＩＭＯレイヤで前記無線端末（200）へ再送するよう構成される、
ことを特徴とする請求項８から１２のいずれか１項に記載の基地局。
【請求項１４】
前記プロセッサは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１のデータブロックを再送することなく前記第２のデータブロックを再送することによって、前記第２のデータブロックを再送するよう構成される、
ことを特徴とする請求項８から１１のいずれか１項に記載の基地局。
【発明の詳細な説明】
【技術分野】
【０００１】
本開示は、無線通信に関し、より具体的には、多入力多出力（ＭＩＭＯ）無線通信、並びに関連するネットワークノード及び無線端末に関する。
【背景技術】
【０００２】
通常のセルラ無線システムにおいて、無線端末（ユーザ装置ユニットノード、ＵＥ及び／又は移動局とも称する）は、無線アクセスネットワーク（ＲＡＮ）を介して１つ以上のコアネットワークと通信する。ＲＡＮは、セルエリアに分割される地理的エリアをカバーし、各セルエリアは、無線基地局（ＲＡＮノード、「ＮｏｄｅＢ」及び／又はｅｎｈａｎｃｅｄ  ＮｏｄｅＢ「ｅＮｏｄｅＢ」とも称する）によりサービスを提供される。セルエリアは、基地局サイトに存在する基地局装置により無線カバレッジが提供される地理的エリアである。基地局は、当該基地局の範囲内に存在するＵＥと無線通信チャネルを介して通信する。
【０００３】
更に、基地局に対するセルエリアは、基地局を包囲する複数のセクタに分割されてもよい。例えば基地局は、基地局を包囲する３つの１２０度セクタにサービスを提供し、基地局は、セクタごとに指向性送受信機及びセクタアンテナアレイを提供する。換言すると、基地局は、基地局を包囲する１２０度基地局セクタにサービスをそれぞれ提供する３つの指向性セクタアンテナアレイを備えてもよい。
【０００４】
マルチアンテナ技術は、例えばTelatarにより「Capacity Of Multi-Antenna Gaussian Channels」（European Transactions On Telecommunications, Vol. 10, pp. 585-595, Nov. 1999）で説明されるように、無線通信システムの容量、データレート及び／又は信頼性を大幅に向上できる。基地局セクタに対する送信機及び受信機の両方が複数のアンテナ（例えば、セクタアンテナアレイ）を備えて基地局セクタに対する多入力多出力（ＭＩＭＯ）通信チャネルを提供する場合、性能は改善されうる。そのようなシステム及び／又は関連する技術を一般にＭＩＭＯと称する。ＬＴＥ規格は、現在、ＭＩＭＯサポートの強化及びＭＩＭＯアンテナの配置に伴い進化している。空間多重モードは、良好なチャネル状態においてデータレートを相対的に高速化するために提供され、送信ダイバーシチモードは、あまり良好でないチャネル状態において信頼性を相対的に高くする（遅いデータレートで）ために提供される。
【０００５】
セクタアンテナアレイからＭＩＭＯチャネルを介してセクタ内の無線端末へ送信する基地局からの下りリンクにおいて、例えば空間多重（又はＳＭ）により、当該セクタ用の基地局セクタアンテナアレイから同一周波数で複数のシンボルストリームを同時送信できる。換言すると、データレートを増加するために、複数のシンボルストリームが、当該セクタ用の基地局セクタアンテナアレイから同一の下りリンク時間／周波数リソースエレメント（ＴＦＲＥ：time/frequency resource element）で無線端末へ送信される。同一のセクタアンテナアレイから同一の無線端末へ送信する、同一の基地局セクタからの下りリンクにおいて、（例えば、時空間符号を使用する）送信ダイバーシチにより、基地局セクタアンテナアレイの異なるアンテナから同一周波数で同一のシンボルストリームを同時送信できる。換言すると、送信ダイバーシチ利得により無線端末における受信の信頼性を向上させるために、同一のシンボルストリームが、基地局セクタアンテナアレイの異なるアンテナから同一の時間／周波数リソースエレメント（ＴＦＲＥ）で無線端末へ送信される。
【０００６】
第３世代パートナーシッププロジェクト（３ＧＰＰ）の標準化に含まれる高速下りリンクパケットアクセス（ＨＳＤＰＡ）に対して、４レイヤＭＩＭＯ送信方式が提案されている。これにより、４ブランチＭＩＭＯ送信を使用する場合、最大で４つのチャネル符号化されたトランスポートデータブロック（トランスポートデータブロック符号語と称する場合もある）が同一のＴＦＲＥを使用して送信される。同一のＴＦＲＥの期間に送信される各トランスポートデータブロックに対するＡＣＫ／ＮＡＣＫシグナリング及び／又はチャネル符号化は、無線端末のフィードバック（例えば、ＡＣＫ／ＮＡＣＫ及び／又はＣＱＩ、即ちチャネル品質情報として）を必要とする。このため、４ブランチＭＩＭＯ送信を使用する場合、４つのトランスポートデータブロックに対するＡＣＫ／ＮＡＣＫ及び／又はチャネル符号化を定めるためのフィードバックが必要とされる。したがって、例えば異なるＭＩＭＯレイヤが、無線端末において同一のＴＦＲＥの期間に異なる品質、信号強度、誤り率等で受信される場合があるため、４ブランチＭＩＭＯ送信を使用する場合のフィードバック・シグナリングが望ましくない程度に多くなりうる。
【発明の概要】
【０００７】
したがって、上述の欠点の少なくともいくつかを解決すること、及び／又は無線通信システムの性能を改善することを目的とする。本発明概念のいくつかの実施形態は、例えば、遅延を増大させることなく、改善されたＨＡＲＱ再送利得を提供する。
【０００８】
本発明概念のいくつかの実施形態によれば、ネットワークノードから無線端末へデータを送信する方法は、第１のＭＩＭＯ送信時間間隔（ＴＴＩ）の期間に、第１及び第２のデータブロックをそれぞれ第１及び第２のＭＩＭＯレイヤで無線端末へ送信するステップを含む。第１のＭＩＭＯ  ＴＴＩに対して、フィードバックが無線端末から受信され、当該フィードバックは、第１及び第２のＭＩＭＯレイヤにそれぞれマッピングされる第１及び第２のＡＣＫ−ＮＡＣＫ符号語を含む。ネットワークノードが無線端末に対して送信バッファ制限されていることに応じて、及び第１のＡＣＫ‐ＮＡＣＫ符号語がＡＣＫであり、且つ、第２のＡＣＫ‐ＮＡＣＫ符号語がＮＡＣＫであることに応じて、第１のＭＩＭＯレイヤについての間欠送信インジケータが無線端末へ送信され、当該間欠送信インジケータの送信後に、第２のＭＩＭＯ  ＴＴＩの期間に、第２のデータブロックが第２のＭＩＭＯレイヤで無線端末へ再送される。
【０００９】
基地局が無線端末に対して送信バッファ制限されている際に間欠送信インジケータを使用することによって、基地局及び／又は無線端末において、非肯定応答データ（non-acknowledged data）の再送をサポートしながら通信及び／又は処理リソースを節約できる。
【００１０】
間欠送信インジケータを送信するステップは、下りリンク・シグナリングチャネルで間欠送信インジケータを送信するステップを含んでもよいし、第２のデータブロックを再送するステップは、下りリンク・トラフィックチャネルで第２のデータブロックを再送するステップを含んでもよい。例えば、下りリンク・シグナリングチャネルは、高速共有制御チャネル（ＨＳ−ＳＣＣＨ）であってもよいし、下りリンク・トラトラフィックチャネルは、高速物理下りリンク共有チャネル（ＨＳ−ＰＤＳＣＨ）であってもよい。
【００１１】
いくつかの実施形態によれば、間欠送信インジケータは、第１のＭＩＭＯレイヤについてのＨＳ−ＳＣＣＨ下りリンク・シグナリングチャネルのトランスポートブロックサイズ・フィールド内のビットパターン（１１１１１１のビットパターン等）として送信されてもよい。１１１１１１のビットパターンはトランスポートブロックサイズ（ＴＢＳ）の符号として使用されておらず、また、間欠送信の対象となるＭＩＭＯレイヤ及び／又はＭＩＭＯプロセスについてトランスポートブロックサイズは伝達される必要がないため、下りリンク・シグナリングに使用される通信リソースを増加させることなく間欠送信インジケータを無線端末へ送信できる。いくつかの他の実施形態によれば、間欠送信インジケータは、ＨＳ−ＳＣＣＨ下りリンク・シグナリングチャネルの変調及び送信ランク・フィールド内のビットパターン（１１１１０のビットパターン又は１１１１１のビットパターン等）として送信されてもよい。
【００１２】
また、第２のＡＣＫ‐ＮＡＣＫ符号語が、第２及び第３のＭＩＭＯレイヤにマッピングされた状態で、第１のＭＩＭＯ  ＴＴＩの期間に、第３のデータブロックが第３のＭＩＭＯレイヤで無線端末へ送信されてもよい。ネットワークノードが無線端末に対して送信バッファ制限されていることに応じて、及び、第１のＡＣＫ‐ＮＡＣＫ符号語がＡＣＫであり、且つ、第２のＡＣＫ‐ＮＡＣＫ符号語がＮＡＣＫであることに応じて、間欠送信インジケータの送信後に、第２のＭＩＭＯ  ＴＴＩの期間に、第３のデータブロックが第３のＭＩＭＯレイヤで無線端末へ再送されてもよい。更に、第１のＡＣＫ‐ＮＡＣＫ符号語が、第１及び第４のＭＩＭＯレイヤにマッピングされた状態で、第１のＭＩＭＯ  ＴＴＩの期間に、第４のデータブロックが第４のＭＩＭＯレイヤで無線端末へ送信されてもよい。更に、第２及び第３のデータブロックの再送は、第１のＭＩＭＯ  ＴＴＩのＭＩＭＯ送信ランクを第２のＭＩＭＯ  ＴＴＩに対して維持しながら、第２のＭＩＭＯ  ＴＴＩの期間に、第１及び第４のデータブロックを再送することなく第２及び第３のデータブロックを再送することを含んでもよい。
【００１３】
第１及び第２のＡＣＫ‐ＮＡＣＫ符号語が否定応答（ＮＡＣＫ）であることに応じて、第２のＭＩＭＯ  ＴＴＩの期間に、第１及び第２のデータブロックがそれぞれ第１及び第２のＭＩＭＯレイヤで無線端末へ送信されてもよい。
【００１４】
第２のデータブロックは、第１のＭＩＭＯ  ＴＴＩのＭＩＭＯ送信ランクを第２のＭＩＭＯ  ＴＴＩに対して維持しながら、第２のＭＩＭＯ  ＴＴＩの期間に、第１のデータブロックを再送することなく再送されてもよい。
【００１５】
本発明概念のいくつかの他の実施形態によれば、無線アクセスネットワークの基地局は、無線端末との、無線チャネルを介した通信を提供するよう構成された送受信機と、送受信機と接続されたプロセッサと、を備える。プロセッサは、第１のＭＩＭＯ送信時間間隔（ＴＴＩ）の期間に、送受信機を介して、第１及び第２のデータブロックをそれぞれ第１及び第２のＭＩＭＯレイヤで無線端末へ送信し、第１のＭＩＭＯ  ＴＴＩに対して、第１及び第２のＭＩＭＯレイヤにそれぞれマッピングされる第１及び第２のＡＣＫ‐ＮＡＣＫ符号語を含むフィードバックを、送受信機を介して無線端末から受信するよう構成される。プロセッサは、更に、ネットワークノードが無線端末に対して送信バッファ制限されていることに応じて、及び、第１のＡＣＫ‐ＮＡＣＫ符号語がＡＣＫであり、且つ、第２のＡＣＫ‐ＮＡＣＫ符号語がＮＡＣＫであることに応じて、第１のＭＩＭＯレイヤについての間欠送信インジケータを、送受信機を介して無線端末へ送信し、ネットワークノードが無線端末に対して送信バッファ制限されていることに応じて、及び、第１のＡＣＫ‐ＮＡＣＫ符号語がＡＣＫであり、且つ、第２のＡＣＫ‐ＮＡＣＫ符号語がＮＡＣＫであることに応じて、間欠送信インジケータの送信後に、第２のＭＩＭＯ  ＴＴＩの期間に、第２のデータブロックを、送受信機を介して第２のＭＩＭＯレイヤで無線端末へ再送するよう構成される。
【００１６】
プロセッサは、更に、下りリンク・シグナリングチャネルで間欠送信インジケータを送信し、下りリンク・トラフィックチャネルで第２のデータブロックを再送するよう構成されてもよい。例えば、下りリンク・シグナリングチャネルは、高速共有制御チャネル（ＨＳ−ＳＣＣＨ）であってもよいし、下りリンク・トラトラフィックチャネルは、高速物理下りリンク共有チャネル（ＨＳ−ＰＤＳＣＨ）であってもよい。
【００１７】
いくつかの実施形態によれば、間欠送信インジケータは、第１のＭＩＭＯレイヤについてのＨＳ−ＳＣＣＨ下りリンク・シグナリングチャネルのトランスポートブロックサイズ・フィールド内のビットパターン（１１１１１１のビットパターン等）として送信されてもよい。
【００１８】
本発明概念の更にの他の実施形態によれば、ネットワークノードから無線端末へデータを送信する方法は、第１のＭＩＭＯ送信時間間隔（ＴＴＩ）の期間に、第１及び第２のデータブロックをそれぞれ第１及び第２のＭＩＭＯレイヤで無線端末へ送信するステップと、第１のＭＩＭＯ  ＴＴＩに対して、第１及び第２のＭＩＭＯレイヤにそれぞれマッピングされる第１及び第２のＡＣＫ‐ＮＡＣＫ符号語を含むフィードバックを、無線端末から受信するステップと、を含む。ネットワークノードが無線端末に対して送信バッファ制限されていることに応じて、第２のＭＩＭＯ  ＴＴＩの期間に、第１及び第２のＡＣＫ‐ＮＡＣＫ符号語のうちの一方が肯定応答（ＡＣＫ）であり、且つ、第１及び第２のＡＣＫ‐ＮＡＣＫ符号語のうちの他方が否定応答（ＮＡＣＫ）である場合に、第１及び第２のデータブロックがそれぞれ第１及び第２のＭＩＭＯレイヤで無線端末へ送信される。
【００１９】
第２のＡＣＫ‐ＮＡＣＫ符号語が、第２及び第３のＭＩＭＯレイヤにマッピングされた状態で、第１のＭＩＭＯ  ＴＴＩの期間に、第３のデータブロックが第３のＭＩＭＯレイヤで無線端末へ送信されてもよい。ネットワークノードが無線端末に対して送信バッファ制限されていることに応じて、第２のＭＩＭＯ  ＴＴＩの期間に、第１及び第２のＡＣＫ‐ＮＡＣＫ符号語のうちの一方が肯定応答（ＡＣＫ）であり、且つ、第１及び第２のＡＣＫ‐ＮＡＣＫ符号語のうちの他方が否定応答（ＮＡＣＫ）である場合に、第３のデータブロックが第３のＭＩＭＯレイヤで無線端末へ再送されてもよい。
【００２０】
また、第１のＡＣＫ‐ＮＡＣＫ符号語が、第１及び第４のＭＩＭＯレイヤにマッピングされた状態で、第１のＭＩＭＯ  ＴＴＩの期間に、第４のデータブロックが第４のＭＩＭＯレイヤで無線端末へ送信されてもよい。ネットワークノードが無線端末に対して送信バッファ制限されていることに応じて、第２のＭＩＭＯ  ＴＴＩの期間に、第１及び第２のＡＣＫ‐ＮＡＣＫ符号語のうちの一方が肯定応答（ＡＣＫ）であり、且つ、第１及び第２のＡＣＫ‐ＮＡＣＫ符号語のうちの他方が否定応答（ＮＡＣＫ）である場合に、第４のデータブロックが第４のＭＩＭＯレイヤで無線端末へ再送されてもよい。
【００２１】
第１及び第２のＡＣＫ‐ＮＡＣＫ符号語が否定応答（ＮＡＣＫ）であることに応じて、第２のＭＩＭＯ  ＴＴＩの期間に、第１及び第２のデータブロックがそれぞれ第１及び第２のＭＩＭＯレイヤで無線端末へ送信されてもよい。
【００２２】
本発明概念の更に他の実施形態によれば、無線アクセスネットワークの基地局は、無線端末との、無線チャネルを介した通信を提供するよう構成された送受信機と、送受信機と接続されたプロセッサと、を備える。より具体的には、プロセッサは、第１のＭＩＭＯ送信時間間隔（ＴＴＩ）の期間に、送受信機を介して、第１及び第２のデータブロックをそれぞれ第１及び第２のＭＩＭＯレイヤで無線端末へ送信し、第１のＭＩＭＯ  ＴＴＩに対して、第１及び第２のＭＩＭＯレイヤにそれぞれマッピングされる第１及び第２のＡＣＫ‐ＮＡＣＫ符号語を含むフィードバックを、送受信機を介して無線端末から受信するよう構成される。
プロセッサは、更に、ネットワークノードが無線端末に対して送信バッファ制限されていることに応じて、第２のＭＩＭＯ  ＴＴＩの期間に、第１及び第２のＡＣＫ‐ＮＡＣＫ符号語のうちの一方が肯定応答（ＡＣＫ）であり、且つ、第１及び第２のＡＣＫ‐ＮＡＣＫ符号語のうちの他方が否定応答（ＮＡＣＫ）である場合に、送受信機を介して、第１及び第２のデータブロックをそれぞれ第１及び第２のＭＩＭＯレイヤで無線端末へ再送するよう構成される。
【図面の簡単な説明】
【００２３】
本開示を更に理解するために含まれ、本出願の一部に組み込まれ、且つ、本出願の一部を構成する添付の図面は、本発明概念のある特定の非限定的な実施形態を示す。
【００２４】
【図１】図１は、いくつかの実施形態に従って構成される通信システムを示すブロック図である。
【００２５】
【図２】図２は、図１のいくつかの実施形態に係る基地局及び無線端末を示すブロック図である。
【００２６】
【図３Ａ】図３Ａは、ＭＩＭＯ通信システムについてのメッセージシーケンスチャートを示す図である。
【００２７】
【図３Ｂ】図３Ｂは、図３Ａのフィードバックチャネル報告のフォーマットを示す図である。
【００２８】
【図４】図４は、図２のいくつかの実施形態に係る基地局プロセッサの要素／機能を示すブロック図である。
【００２９】
【図５】図５は、図２のいくつかの実施形態に係る無線端末プロセッサの要素／機能を示すブロック図である。
【００３０】
【図６】図６は、無線端末（ＵＥ）におけるメディアアクセス制御（ＭＡＣ）エンティティを概略的に示す図である。
【００３１】
【図７Ａ】、
【図７Ｂ】図７Ａ及び図７Ｂは、ランク／レイヤ３のＭＩＭＯ送信及びランク／レイヤ４のＭＩＭＯ送信の場合の複数のＭＩＭＯデータストリーム間でＨＡＲＱプロセスを共有する組み合わせを示すテーブルである。
【００３２】
【図８Ａ】、
【図８Ｂ】図８Ａ及び図８Ｂは、いくつかの実施形態に係る基地局及び無線端末の動作を示すフローチャートである。
【００３３】
【図９】図９は、いくつかの実施形態に係る基地局の動作を示すフローチャートである。
【００３４】
【図１０】、
【図１１】、
【図１２】、
【図１３】図１０、図１１、図１２及び図１３は、いくつかの実施形態に係るＭＩＭＯランクの選択を示すテーブルである。
【００３５】
【図１４】図１４は、いくつかの他の実施形態に係る、ランク１、ランク２、ランク３及びランク４のＭＩＭＯ送信／受信の場合の、２つのＨＡＲＱプロセスのＭＩＭＯデータレイヤ／ストリームへの割り当てを示すテーブルである。
【００３６】
【図１５】、
【図１６】、
【図１７】、
【図１８】図１５、図１６、図１７及び図１８は、いくつかの実施形態に係るＭＩＭＯランクの選択を示すテーブルである。
【００３７】
【図１９】図１９は、本発明概念のいくつかの実施形態に係る再送の動作を示すフローチャートである。
【００３８】
【図２０Ａ】、
【図２０Ｂ】、
【図２０Ｃ】図２０Ａ、図２０Ｂ及び図２０Ｃは、図１９の実施形態に係る異なるランクの場合の再送を示すテーブルである。
【００３９】
【図２１】図２１は、本発明概念のいくつかの他の実施形態に係る再送の動作を示すフローチャートである。
【００４０】
【図２２Ａ】、
【図２２Ｂ】、
【図２２Ｃ】図２２Ａ、図２２Ｂ及び図２２Ｃは、図２１の実施形態に係る異なるランクの場合の再送を示すテーブルである。
【００４１】
【図２３Ａ】、
【図２３Ｂ】、
【図２３Ｃ】、
【図２３Ｄ】図２３Ａ、図２３Ｂ、図２３Ｃ及び図２３Ｄは、いくつかの実施形態に係る下りリンク・シグナリング構成を示すブロック図である。
【００４２】
【図２４】、
【図２５】図２４及び図２５は、いくつかの実施形態に係る変調及びランク・ビットパターンを示すテーブルである。
【発明を実施するための形態】
【００４３】
発明概念の実施形態を示す添付の図面を参照して、本発明概念を以下で更に詳細に説明する。しかし、本発明概念は多くの異なる形態で実施されてもよく、本明細書中に記載される実施形態に限定されると解釈されるべきではない。むしろ、これらの実施形態は、本開示が徹底的なものになり、本発明概念の範囲を当業者に十分に伝えるように提供される。なお、これらの実施形態は相互に排他的ではない。１つの実施形態からの構成要素は、別の実施形態において存在し／使用されることが暗黙のうちに了解される。
【００４４】
例示及び説明のみを目的として、本明細書では、無線通信チャネルを介して無線端末（ＵＥとも称する）と通信するＲＡＮにおける動作において、本発明概念の上記の実施形態及び他の実施形態を説明する。しかし、本発明概念はそのような実施形態に限定されず、どんな種類の通信ネットワークにおいて広く実施されてもよいことが理解されるだろう。本明細書中で使用するように、無線端末（ＵＥとも称する）は、通信ネットワークからデータを受信するどのようなデバイスも含むことができ、携帯電話（「セルラ」電話）、ラップトップ／ポータブルコンピュータ、ポケットコンピュータ、ハンドヘルドコンピュータ及び／又はデスクトップコンピュータを含んでもよいが、それらに限定されない。
【００４５】
ＲＡＮのいくつかの実施形態では、複数の基地局が、（例えば、陸上又は無線チャネルにより）無線ネットワーク制御装置（ＲＮＣ）に接続可能である。基地局制御装置（ＢＳＣ）と称する場合もある無線ネットワーク制御装置は、それに接続された複数の基地局の種々の動作を監視及び調整する。無線ネットワーク制御装置は、通常、１つ以上のコアネットワークに接続される。
【００４６】
ユニバーサル移動体通信システム（ＵＭＴＳ）は、汎ヨーロッパデジタル移動体通信システム（ＧＳＭ（登録商標））から発展した第３世代移動体通信システムであり、広帯域符号分割多元接続（ＷＣＤＭＡ（登録商標））技術に基づく改善された移動通信サービスを提供することが意図されている。ＵＭＴＳ地上無線アクセスネットワークの略語であるＵＴＲＡＮは、ＵＭＴＳ無線アクセスネットワークを構成するＮｏｄｅＢ及び無線ネットワーク制御装置に対する総称である。したがって、ＵＴＲＡＮは、基本的にはＵＥに対して広帯域符号分割多元接続を使用する無線アクセスネットワークである。
【００４７】
第３世代パートナーシッププロジェクト（３ＧＰＰ）は、ＵＴＲＡＮ及びＧＳＭベースの無線アクセスネットワーク技術を更に発展させようとしている。この点に関して、発展型ユニバーサル地上無線アクセスネットワーク（Ｅ−ＵＴＲＡＮ）の仕様が３ＧＰＰ内で進められている。発展型ユニバーサル地上無線アクセスネットワーク（Ｅ−ＵＴＲＡＮ）は、ロング・ターム・エボリューション（ＬＴＥ：Long Term Evolution）及びシステム・アーキテクチャ・エボリューション（ＳＡＥ：System Architecture Evolution）を含む。
【００４８】
なお、本発明概念の実施形態を説明するために、３ＧＰＰ（第３世代パートナーシッププロジェクト）ＬＴＥ（ロング・ターム・エボリューション）からの用語を本開示中で使用するが、これは、本発明概念の範囲をそれらのシステムのみに限定するものであると理解されるべきではない。本明細書において開示される本発明概念の実施形態を利用することは、ＷＣＤＭＡ（広帯域符号分割多元接続）、ＷｉＭａＸ（Worldwide Interoperability for Microwave Access）、ＵＭＢ（ウルトラモバイルブロードバンド）、ＨＳＤＰＡ（高速下りリンクパケットアクセス）、ＧＳＭ（汎ヨーロッパデジタル移動体通信システム）等を含む他の無線システムに対しても有益である。
【００４９】
また、（ｅＮｏｄｅＢ又はＥｖｏｌｖｅｄ  Ｎｏｄｅ  Ｂとも称する）基地局及び（ＵＥ又はユーザ装置とも称する）無線端末等の用語は、限定的ではないと考えられるべきであり、２つの間のある特定の階層関係を示すものではない。一般に、基地局（例えば、「ｅＮｏｄｅＢ」）及び無線端末（例えば、「ＵＥ」）は、無線チャネルを介して互いに通信するそれぞれ異なる通信デバイスの例であると考えられる。本明細書中で説明する実施形態は、ｅＮｏｄｅＢからＵＥへの下りリンクにおける無線送信を中心とするが、本発明概念の実施形態は、例えば上りリンクにおいて適用されてもよい。
【００５０】
図１は、本発明概念のいくつかの実施形態に従って動作するように構成される通信システムを示すブロック図である。ＬＴＥ（ロング・ターム・エボリューション）ＲＡＮであってもよいＲＡＮ６０の例を示す。無線基地局（例えば、ｅＮｏｄｅＢ）１００は、１つ以上のコアネットワーク７０に直接接続されてもよいし、無線基地局１００は、１つ以上の無線ネットワーク制御装置（ＲＮＣ）を介してコアネットワーク７０に結合されてもよいし、又は、その両方であってもよい。いくつかの実施形態では、無線ネットワーク制御装置の機能は無線基地局１００により実行される。無線基地局１００は、それぞれの通信サービスセル（カバレッジエリアとも称する）内に存在する無線端末（ユーザ装置ノード又はＵＥとも称する）２００と、無線チャネル３００を介して通信する。当業者には周知であるように、無線基地局１００は、Ｘ２インタフェースを介して互いに通信し、また、Ｓ１インタフェースを介してコアネットワーク７０と通信する。
【００５１】
図２は、本発明概念のいくつかの実施形態に係る、無線チャネル３００を介して通信している図１の基地局１００及び無線端末２００を示すブロック図である。同図に示すように、基地局１００は、プロセッサ１０１と（複数のアンテナを含む）アンテナアレイ１１７の間に結合された送受信機１０９と、プロセッサ１０１に結合されたメモリ１１８とを含む。更に、無線端末２００は、アンテナアレイ２１７とプロセッサ２０１との間に結合された送受信機２０９を含み、ユーザインタフェース２２１及びメモリ２１８がプロセッサ２０１に結合される。したがって、基地局プロセッサ１０１は、無線端末プロセッサ２０１がアンテナアレイ２１７及び送受信機２０９を介して受信するように、送受信機１０９及びアンテナアレイ１１７を介して通信を送信する。逆方向においては、無線端末プロセッサ２０１は、基地局プロセッサ１０１がアンテナアレイ１１７及び送受信機１０９を介して受信するように、送受信機２０９及びアンテナアレイ２１７を介して通信を送信する。最大で４ブランチＭＩＭＯ（同一のＴＦＲＥを使用して４つのレイヤ／ストリームのデータの並列送信が可能）をサポートするために、アンテナアレイ１１７及び２１７の各々は、４つ（以上）のアンテナエレメントを含む。図２の無線端末２００は、例えば、セルラ無線電話、スマートフォン、ラップトップ／ネットブック／タブレット／ハンドヘルドコンピュータ、あるいは無線通信を提供する他の何らかのデバイスである。ユーザインタフェース２２１は、例えば、液晶ディスプレイ等の表示装置、タッチセンシティブ表示装置、キーパッド、スピーカ、マイク等を含む。
【００５２】
ＲＡＮ６０から無線端末２００へのＭＩＭＯ下りリンク送信の場合、プリコーディングベクトルのコードブック（ＲＡＮ６０及び無線端末２００の両方において既知）を使用して、同一のＴＦＲＥの期間にセクタアンテナアレイから無線端末２００へ並列送信される異なるデータレイヤ（データストリーム）をプリコーディングし（例えば、プリコーディング重みを適用し）、同一のＴＦＲＥの期間に無線端末２００で並列受信されたデータレイヤ（データストリーム）を復号する。無線端末のメモリ２１８及び基地局のメモリ１１８には、プリコーディングベクトルの、同一のコードブックが格納されうる。更に、無線端末２００は、各下りリンクチャネルの特性を推定してチャネル品質情報（ＣＱＩ）を生成し、無線端末２００からのＣＱＩフィードバックが基地局１００へ送信される。その後、当該ＣＱＩフィードバックは、送信ランク（即ち、後続のＴＦＲＥの期間に送信されるデータレイヤ／ストリームの数）、トランスポートデータブロックの長さ、異なるトランスポートデータブロックをチャネル符号化するために使用されるチャネル符号化率、変調多値数、シンボルからレイヤへのマッピング方式、及び／又は無線端末２００への各下りリンク送信のためのプリコーディングベクトル、を選択するために、基地局プロセッサ１０１により使用される。
【００５３】
例えば、基地局のアンテナアレイ１１７が４つのアンテナを含み、且つ、無線端末のアンテナアレイ２１７が４つのアンテナを含むことにより、無線端末２００は、ＭＩＭＯ通信の期間に基地局のアンテナアレイ１１７から最大で４つの下りリンク・データレイヤ（データストリーム）を受信しうる。本例において、プリコーディングコードブックは、ランク１のプリコーディングベクトル（基地局のセクタアンテナアレイ１１７から無線端末２００へ１つの下りリンク・データストリームを送信する場合に使用される）、ランク２のプリコーディングベクトル（基地局のセクタアンテナレイ１１７から無線端末２００へ２つの下りリンク・データストリームを送信する場合に使用される）、ランク３のプリコーディングベクトル（基地局のセクタアンテナレイ１１７から無線端末２００へ３つの下りリンク・データストリームを送信する場合に使用される）及びランク４のプリコーディングベクトル（基地局のセクタアンテナレイ１１７から無線端末２００へ４つの下りリンク・データストリームを送信する場合に使用される）を含みうる。プリコーディングベクトルは、例えばプリコーディングコードブック・エントリ、プリコーディング符号語及び／又はプリコーディング行列とも称される。
【００５４】
ＨＳＤＰＡの場合の４レイヤＭＩＭＯ送信方式の問題点は、サポートする必要のあるＨＡＲＱ（ハイブリッド自動再送要求）符号語／プロセスの数である。上りリンク及び／又は下りリンクのシグナリングを低減するために、４レイヤＭＩＭＯ送信方式において、１レイヤ、２レイヤ、３レイヤ及び４レイヤの下りリンク送信に関するフィードバックに対して、２つのＨＡＲＱ符号語／プロセスが使用されうる。２つのＨＡＲＱ符号語／プロセスの使用は、（４つのＨＡＲＱ符号語／プロセスの使用と比較して）性能を大幅に低下することなく比較的容易に実現できる。
【００５５】
ハイブリッド自動再送要求（ＨＡＲＱ）プロセスは、前方誤り訂正符号（チャネル符号とも称する）のみを使用して訂正できない伝送誤りを克服するために無線システムにおいて使用される。ＨＡＲＱプロセスのいくつかの実施形態において、ＨＡＲＱプロセスは、１つ以上のＭＩＭＯ送信レイヤにマッピングされ、送信デバイス（例えば、基地局１００）は、誤り検出／訂正を提供するために、ＴＴＩ／ＴＦＲＥの各トランスポートデータブロック（データブロック、データパケット、パケット等とも称する）に誤り検出／訂正符号（例えば、巡回冗長検査又はＣＲＣ符号）を付加する。受信デバイス（例えば、無線端末２００）では、受信した各トランスポートデータブロックの内容が、それらに付加された各誤り検出／訂正符号を使用して検査される。トランスポートデータブロックの誤り検出／訂正の検査が失敗した場合、受信デバイスは、ＨＡＲＱプロセスについての否定応答ＮＡＣＫメッセージ（非肯定応答メッセージとも称する）を含むＨＡＲＱ符号語を送信デバイスに送出することで、ＨＡＲＱプロセスにマッピングされた、失敗した１つ以上のトランスポートデータブロックの再送を要求する。失敗したデータブロックは、復号されるまで、又は最大許容回数の再送（例えば、４〜６回の再送）が行われるまで、再送される。トランスポートデータブロックが誤り検出／訂正検査を通過した場合、トランスポートデータブロックの受信及び誤りのない復号を通知するために、肯定応答ＡＣＫメッセージを含むＨＡＲＱ符号語が、送信装置に送出される。このように、ＨＡＲＱプロセスは１つ以上のＭＩＭＯ送信レイヤにマッピングされ、ＨＡＲＱプロセスは、ＴＴＩ／ＴＦＲＥごとに、フィードバックチャネル（例えば、ＨＳ−ＰＤＣＣＨ）のＨＡＲＱ符号語で送信されるＨＡＲＱ  ＡＣＫ／ＮＡＣＫフィードバックメッセージを生成する。
【００５６】
以下に更に詳細に説明するように、ＨＡＲＱ機能を実装する無線端末２００は、システムスループットを改善するために、最初に送信されたトランスポートデータブロックと再送されたトランスポートデータブロックとが復号前に合成されるように、ＴＦＲＥの期間に受信される各トランスポートデータブロック用のソフトバッファを含んでもよい。最初に送信されたトランスポートデータブロックと再送されたトランスポートデータブロックとが合成される方法に依存して、ＨＡＲＱシステム／プロセスは、チェイス合成（chase combining）、即ちＣＣ（追加情報なしで同一のトランスポートデータブロックを再送する）、又は増加的冗長性（Incremental Redundancy）、即ちＩＲ（追加のパリティビットを用いて同一のトランスポートデータブロックを送信する）に分類されうる。
【００５７】
単一のソフトバッファが、（ＴＦＲＥの期間に１つのトランスポートデータブロックが受信される）レイヤ／ランク１のＭＩＭＯ送信／受信に使用され、２つのソフトバッファが、（ＴＦＲＥの期間に２つのトランスポートデータブロックが受信される）レイヤ／ランク２のＭＩＭＯ送信／受信に使用され、３つのソフトバッファが、（ＴＦＲＥの期間に３つのトランスポートデータブロックが受信される）レイヤ／ランク３のＭＩＭＯ送信／受信に使用され、４つのソフトバッファが、（ＴＦＲＥの期間に４つのトランスポートデータブロックが受信される）レイヤ／ランク４のＭＩＭＯ送信／受信に使用される。各ソフトバッファは、トランスポートデータブロックの復号が成功しなかった場合に再送後に使用される、復号前のトランスポートデータブロックについての復調器出力を格納する。（ＴＦＲＥの期間に最大で２つのトランスポートデータブロックがＵＥへ送信される）最大で２ランク／レイヤの送信をサポートするリリース７のＭＩＭＯの場合、ＨＡＲＱプロセスは、ソフトバッファごとに提供され、それ故にトランスポートデータブロックごとに提供される。しかし、２つのＨＡＲＱプロセスが３レイヤ／ランク又は４レイヤ／ランクのＭＩＭＯ送信／受信にマッピングされる場合、ＵＥの受信機のソフトバッファをＨＡＲＱプロセスにマッピングする仕組みが必要となりうる。
【００５８】
本明細書中で説明するいくつかの実施形態によると、サポートされるＨＡＲＱプロセスの数が、システムによりサポートされるＭＩＭＯ送信レイヤ／ランクの数より少ない場合（例えば、ランク／レイヤ３及び／又はランク／レイヤ４のＭＩＭＯ送信がサポートされるが、２つのＨＡＲＱプロセスのみがサポートされる場合）に、基地局１００の送信レイヤと無線端末２００の受信レイヤ（各ソフトバッファを含む）とＨＡＲＱプロセスとの間に機能をマッピングするための方法が提供される。２つのＨＡＲＱプロセスの場合、両方のＨＡＲＱ  ＡＣＫ／ＮＡＣＫメッセージが、フィードバックチャネル（例えば、ＨＳ−ＤＰＣＣＨ）のＨＡＲＱ符号語に含められうる。
【００５９】
図３Ａは、ＭＩＭＯ通信システムにおける基地局１００と無線端末２００との間のメッセージシーケンスを示す図である。図３Ａに示すように、基地局１００は、下りリンクチャネルを介してパイロット信号を送信し、ブロック３９１において、無線端末２００は、当該パイロット信号に基づいて（基地局１００から無線端末２００への伝送についての）下りリンクチャネルを推定する。ブロック３９３において、無線端末２００は、下りリンクチャネルについてのチャネル状態情報を生成し（例えば、計算し）、無線端末２００は、フィードバックチャネルを介して基地局１００に、当該チャネル状態情報を報告する。２つの報告間隔におけるフィードバックチャネル報告のフォーマットの一例を図３Ｂに示す。図３Ｂは、フィードバックチャネル報告が、ＨＡＲＱエレメント／メッセージ／符号語（肯定応答／ＡＣＫ、及び／又は、否定応答／ＮＡＣＫ情報を含む）、及び／又は、ＣＱＩ／ＰＣＩ（チャネル品質情報及び／又はプリコーディング制御インジケータ）情報を含むことを示す。
【００６０】
より具体的には、無線端末２００は、基地局１００から無線端末２００への後続の下りリンク送信についてのＭＩＭＯ送信ランクを要求／勧告するランクインジケータを含むＣＱＩ／ＰＣＩ情報を、（フィードバックチャネルを介して）送信してもよい。基地局プロセッサ１０１は、要求／勧告されたＭＩＭＯランク又は異なるＭＩＭＯランクを選択し、基地局１００は、例えば下りリンク・シグナリングチャネルＨＳ−ＳＣＣＨ（高速共有制御チャネル）を使用して無線端末２００へ送信される下りリンク・シグナリングで、当該選択されたＭＩＭＯランクを特定する。その後、基地局１００は、当該選択されたＭＩＭＯランクに従って、後続のＴＦＲＥにおいて、下りリンクチャネルを介して各ＭＩＭＯストリームを使用して１つ以上のトランスポートデータブロックを、例えば下りリンクトラフィックチャネルＨＳ−ＰＤＳＣＨ（高速物理下りリンク共有チャネル）を使用して下りリンクトラフィックとして送信する。受信した各トランスポートデータブロックの復号の成功／失敗に基づいて、無線端末２００は、フィードバックチャネルを介して基地局１００へ送信される各ＨＡＲＱ  ＡＣＫ／ＮＡＣＫメッセージを生成する。
【００６１】
図４は、いくつかの実施形態に係る、４つのチャネル符号器を用いて２つのＨＡＲＱ符号語ＭＩＭＯをサポートし、且つ、最大で４ランクのＭＩＭＯ下りリンク送信をサポートする、図２の基地局プロセッサ１０１の要素／機能を示すブロック図である。図４の実施形態によると、４つのチャネル符号器ＣＥ１、ＣＥ２、ＣＥ３及びＣＥ４には、無線端末２００に対する１つのデータ入力ストリームに含まれるシンボルが、４つもの異なるデータストリームにマッピングされた状態で、トランスポートデータブロックの４つのストリームＢ１、Ｂ２、Ｂ３及びＢ４が提供されうる。同図に示すように、プロセッサ１０１は、トランスポートデータブロック生成器４０１、チャネル符号器４０３、変調器４０５、レイヤマッピング部４０７、拡散器／スクランブラ４０９及びレイヤプリコーダ４１１を含む。図４の実施形態において、チャネル符号器４０３は、トランスポートデータブロックの４つのストリームＢ１、Ｂ２、Ｂ３及びＢ４に対するチャネル符号器ＣＥ１、ＣＥ２、ＣＥ３及びＣＥ４を含み、変調器４０５は、インタリーバ／変調器ＩＭ１、ＩＭ２、ＩＭ３及びＩＭ４を含み、レイヤマッピング部４０７は、以下で更に詳細に説明するように、結果として得られた４つのストリームのシンボルを、４つもの異なるＭＩＭＯレイヤ（ストリーム）Ｘ１、Ｘ２，Ｘ３及びＸ４にマッピングするように構成される。更に、適応制御器４１５は、無線端末２００からフィードバックとして受信したチャネル品質情報（ＣＱＩ）に応じて、トランスポートデータブロック生成器４０１、チャネル符号器４０３、変調器４０５、レイヤマッピング部４０７及び／又はレイヤプリコーダ４１１を制御するように構成される。したがって、（無線端末２００のフィードバックに応じて適応制御器４１５により決定される）異なるチャネル符号化を使用してチャネル符号器ＣＥ１、ＣＥ２、ＣＥ３及びＣＥ４によってそれぞれ生成される、複数の符号語に応じて生成されたシンボルは、４つの異なるＭＩＭＯレイヤにインタリーブ及び分散（マッピング）される。より具体的には、２つのデータ符号語ＣＷ（データ符号語ＣＷは、追加のチャネル符号化及び／又はＣＲＣビットを有するトランスポートデータブロックである）に応じて生成されたシンボルは、インタリーブされた後、２つの異なるＭＩＭＯレイヤの間で分割される。本明細書中で説明するいくつかの実施形態によると、レイヤマッピング部４０７は１対１マッピングを実行する。
【００６２】
基地局プロセッサ１０１は、例えば、無線端末２００へ送信するための入力データを（例えば、コアネットワーク７０、他の基地局等から）受信し、トランスポートデータブロック生成器４０１（トランスポートデータブロック生成器ＴＢ１、ＴＢ２、ＴＢ３及びＴＢ４を含む）は、データブロックの単一のストリームを提供するか（ランク１の送信の場合）、あるいは入力データをデータブロックの複数の異なるストリームに分離する（ランク２、ランク３及びランク４の送信の場合）。より具体的には、（１つのＭＩＭＯレイヤ／ストリームのみを提供する）ランク１の送信の場合、トランスポートデータブロック生成器ＴＢ２、ＴＢ３又はＴＢ４を使用せずに、且つ、トランスポートデータブロックの他のストリームＢ２、Ｂ３又はＢ４を生成せずに、全ての入力データがトランスポートデータブロック生成器ＴＢ１を介して処理されることで、トランスポートデータブロックの単一のストリームＢ１（個別のトランスポートデータブロックｂ１−１、ｂ１−２、ｂ１−３等を含む）が提供される。（２つのＭＩＭＯレイヤ／ストリームを提供する）ランク２の送信の場合、トランスポートデータブロック生成器ＴＢ２又はＴＢ４を使用せずに、且つ、トランスポートデータブロックの他のストリームＢ２又はＢ４を生成せずに、トランスポートデータブロック生成器ＴＢ１が、トランスポートデータブロックのストリームＢ１（個別のトランスポートデータブロックｂ１−１、ｂ１−２、ｂ１−３等を含む）を生成し、トランスポートデータブロック生成器ＴＢ３が、トランスポートデータブロックのストリームＢ３（個別のトランスポートデータブロックｂ３−１、ｂ３−２、ｂ３−３等を含む）を生成する。（３つのＭＩＭＯレイヤ／ストリームを提供する）ランク３の送信の場合、トランスポートデータブロック生成器ＴＢ４を使用せずに、且つ、トランスポートデータブロックの他のストリームＢ４を生成せずに、トランスポートデータブロック生成器ＴＢ１が、トランスポートデータブロックのストリームＢ１（個別のトランスポートデータブロックｂ１−１、ｂ１−２、ｂ１−３等を含む）を生成し、トランスポートデータブロック生成器ＴＢ２が、トランスポートデータブロックのストリームＢ２（個別のトランスポートデータブロックｂ２−１、ｂ２−２、ｂ２−３等を含む）を生成し、トランスポートデータブロック生成器ＴＢ３が、トランスポートデータブロックのストリームＢ３（個別のトランスポートデータブロックｂ３−１、ｂ３−２、ｂ３−３等を含む）生成する。（４つのＭＩＭＯレイヤ／ストリームを提供する）ランク４の送信の場合、トランスポートデータブロック生成器ＴＢ１が、トランスポートデータブロックのストリームＢ１（個別のトランスポートデータブロックｂ１−１、ｂ１−２、ｂ１−３等を含む）を生成し、トランスポートデータブロック生成器ＴＢ２が、トランスポートデータブロックのストリームＢ２（個別のトランスポートデータブロックｂ２−１、ｂ２−２、ｂ２−３等を含む）を生成し、トランスポートデータブロック生成器ＴＢ３が、トランスポートデータブロックのストリームＢ３（個別のトランスポートデータブロックｂ３−１、ｂ３−２、ｂ３−３等を含む）生成し、トランスポートデータブロック生成器ＴＢ４が、トランスポートデータブロックのストリームＢ４（個別のトランスポートデータブロックｂ４−１、ｂ４−２、ｂ４−３等を含む）を生成する。
【００６３】
チャネル符号器４０３（チャネル符号器ＣＥ１、ＣＥ２、ＣＥ３及びＣＥ４を含む）は、トランスポートデータブロック生成器４０１により生成されたデータブロックのストリームＢ１、Ｂ２、Ｂ３及び／又はＢ４を符号化することで、例えばターボ符号化、畳み込み符号化等を使用して、データ符号語の各ストリームＣＷ１（個別のデータ符号語ｃｗ１−１、ｃｗ１−２、ｃｗ１−３等を含む）、ＣＷ２（個別のデータ符号語ｃｗ２−１、ｃｗ２−２、ｃｗ２−３等を含む）、ＣＷ３（個別のデータ符号語ｃｗ３−１、ｃｗ３−２、ｃｗ３−３等を含む）及び／又はＣＷ４（個別のデータ符号語ｃｗ４−１、ｃｗ４−２、ｃｗ４−３等を含む）を提供する。更に、チャネル符号器ＣＥ１、ＣＥ２、ＣＥ３及びＣＥ４に適用される符号化特性（例えば、符号化率）は、無線端末２００のフィードバック（例えば、下りリンクチャネルに関するＣＱＩ）に応じて、適応制御器４１５によって個別に決定されてもよい。ランク１の送信の場合、チャネル符号器４０３は、チャネル符号器ＣＥ１のみを使用して、データブロックのストリームＢ１に応じてデータ符号語の単一のストリームＣＷ１を生成する。ランク２の送信の場合、チャネル符号器４０３は、チャネル符号器ＣＥ１及びチャネル符号器ＣＥ３を使用して、データブロックの各ストリームＢ１及びＢ３に応じてデータ符号語の２つのストリームＣＷ１及びＣＷ３を生成する。ランク３の送信の場合、チャネル符号器４０３は、チャネル符号器ＣＥ１、チャネル符号器ＣＥ２及びチャネル符号器ＣＥ３を使用して、データブロックの各ストリームＢ１、Ｂ２及びＢ３に応じてデータ符号語の３つのストリームＣＷ１、ＣＷ２及びＣＷ３を生成する。ランク４の送信の場合、チャネル符号器４０３は、チャネル符号器ＣＥ１、チャネル符号器ＣＥ２、チャネル符号器ＣＥ３及びチャネル符号器ＣＥ４を使用して、データブロックの各ストリームＢ１、Ｂ２、Ｂ３及びＢ４に応じてデータ符号語の４つのストリームＣＷ１、ＣＷ２、ＣＷ３及びＣＷ４を生成する。いくつかの実施形態によると、チャネル符号器ＣＥ１、ＣＥ２、ＣＥ３及び／又はＣＥ４は、ランク２、ランク３及び／又はランク４の送信の期間に、異なる符号化特性（例えば、異なる符号化率）を適用することで、同一のＴＦＲＥの期間に送信されるデータを含む各（異なる方法で符号化された）データ符号語ｃｗ１−１、ｃｗ２−１、ｃｗ３−１及び／又はｃｗ４−１を生成してもよい。
【００６４】
変調器４０５（インタリーバ／変調器ＩＭ１、ＩＭ２、ＩＭ３及びＩＭ４を含む）は、チャネル符号器４０３により生成されたデータ符号語のストリームＣＷ１、ＣＷ２、ＣＷ３及び／又はＣＷ４をインタリーブ及び変調することで、マッピングされていないシンボルブロックの各ストリームＤ１（マッピングされていないシンボルブロックｄ１−１、ｄ１−２、ｄ１−３等を含む）、Ｄ２（マッピングされていないシンボルブロックｄ２−１、ｄ２−２、ｄ２−３等を含む）、Ｄ３（マッピングされていないシンボルブロックｄ３−１、ｄ３−２、ｄ３−３等を含む）及び／又はＤ４（マッピングされていないシンボルブロックｄ４−１、ｄ４−２、ｄ４−３等を含む）を提供する。（１つのＭＩＭＯレイヤ／ストリームのみを提供する）ランク１の送信の場合、変調器４０５は、インタリーバ／変調器ＩＭ１のみを使用して、データ符号語のストリームＣＷ１に応じて、マッピングされていないシンボルブロックの単一のストリームＤ１を生成する。ランク２の送信の場合、変調器４０５は、インタリーバ／変調器ＩＭ１及びＩＭ３を使用して、データ符号語の各ストリームＣＷ１及びＣＷ３に応じて、マッピングされていないシンボルブロックの２つのストリームＤ１及びＤ３を生成する。ランク３の送信の場合、変調器４０５は、インタリーバ／変調器ＩＭ１、ＩＭ２及びＩＭ３を使用して、データ符号語の各ストリームＣＷ１、ＣＷ２及びＣＷ３に応じて、マッピングされていないシンボルブロックの３つのストリームＤ１、Ｄ２及びＤ３を生成する。ランク４の送信の場合、変調器４０５は、インタリーバ／変調器ＩＭ１、ＩＭ２、ＩＭ３及びＩＭ４を使用して、データ符号語の各ストリームＣＷ１、ＣＷ２、ＣＷ３及びＣＷ４に応じて、マッピングされていないシンボルブロックの４つのストリームＤ１、Ｄ２、Ｄ３及びＤ４を生成する。変調器４０５は、無線端末２００からのＣＱＩフィードバックに基づいて決定された、適応制御器４１５からの入力に応じた変調多値数を適用しうる。
【００６５】
更に、各インタリーバ／変調器ＩＭ１、ＩＭ２、ＩＭ３及び／又はＩＭ４は、各ストリームの２つ以上の連続するマッピングされていないシンボルブロックが、２つ以上の連続する符号語のデータを表すシンボルを含むように、ストリームの２つ以上の符号語のデータをインタリーブしてもよい。例えば、符号語ストリームＣＷ１の連続するデータ符号語ｃｗ１−１及びｃｗ１−２のデータがインタリーブ及び変調されることで、ストリームＤ１の連続するマッピングされていないシンボルブロックｄ１−１及びｄ１−２が提供される。同様に、符号語ストリームＣＷ２の連続するデータ符号語ｃｗ２−１及びｃｗ２−２のデータがインタリーブ及び変調されることで、ストリームＤ２の連続するマッピングされていないシンボルブロックｄ２−１及びｄ２−２が提供され、符号語ストリームＣＷ３の連続するデータ符号語ｃｗ３−１及びｃｗ３−２のデータがインタリーブ及び変調されることで、ストリームＤ３の連続するマッピングされていないシンボルブロックｄ３−１及びｄ３−２が提供され、且つ／又は、符号語ストリームＣＷ４の連続するデータ符号語ｃｗ４−１及びｃｗ４−２のデータがインタリーブ及び変調されることで、ストリームＤ４の連続するマッピングされていないシンボルブロックｄ４−１及びｄ４−２が提供される。
【００６６】
マッピングされていないシンボルブロックのストリームＤ１、Ｄ２、Ｄ３及びＤ４のシンボルは、例えば１対１マッピングを使用して、（各ＭＩＭＯ送信レイヤに対応する）マッピング済みシンボルブロックの各ストリームＸ１、Ｘ２、Ｘ３及びＸ４にマッピングされる。例として１対１マッピングを説明するが、レイヤマッピング部４０７のマッピング機能が基地局１００及び無線端末２００の両方に既知である場合には、他のマッピングが使用されてもよい。
【００６７】
拡散器／スクランブラ４０９は、４つの拡散器／スクランブラＳＳ１、ＳＳ２、ＳＳ３及びＳＳ４を含み、レイヤマッピング部４０７により提供される各マッピング済みシンボルストリームに対して、拡散器／スクランブラ４０９は、（例えば、ウォルシュ符号を使用して）拡散されたシンボルブロックの各ストリームＹ１、Ｙ２、Ｙ３及びＹ４を生成する。レイヤプリコーダ４１１は、送受信機１０９とアンテナアレイ１１７のアンテナＡｎｔ−１、Ａｎｔ−２、Ａｎｔ−３及びＡｎｔ−４とを介した送信のために、拡散されたシンボルブロックのストリームに対して（適応制御器４１５により解釈された無線端末のフィードバックに基づく）適切なランクのＭＩＭＯプリコーディングベクトルを（例えば、プリコーディング重みを適用することにより）適用する。いくつかの実施形態によると、ランク１の送信の場合、図４の要素の第１のレイヤ（例えば、ＴＢ１、ＣＥ１、ＩＭ１及び／又はＳＳ１）のみが使用され、ランク２の送信の場合、図４の要素の２つのレイヤ（例えば、ＴＢ１、ＴＢ３、ＣＥ１、ＣＥ３、ＩＭ１、ＩＭ３、ＳＳ１及び／又はＳＳ３）が使用され、ランク３の送信の場合、図４の要素の３つのレイヤ（例えば、ＴＢ１、ＴＢ２、ＴＢ３、ＣＥ１、ＣＥ２、ＣＥ３、ＩＭ１、ＩＭ２、ＩＭ３、ＳＳ１、ＳＳ２及び／又はＳＳ３）が使用され、ランク４の送信の場合、図４の要素の４つのレイヤ（例えば、ＴＢ１、ＴＢ２、ＴＢ３、ＴＢ４、ＣＥ１、ＣＥ２、ＣＥ３、ＣＥ４、ＩＭ１、ＩＭ２、ＩＭ３、ＩＭ４、ＳＳ１、ＳＳ２、ＳＳ３及び／又はＳＳ４）が使用される。いくつかの他の実施形態によると、ランク１の送信の場合、図４の要素の第１のレイヤ（例えば、ＴＢ１、ＣＥ１、ＩＭ１及び／又はＳＳ１）のみが使用され、ランク２の送信の場合、図４の要素の２つのレイヤ（例えば、ＴＢ１、ＴＢ２、ＣＥ１、ＣＥ２、ＩＭ１、ＩＭ２、ＳＳ１及び／又はＳＳ２）が使用され、ランク３の送信の場合、図４の要素の３つのレイヤ（例えば、ＴＢ１、ＴＢ２、ＴＢ３、ＣＥ１、ＣＥ２、ＣＥ３、ＩＭ１、ＩＭ２、ＩＭ３、ＳＳ１、ＳＳ２及び／又はＳＳ３）が使用され、ランク４の送信の場合、図４の要素の４つのレイヤ（例えば、ＴＢ１、ＴＢ２、ＴＢ３、ＴＢ４、ＣＥ１、ＣＥ２、ＣＥ３、ＣＥ４、ＩＭ１、ＩＭ２、ＩＭ３、ＩＭ４、ＳＳ１、ＳＳ２、ＳＳ３及び／又はＳＳ４）が使用される。
【００６８】
図４の実施形態において、基地局プロセッサ１０１は、４つのチャネル符号器ＣＥ１〜ＣＥ４を用いて２つのＨＡＲＱプロセス／符号語ＭＩＭＯをサポートしうる。（「フィードバックチャネル」と示される）無線端末２００からのフィードバックを使用して、適応制御器４１５は、（トランスポートブロック生成器４０１、符号器４０３及び／又は変調器４０５により使用される）トランスポートデータブロックの長さ、変調多値数及び符号化率を選択する。適応制御器４１５は、レイヤプリコーダ４１１により使用されるプリコーディング重み情報を更に生成する。符号器４０３が４つのチャネル符号器ＣＥ１〜ＣＥ４を含んでいても、無線端末２００は、最大で２つの符号化されたトランスポートデータブロック符号語についてのフィードバック情報しか提供しえない。換言すると、無線端末２００は、（１つの下りリンク・データストリームを使用してＴＦＲＥ毎に１つのトランスポートデータブロックを用いる）ランク１の送信の場合には１つのＨＡＲＱプロセス／符号語を提供し、無線端末２００は、（２つの下りリンク・データストリームを使用してＴＦＲＥ毎に２つのトランスポートデータブロックを用いる）ランク２の送信の場合には２つのＨＡＲＱプロセス／符号語を提供し、無線端末２００は、（３つの下りリンク・データストリームを使用してＴＦＲＥ毎に３つのトランスポートデータブロックを用いる）ランク３の送信の場合には２つのＨＡＲＱプロセス／符号語を提供し、無線端末２００は、（４つの下りリンク・データストリームを使用してＴＦＲＥ毎に４つのトランスポートデータブロックを用いる）ランク４の送信の場合には２つのＨＡＲＱプロセス／符号語を提供しうる。
【００６９】
ランク３及びランク４の送信の場合、トランスポートブロック生成器４０１、符号器４０３、変調器４０５及び拡散器／スクランブラ４０９により生成されるデータストリームの数は、基地局１００及び／又は無線端末２００によりサポートされるＨＡＲＱプロセス／符号語の数より多い。本明細書中で説明する本発明概念の実施形態によると、ランク３及びランク４の送信の場合、ＨＡＲＱプロセス／符号語は、２つ以上のデータストリームにマッピングされる。ランク１の送信の場合、１つのＨＡＲＱプロセス／符号語は、第１のデータストリームに直接マッピングされる（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信される）。ランク２の送信の場合、第１のＨＡＲＱプロセス／符号語は、第１のデータストリームに直接マッピングされ（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信され）、第２のＨＡＲＱプロセス／符号語は、第３のデータストリームに直接マッピングされる（例えば、ＴＢ３、ＣＥ３、ＩＭ３及び／又はＳＳ３を含む第３の送信レイヤを使用して送信され、且つ、ＤＭ３、ＳＢ３及び／又はＣＤ３を含む第３の受信レイヤを使用して受信される）。ランク３の送信の場合、第１のＨＡＲＱプロセス／符号語は、第１のデータストリームにマッピングされ（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信され）、且つ、第２のデータストリームにマッピングされ（例えば、ＴＢ２、ＣＥ２、ＩＭ２及び／又はＳＳ２を含む第２の送信レイヤを使用して送信され、且つ、ＤＭ２、ＳＢ２及び／又はＣＤ２を含む第２の受信レイヤを使用して受信され）、第２のＨＡＲＱプロセス／符号語は、第３のデータストリームにマッピングされる（例えば、ＴＢ３、ＣＥ３、ＩＭ３及び／又はＳＳ３を含む第３の送信レイヤを使用して送信され、且つ、ＤＭ３、ＳＢ３及び／又はＣＤ３を含む第３の受信レイヤを使用して受信される）。ランク４の送信の場合、第１のＨＡＲＱプロセス／符号語は、第１のデータストリームにマッピングされ（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信され）、且つ、第２のデータストリームにマッピングされ（例えば、ＴＢ２、ＣＥ２、ＩＭ２及び／又はＳＳ２を含む第２の送信レイヤを使用して送信され、且つ、ＤＭ２、ＳＢ２及び／又はＣＤ２を含む第２の受信レイヤを使用して受信され）、第２のＨＡＲＱプロセス／符号語は、第３のデータストリームにマッピングされ（例えば、ＴＢ３、ＣＥ３、ＩＭ３及び／又はＳＳ３を含む第３の送信レイヤを使用して送信され、且つ、ＤＭ３、ＳＢ３及び／又はＣＤ３を含む第３の受信レイヤを使用して受信され）、且つ、第４のデータストリームにマッピングされる（例えば、ＴＢ４、ＣＥ４、ＩＭ４及び／又はＳＳ４を含む第４の送信レイヤを使用して送信され、且つ、ＤＭ４、ＳＢ４及び／又はＣＤ４を含む第４の受信レイヤを使用して受信される）。
【００７０】
いくつかの他の実施形態によると、ランク１の送信の場合、１つのＨＡＲＱプロセス／符号語は第１のデータストリームに直接マッピングされる（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信される）。ランク２の送信の場合、第１のＨＡＲＱプロセス／符号語は、第１のデータストリームに直接マッピングされ（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信され）、第２のＨＡＲＱプロセス／符号語は、第２のデータストリームに直接マッピングされる（例えば、ＴＢ２、ＣＥ２、ＩＭ２及び／又はＳＳ２を含む第２の送信レイヤを使用して送信され、且つ、ＤＭ２、ＳＢ２及び／又はＣＤ２を含む第２の受信レイヤを使用して受信される）。ランク３の送信の場合、第１のＨＡＲＱプロセス／符号語は、第１のデータストリームにマッピングされ（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信され）、第２のＨＡＲＱプロセス／符号語は、第２のデータストリームにマッピングされ（例えば、ＴＢ２、ＣＥ２、ＩＭ２及び／又はＳＳ２を含む第２の送信レイヤを使用して送信され、且つ、ＤＭ２、ＳＢ２及び／又はＣＤ２を含む第２の受信レイヤを使用して受信され）、且つ、第３のデータストリームにマッピングされる（例えば、ＴＢ３、ＣＥ３、ＩＭ３及び／又はＳＳ３を含む第３の送信レイヤを使用して送信され、且つ、ＤＭ３、ＳＢ３及び／又はＣＤ３を含む第３の受信レイヤを使用して受信される）。ランク４の送信の場合、第１のＨＡＲＱプロセス／符号語は、第１のデータストリームにマッピングされ（例えば、ＴＢ１、ＣＥ１、ＩＭ１及び／又はＳＳ１を含む第１の送信レイヤを使用して送信され、且つ、ＤＭ１、ＳＢ１及び／又はＣＤ１を含む第１の受信レイヤを使用して受信され）、且つ、第４のデータストリームにマッピングされ（例えば、ＴＢ４、ＣＥ４、ＩＭ４及び／又はＳＳ４を含む第４の送信レイヤを使用して送信され、且つ、ＤＭ４、ＳＢ４及び／又はＣＤ４を含む第４の受信レイヤを使用して受信され）、第２のＨＡＲＱプロセス／符号語は、第２のデータストリームにマッピングされ（例えば、ＴＢ２、ＣＥ２、ＩＭ２及び／又はＳＳ２を含む第２の送信レイヤを使用して送信され、且つ、ＤＭ２、ＳＢ２及び／又はＣＤ２を含む第２の受信レイヤを使用して受信され）、且つ、第３のデータストリームにマッピングされる（例えば、ＴＢ３、ＣＥ３、ＩＭ３及び／又はＳＳ３を含む第３の送信レイヤを使用して送信され、且つ、ＤＭ３、ＳＢ３及び／又はＣＤ３を含む第３の受信レイヤを使用して受信される）。
【００７１】
適応制御器４１５により選択されたランクに基づいて、トランスポートデータブロックは符号器４０３に渡され、符号器の出力は、変調器４０５を使用してインタリーブ及び変調される。変調器４０５の出力は、レイヤマッピング部４０７を使用して時空間レイヤにマッピングされ、上述のように、レイヤマッピング部４０７は、１対１レイヤマッピングを提供する。レイヤマッピング部４０７により生成されたシンボルストリームは、拡散器／スクランブラ４０９を使用して拡散及びスクランブルされ、レイヤプリコーダ４１１は、拡散器／スクランブラ４０９の出力をプリコーディングし、プリコーダの出力は、送受信機１０９及びアンテナアレイ１１７（アンテナＡｎｔ−１、Ａｎｔ−２、Ａｎｔ−３及びＡｎｔ−４を含む）を通過する。
【００７２】
無線端末２００において、基地局により送信されたＭＩＭＯ下りリンク通信を受信する場合のプロセッサ２０１の動作は、基地局プロセッサ１０１の動作のミラー動作である。より具体的には、図４を参照して上述した基地局プロセッサ１０１の要素／機能をミラーリングして、無線端末プロセッサ２０１の要素／機能を図５に示す。
【００７３】
無線信号は、ＭＩＭＯＩアンテナアレイ２１７のＭＩＭＯアンテナエレメント及び送受信機２０９を介して受信され、当該無線信号が、ＭＩＭＯ復号ベクトルを使用してレイヤ復号器６０１により復号されることで、送信／受信に使用されたＭＩＭＯランクに依存して複数のＭＩＭＯ復号済みシンボルレイヤＸ１'、Ｘ２'、Ｘ３'及び／又はＸ４'が生成される。レイヤ復号器６０１は、基地局１００により使用されたプリコーディングベクトルに対応する復号ベクトルを使用する。ランク１の受信の場合、レイヤ復号器６０１は単一の復号済みシンボルレイヤＸ１'を生成し、ランク２の受信の場合、レイヤ復号器６０１は２つの復号済みシンボルレイヤＸ１'及びＸ３'を生成し、ランク３の受信の場合、レイヤ復号器６０１は３つの復号済みシンボルレイヤＸ１'、Ｘ２'及びＸ３'を生成し、ランク４の受信の場合、レイヤ復号器６０１は４つの復号済みシンボルレイヤＸ１'、Ｘ２'、Ｘ３'及びＸ４'を生成する。このように、レイヤ復号器６０１は、基地局１００のレイヤプリコーダ４１１及び拡散器／スクランブラ４０９により実行された動作の逆の動作を実行する。レイヤ復号器６０１は、ＭＩＭＯ検出器の（レイヤプリコーダ４１１の逆のものに対応する）機能、及びデータストリーム／レイヤごとにブロックを逆拡散／デスクランブルする（拡散器／スクランブラ４０９の逆のものに対応する）機能を実行する。レイヤデマッピング部６０３は、レイヤマッピング部４０７の逆のものとして機能することで、復号済みシンボルレイヤＸ１'、Ｘ２'、Ｘ３'及び／又はＸ４'を、送信ランクに従って、マッピングされていないそれぞれのシンボルレイヤＤ１'、Ｄ２'、Ｄ３'及び／又はＤ４'にデマッピングする。
【００７４】
ランク１の受信の場合、レイヤデマッピング部６０３は、復号済みシンボルレイヤＸ１'のブロックｘ１'−ｊのシンボルをマッピングされていないシンボルレイヤＤ１'のブロックｄ１'−ｊのシンボルに直接デマッピングし、復調器／デインタリーバＤＭ−１は、マッピングされていないシンボルレイヤのブロックｄ１'−ｊを復調／デインタリーブして符号語ストリームＣＷ１'のデータ符号語ｃｗ１'−ｊを提供し、チャネル復号器ＣＤ１は、符号語ストリームＣＷ１'のデータ符号語ｃｗ１'−ｊを復号してストリームＢ１'のトランスポートブロックｂ１'−ｊを提供する。その後、トランスポートブロック生成器６０７は、ストリームＢ１'のトランスポートブロックｂ１'−ｊをデータストリームとして渡す。ランク１の受信の間、復調器／デインタリーバＤＭ２、ＤＭ３及びＤＭ４、並びにチャネル復号器ＣＤ２、ＣＤ３及びＣＤ４は使用されない。
【００７５】
ランク２の受信の場合、レイヤ復号器６０１は、復号済みシンボルレイヤＸ１'及びＸ３'を生成する。レイヤデマッピング部６０３は、復号済みシンボルレイヤＸ１'のブロックｘ１'−ｊのシンボルをマッピングされていないシンボルレイヤＤ１'のブロックｄ１'−ｊのシンボルに直接デマッピングし、レイヤデマッピング部６０３は、復号済みシンボルレイヤＸ３'のブロックｘ３'−ｊのシンボルをマッピングされていないシンボルレイヤＤ３'のブロックｄ３'−ｊのシンボルに直接デマッピングする。復調器／デインタリーバＤＭ−１は、マッピングされていないシンボルレイヤのブロックｄ１'−ｊを復調／デインタリーブして符号語ストリームＣＷ１'のデータ符号語ｃｗ１'−ｊを提供し、復調器／デインタリーバＤＭ−３は、マッピングされていないシンボルレイヤのブロックｄ３'−ｊを復調／デインタリーブして符号語ストリームＣＷ３'のデータ符号語ｃｗ３'−ｊを提供する。チャネル復号器ＣＤ１は、符号語ストリームＣＷ１'のデータ符号語ｃｗ１'−ｊを復号してストリームＢ１'のトランスポートブロックｂ１'−ｊを提供し、チャネル復号器ＣＤ３は、符号語ストリームＣＷ３'のデータ符号語ｃｗ３'−ｊを復号してストリームＢ３'のトランスポートブロックｂ３'−ｊを提供する。その後、トランスポートブロック生成器６０７は、ストリームＢ１'及びＢ３'のトランスポートブロックｂ１'−ｊ及びｂ３'−ｊをデータストリームとして合成する。ランク２の受信の間、復調器／デインタリーバＤＭ２及びＤＭ４、並びにチャネル復号器ＣＤ２及びＣＤ４は使用されない。
【００７６】
ランク３の受信の場合、レイヤ復号器６０１は、復号済みシンボルレイヤＸ１'、Ｘ２'及びＸ３'を生成する。レイヤデマッピング部６０３は、復号済みシンボルレイヤＸ１'のブロックｘ１'−ｊのシンボルをマッピングされていないシンボルレイヤＤ１'のブロックｄ１'−ｊのシンボルに直接デマッピングし、レイヤデマッピング部６０３は、復号済みシンボルレイヤＸ２'のブロックｘ２'−ｊのシンボルをマッピングされていないシンボルレイヤＤ２'のブロックｄ２'−ｊのシンボルに直接デマッピングし、レイヤデマッピング部６０３は、復号済みシンボルレイヤＸ３'のブロックｘ３'−ｊのシンボルをマッピングされていないシンボルレイヤＤ３'のブロックｄ３'−ｊのシンボルに直接デマッピングする。復調器／デインタリーバＤＭ−１は、マッピングされていないシンボルレイヤのブロックｄ１'−ｊを復調／デインタリーブして符号語ストリームＣＷ１'のデータ符号語ｃｗ１'−ｊを提供し、復調器／デインタリーバＤＭ−２は、マッピングされていないシンボルレイヤのブロックｄ２'−ｊを復調／デインタリーブして符号語ストリームＣＷ２'のデータ符号語ｃｗ２'−ｊを提供し、復調器／デインタリーバＤＭ−３は、マッピングされていないシンボルレイヤのブロックｄ３'−ｊを復調／デインタリーブして符号語ストリームＣＷ３'のデータ符号語ｃｗ３'−ｊを提供する。チャネル復号器ＣＤ１は、符号語ストリームＣＷ１'のデータ符号語ｃｗ１'−ｊを復号してストリームＢ１'のトランスポートブロックｂ１'−ｊを提供し、チャネル復号器ＣＤ２は、符号語ストリームＣＷ２'のデータ符号語ｃｗ２'−ｊを復号してストリームＢ２'のトランスポートブロックｂ２'−ｊを提供し、チャネル復号器ＣＤ３は、符号語ストリームＣＷ３'のデータ符号語ｃｗ３'−ｊを復号してストリームＢ３'のトランスポートブロックｂ３'−ｊを提供する。その後、トランスポートブロック生成器６０７は、ストリームＢ１'、Ｂ２'及びＢ３'のトランスポートブロックｂ１'−ｊ、ｂ２'−ｊ及びｂ３'−ｊをデータストリームとして合成する。ランク３の受信の間、復調器／デインタリーバＤＭ４及びチャネル復号器ＣＤ４は使用されない。
【００７７】
ランク４の受信の場合、レイヤ復号器６０１は、復号済みシンボルレイヤＸ１'、Ｘ２'、Ｘ３'、Ｘ４'を生成する。レイヤデマッピング部６０３は、復号済みシンボルレイヤＸ１'のブロックｘ１'−ｊのシンボルをマッピングされていないシンボルレイヤＤ１'のブロックｄ１'−ｊのシンボルに直接デマッピングし、レイヤデマッピング部６０３は、復号済みシンボルレイヤＸ２'のブロックｘ２'−ｊのシンボルをマッピングされていないシンボルレイヤＤ２'のブロックｄ２'−ｊのシンボルに直接デマッピングし、レイヤデマッピング部６０３は、復号済みシンボルレイヤＸ３'のブロックｘ３'−ｊのシンボルをマッピングされていないシンボルレイヤＤ３'のブロックｄ３'−ｊのシンボルに直接デマッピングし、レイヤデマッピング部６０３は、復号済みシンボルレイヤＸ４'のブロックｘ４'−ｊのシンボルをマッピングされていないシンボルレイヤＤ４'のブロックｄ４'−ｊのシンボルに直接デマッピングする。復調器／デインタリーバＤＭ−１は、マッピングされていないシンボルレイヤのブロックｄ１'−ｊを復調／デインタリーブして符号語ストリームＣＷ１'のデータ符号語ｃｗ１'−ｊを提供し、復調器／デインタリーバＤＭ−２は、マッピングされていないシンボルレイヤのブロックｄ２'−ｊを復調／デインタリーブして符号語ストリームＣＷ２'のデータ符号語ｃｗ２'−ｊを提供し、復調器／デインタリーバＤＭ−３は、マッピングされていないシンボルレイヤのブロックｄ３'−ｊを復調／デインタリーブして符号語ストリームＣＷ３'のデータ符号語ｃｗ３'−ｊを提供し、復調器／デインタリーバＤＭ−４は、マッピングされていないシンボルレイヤのブロックｄ４'−ｊを復調／デインタリーブして符号語ストリームＣＷ４'のデータ符号語ｃｗ４'−ｊを提供する。チャネル復号器ＣＤ１は、符号語ストリームＣＷ１'のデータ符号語ｃｗ１'−ｊを復号してストリームＢ１'のトランスポートブロックｂ１'−ｊを提供し、チャネル復号器ＣＤ２は、符号語ストリームＣＷ２'のデータ符号語ｃｗ２'−ｊを復号してストリームＢ２'のトランスポートブロックｂ２'−ｊを提供し、チャネル復号器ＣＤ３は、符号語ストリームＣＷ３'のデータ符号語ｃｗ３'−ｊを復号してストリームＢ３'のトランスポートブロックｂ３'−ｊを提供し、チャネル復号器ＣＤ４は、符号語ストリームＣＷ４'のデータ符号語ｃｗ４'−ｊを復号してストリームＢ４'のトランスポートブロックｂ４'−ｊを提供する。その後、トランスポートブロック生成器６０７は、ストリームＢ１'、Ｂ２'、Ｂ３'及びＢ４'のトランスポートブロックｂ１'−ｊ、ｂ２'−ｊ、ｂ３'−ｊ及びｂ４'−ｊをデータストリームとして合成する。
【００７８】
図５に更に示すように、各ソフトバッファＳＢ１、ＳＢ２、ＳＢ３及びＳＢ４が受信データの各ストリームに対して提供されてもよく、各復号器ＣＤ１、ＣＤ２、ＣＤ３及びＣＤ４は、復号されたトランスポートデータブロックの復号が成功したか又は失敗したかを判定するように構成されてもよい。より詳細には、復調器／デインタリーバＤＭにより生成された、復号されていない各トランスポートデータブロックは、復号の結果がチャネル復号器ＣＤにより判定されるまで、各ソフトバッファＳＢに保存される。トランスポートデータブロックの復号が成功した場合、ＡＣＫ（肯定応答メッセージ）が基地局に対するフィードバックとして生成及び提供され、正しく復号された（成功した）データブロックの再送は不要である。トランスポートデータブロックの復号が成功しなかった場合、ＮＡＣＫ（否定応答メッセージ）が基地局に対するフィードバックとして生成及び提供され、復調器／デインタリーバの、復号されていない出力（ソフトビットとも称する）が、ソフトバッファＳＢに保存される。ＮＡＣＫに応答して、基地局は、失敗したトランスポートデータブロックを再送し、無線端末２００は、再送されたデータブロックと復調器／デインタリーバの以前に復号されなかった（各ソフトバッファに保存されている）出力とを共に使用して、再送されたデータブロックを第２のパスで復号する。ソフトバッファを使用して、復調されたデータブロックの第１のバージョンと第２のバージョンとを合成することにより、復号が成功する可能性が再送後に増加する。
【００７９】
図５に示すように、レイヤ復号器６０１（例えば、最小平均二乗誤差、即ち、ＭＭＳＥ受信機等のＭＩＭＯ検出器を含む）は、マルチパスチャネルからの干渉を低減し、且つ／又は、他のアンテナ干渉を低減する。逆拡散、デマッピング、復調及び／又はデインタリーブの後、無線端末２００は、各チャネル復号器を使用して、トランスポートデータブロックの、符号化されたビットを復号しようと試みる。復号の試みが失敗した場合、無線端末２００は、トランスポートデータブロックの、受信したソフトビットを各ソフトバッファにバッファリングし、（例えば、ＨＡＲＱ符号語とも称するＨＡＲＱ−ＡＣＫ符号語の一部として）ＮＡＣＫメッセージを送信することにより、トランスポートデータブロックの再送を要求する。再送が無線端末２００により受信されると（且つ、復号、デマッピング、復調及び／又はデインタリーブされると）、無線端末は、バッファリングされたソフトビットと、再送から受信したソフトビットとを合成し、当該合成したものを、各チャネル復号器を使用して復号しようと試みる。
【００８０】
ソフト合成が適切に動作するようにするために、無線端末は、受信した送信がトランスポートデータブロックの新しい送信であるか又は以前に送信されたトランスポートデータブロックの再送であるかを認識する必要がある。このために、下りリンク制御シグナリングは、ソフトバッファがクリアされる必要があるか又はソフトバッファと受信したソフトビットとのソフト合成を行う必要があるかを制御するために無線端末により使用されるデータインジケータ（インジケータ、新規データインジケータ、新規／旧データインジケータ等とも称する）を含んでもよい。このため、無線端末２００への所与の送信／再送について、データインジケータは、新しいデータの最初の送信（initial transmission）を示す１つの値と、以前に送信されたデータの再送を示す別の値とを有してもよい。
【００８１】
現在の送信が再送でない場合は常に、基地局プロセッサ１０１のＮｏｄｅＢ基地局ＭＡＣ−ｅｈｓエレメントは、シングルビット・データインジケータ（single bit data indicator）を増加させる。したがって、シングルビット・データインジケータは、新しいトランスポートデータブロックがＭＩＭＯレイヤで送信される毎に切り替えられる。新しい／最初の送信の場合はソフト合成を行う必要がないため、このように、データインジケータが、最初の送信毎にソフトバッファをクリアするために無線端末プロセッサ２０１によって使用されうる。当該インジケータは、状態シグナリングにおけるエラーのケースを検出するためにも使用されうる。対象となっているＨＡＲＱプロセスにおける先行のデータが正しく復号され、且つ、（ＡＣＫメッセージを使用して）肯定応答されたにも関わらず、データインジケータが切り替えられない場合には、例えば、上りリンク・シグナリングにおけるエラーが発生した可能性が非常に高い。同様に、インジケータが切り替えられたがＨＡＲＱプロセスにおける先行のデータが正しく復号されていない場合、無線端末は、ＨＡＲＱプロセスのためのソフトバッファに以前に入れられたデータを新しい受信データに置き換えてもよい。
【００８２】
ランク４の送信の場合、無線端末２００は、トランスポートデータブロックの４つのストリームをサポートするために、同一のＴＦＲＥにおいて最大で４つのトランスポートデータブロックを受信する。ランク４の送信の間にＴＦＲＥについての４つのデータブロックを復号した後、各復号器ＣＤ１、ＣＤ２、ＣＤ３及びＣＤ４は、各トランスポートデータブロックの復号が成功したか又は失敗したかに依存して、それぞれのローカルＡＣＫ又はＮＡＣＫを生成する。ランク４の送信において、復号器ＣＤ１及びＣＤ２は第１のＨＡＲＱプロセスにマッピングされるため、復号器ＣＤ１及びＣＤ２の両方がローカルＡＣＫを生成する場合のみ、結果として得られるＨＡＲＱ  ＡＣＫ／ＮＡＣＫはＡＣＫであり、復号器ＣＤ１又はＣＤ２のいずれかがローカルＮＡＣＫを生成した場合、結果として得られる第１のＨＡＲＱプロセスからのＨＡＲＱ  ＡＣＫ／ＮＡＣＫメッセージはＮＡＣＫである。復号器ＣＤ３及びＣＤ４は第２のＨＡＲＱプロセスにマッピングされるため、復号器ＣＤ３及びＣＤ４の両方がローカルＡＣＫを生成する場合のみ、結果として得られる第２のＨＡＲＱプロセスからのＨＡＲＱ  ＡＣＫ／ＮＡＣＫはＡＣＫであり、復号器ＣＤ３又はＣＤ４のいずれかがローカルＮＡＣＫを生成した場合、結果として得られるＨＡＲＱ  ＡＣＫ／ＮＡＣＫメッセージはＮＡＣＫである。
【００８３】
ランク３の送信の場合、無線端末２００は、同一のＴＦＲＥにおいて最大で３つのトランスポートデータブロックを受信する。ランク３の送信の間にＴＦＲＥについての３つのデータブロックを復号した後、各復号器ＣＤ１、ＣＤ２及びＣＤ３は、各トランスポートデータブロックの復号が成功したか又は失敗したかに依存して、それぞれのローカルＡＣＫ又はＮＡＣＫを生成する。ランク３の送信において、復号器ＣＤ１及びＣＤ２は第１のＨＡＲＱプロセスにマッピングされるため、復号器ＣＤ１及びＣＤ２の両方がローカルＡＣＫを生成する場合のみ、結果として得られるＨＡＲＱ  ＡＣＫ／ＮＡＣＫはＡＣＫであり、復号器ＣＤ１又はＣＤ２のいずれかがローカルＮＡＣＫを生成した場合、結果として得られる第１のＨＡＲＱプロセスからのＨＡＲＱ  ＡＣＫ／ＮＡＣＫメッセージはＮＡＣＫである。復号器ＣＤ３は第２のＨＡＲＱプロセスにマッピングされるため、復号器ＣＤ３がローカルＡＣＫを生成する場合、結果として得られる第２のＨＡＲＱプロセスからのＨＡＲＱ  ＡＣＫ／ＮＡＣＫはＡＣＫであり、復号器ＣＤ３がローカルＮＡＣＫを生成する場合、結果として得られるＨＡＲＱ  ＡＣＫ／ＮＡＣＫメッセージはＮＡＣＫである。
【００８４】
ランク２の送信の場合、無線端末２００は、同一のＴＦＲＥにおいて最大で２つのトランスポートデータブロックを受信する。ランク２の送信の間にＴＦＲＥについての２つのデータブロックを復号した後、各復号器ＣＤ１及びＣＤ３は、各トランスポートデータブロックの復号が成功したか又は失敗したかに依存して、それぞれのローカルＡＣＫ又はＮＡＣＫを生成する。ランク２の送信において、復号器ＣＤ１は第１のＨＡＲＱプロセスにマッピングされるため、復号器ＣＤ１がローカルＡＣＫを生成する場合、結果として得られるＨＡＲＱ  ＡＣＫ／ＮＡＣＫはＡＣＫであり、復号器ＣＤ１がローカルＮＡＣＫを生成する場合、結果として得られる第１のＨＡＲＱプロセスからのＨＡＲＱ  ＡＣＫ／ＮＡＣＫメッセージはＮＡＣＫである。復号器ＣＤ３は第２のＨＡＲＱプロセスにマッピングされるため、復号器ＣＤ３がローカルＡＣＫを生成する場合、結果として得られる第２のＨＡＲＱプロセスからのＨＡＲＱ  ＡＣＫ／ＮＡＣＫはＡＣＫであり、復号器ＣＤ３がローカルＮＡＣＫを生成する場合、結果として得られるＨＡＲＱ  ＡＣＫ／ＮＡＣＫメッセージはＮＡＣＫである。
【００８５】
ランク１の送信の場合、無線端末２００は、ＴＦＲＥにおいて１つのトランスポートデータブロックを受信する。ランク１の送信の間にＴＦＲＥについての１つのデータブロックを復号した後、復号器ＣＤ１は、トランスポートデータブロックの復号が成功したか又は失敗したかに依存して、それぞれのＡＣＫ又はＮＡＣＫを生成する。ランク１の送信において、復号器ＣＤ１は第１のＨＡＲＱプロセスにマッピングされるため、復号器ＣＤ１がローカルＡＣＫを生成する場合、結果として得られるＨＡＲＱ  ＡＣＫ／ＮＡＣＫはＡＣＫであり、復号器ＣＤ１がローカルＮＡＣＫを生成する場合、結果として得られる第１のＨＡＲＱプロセスからのＨＡＲＱ  ＡＣＫ／ＮＡＣＫメッセージはＮＡＣＫである。
【００８６】
いくつかの他の実施形態によると、ランク１の送信／受信の期間には、第１の送信／受信レイヤＴＬ１／ＲＬ１が使用され、ＨＡＲＱプロセスＨＡＲＱ−１が、第１の送信／受信レイヤＴＬ１／ＲＬ１のデータブロックにマッピングされる。ランク２の送信／受信の期間には、第１の送信／受信レイヤＴＬ１／ＲＬ１及び第２の送信／受信レイヤＴＬ２／ＲＬ２が使用され、ＨＡＲＱプロセスＨＡＲＱ−１が、第１の送信／受信レイヤＴＬ１／ＲＬ１のデータブロックにマッピングされ、ＨＡＲＱプロセスＨＡＲＱ−２が、第２の送信／受信レイヤＴＬ２／ＲＬ２のデータブロックにマッピングされる。ランク３の送信／受信の期間には、第１の送信／受信レイヤＴＬ１／ＲＬ１、第２の送信／受信レイヤＴＬ２／ＲＬ２及び第３の送信／受信レイヤＴＬ３／ＲＬ３が使用され、ＨＡＲＱプロセスＨＡＲＱ−１が、第１の送信／受信レイヤＴＬ１／ＲＬ１のデータブロックにマッピングされ、ＨＡＲＱプロセスＨＡＲＱ−２が、第２の送信／受信レイヤＴＬ２／ＲＬ２及び第３の送信／受信レイヤＴＬ３／ＲＬ３のデータブロックにマッピングされる。ランク４の送信／受信の期間には、第１の送信／受信レイヤＴＬ１／ＲＬ１、第２の送信／受信レイヤＴＬ２／ＲＬ２、第３の送信／受信レイヤＴＬ３／ＲＬ３及び第４の送信／受信レイヤＴＬ４／ＲＬ４が使用され、ＨＡＲＱプロセスＨＡＲＱ−１が、第１の送信／受信レイヤＴＬ１／ＲＬ１及び第４の送信／受信レイヤＴＬ４／ＲＬ４のデータブロックにマッピングされ、ＨＡＲＱプロセスＨＡＲＱ−２が、第２の送信／受信レイヤＴＬ２／ＲＬ２及び第３の送信／受信レイヤＴＬ３／ＲＬ３のデータブロックにマッピングされる。このように、（各送信／受信レイヤによりサポートされる）ＭＩＭＯレイヤは、データブロック（又はデータブロックのストリーム）が送信される論理チャネルを定義する。
【００８７】
本発明概念の実施形態によると、無線端末プロセッサ１０１のＭＡＣ−ｅｈｓにおけるＨＡＲＱプロセスは、図６に示すＭＡＣ機能を提供する。図６は、無線端末２００におけるＭＡＣ（メディアアクセス制御）機能を示す図である。図６に示すように、１つのＨＡＲＱエンティティは、ＨＳ−ＤＳＣＨ（高速下りリンク共有チャネル）毎に１ユーザに対するＨＡＲＱ機能を扱う。１つのＨＡＲＱエンティティは、ストップアンドウェイトＨＡＲＱプロトコルの複数のインスタンス（複数のＨＡＲＱプロセス）をサポートできる。いくつかの実施形態によると、ＨＳ−ＤＳＣＨ毎に１つのＨＡＲＱエンティティが存在し、単一ストリーム（ランク１）送信の場合、ＴＴＩ（送信時間間隔）毎に１つのＨＡＲＱプロセスが存在し、２ストリーム（ランク２）送信、３ストリーム（ランク３）送信及び４ストリーム（ランク４）の送信の場合、ＴＴＩ（送信時間間隔）毎に２つのＨＡＲＱプロセスが存在する。
【００８８】
３つの下りリンクストリームを使用するＭＩＭＯ送信／受信（ランク３）の場合及び４つの下りリンクストリームを使用するＭＩＭＯ送信／受信（ランク４）の場合、２つのＨＡＲＱプロセスのみがサポートされるため、ソフトバッファのマッピングは、ランク４の下りリンク送信／受信の場合は図７Ａのテーブルに従って提供され、ランク３の下りリンク送信／受信の場合は図７Ｂのテーブルに従って提供される。なお、図７Ａのどの組み合わせがランク４の下りリンク送信に使用されてもよく、図７Ｂのどの組み合わせがランク３の下りリンク送信に使用されてもよい。共有ＨＡＲＱプロセス（shared HARQ process）（即ち、２つ以上のストリーム／レイヤにより共有されるＨＡＲＱプロセス）についてのデータインジケータが、下りリンクで新しいデータが初めて送信されたことを示す（例えば、データインジケータのビットが切り替えられた）場合には常に、当該共有ＨＡＲＱプロセスに関連する両方／全てのストリームについてのソフトバッファはクリアされる必要がある。共有ＨＡＲＱプロセス（即ち、２つ以上のストリーム／レイヤにより共有されるＨＡＲＱプロセス）についてのデータインジケータが、古いデータが再送されていることを示す場合には常に、共有ＨＡＲＱプロセスに関連する両方／全てのストリームについてのソフトバッファは各データストリームの再送データと合成される必要がある。
【００８９】
ランク１の送信の場合、第１のＨＡＲＱプロセスは、単一の下りリンク・データストリームに対して（例えば、第１の送信レイヤを定義するＴＢ１、ＣＥ１、ＩＭ１及び／又はＳＳ１を使用して送信され、且つ、第１の受信レイヤを定義するＤＭ１、ＳＢ１及び／又はＣＤ１を使用して受信される下りリンクストリームに対して）使用される。したがって、１つのデータインジケータフラグが、下りリンク・データストリームの１つのトランスポートデータブロックについて基地局により送信され、無線端末２００は、ＤＭ１、ＳＢ１及びＣＤ１を使用して１つのトランスポートデータブロックを受信する。トランスポートデータブロックが新しい／最初の送信であることをデータインジケータが示す場合、無線端末２００は、ソフトバッファＳＢ１をクリアし、チャネル復号器ＣＤ１を使用して復号しようと試みる。トランスポートデータブロックが以前に失敗した送信の再送であることをデータインジケータが示す場合、無線端末２００は、（復調器／デインタリーバＤＭ１により生成される）再送のソフトビットとソフトバッファＳＢ１からのソフトビットとを合成し、当該合成したものを、チャネル復号器ＣＤ１を使用して復号しようと試みる。チャネル復号器ＣＤ１が送信／再送を正しく復号できる場合、ＡＣＫメッセージが生成されて（例えば、ＨＡＲＱ符号語とも称するＨＡＲＱ−ＡＣＫ符号語の要素として）基地局１００へ送信される。チャネル復号器ＣＤ１が送信／再送を復号できない場合、ＮＡＣＫメッセージが生成されて（例えば、ＨＡＲＱ符号語とも称するＨＡＲＱ−ＡＣＫ符号語の要素として）基地局１００へ送信される。このように、単一のＨＡＲＱプロセス（データインジケータ、ＮＡＣＫメッセージ及び／又はＡＣＫメッセージを含む）は、ランク／レイヤ１の下りリンク・データストリームで送信された各トランスポートデータブロックにマッピングする。
【００９０】
ランク２の送信の場合、第１のＨＡＲＱプロセス（データインジケータ、ＮＡＣＫメッセージ及び／又はＡＣＫメッセージを含む）は、（例えば、第１の送信レイヤを定義するＴＢ１、ＣＥ１、ＩＭ１及び／又はＳＳ１を使用して送信され、且つ、第１の受信レイヤを定義するＤＭ１、ＳＢ１及び／又はＣＤ１を使用して受信される下りリンクストリームについての）ランク２の送信の第１のストリームで送信された各トランスポートデータブロックにマッピングし、第２のＨＡＲＱプロセス（データインジケータ、ＮＡＣＫメッセージ及び／又はＡＣＫメッセージを含む）は、（例えば、第３の送信レイヤを定義するＴＢ３、ＣＥ３、ＩＭ３及び／又はＳＳ３を使用して送信され、且つ、第３の受信レイヤを定義するＤＭ３、ＳＢ３及び／又はＣＤ３を使用して受信される下りリンクストリームについての）ランク２の送信の第２のストリームで送信された各トランスポートデータブロックにマッピングする。このように、第１のＨＡＲＱプロセス及び第２のＨＡＲＱプロセスの各々は、ランク２の送信の各ストリームのトランスポートデータブロックに対して、ランク／レイヤ１の送信に関して上述したように動作する。換言すると、各データインジケータは、同一のＴＦＲＥの期間に受信された各トランスポートデータブロックに対して提供され、各下りリンク・データストリームに対するソフトバッファは、各データインジケータに応じて個別にクリアされるか、又は再送合成のために維持され、各ＡＣＫ／ＮＡＣＫメッセージは、同一のＴＦＲＥの期間に受信されたトランスポートデータブロックごとに生成されて基地局１００へ送信される。
【００９１】
しかし、より高次の送信ランク／レイヤの場合、ＨＡＲＱプロセスは、上りリンク・フィードバックシグナリングを低減するために、２つ以上の下りリンク・データストリームにより共有される。ランク３の下りリンク送信の場合、第１のＨＡＲＱプロセス（ＴＦＲＥ毎に１つのデータインジケータ及び１つのＡＣＫ／ＮＡＣＫメッセージを含む）は、トランスポートデータブロックの第１のストリーム及び第２のストリームにマッピングし、第２のＨＡＲＱプロセス（ＴＦＲＥ毎に１つのデータインジケータ及び１つのＡＣＫ／ＮＡＣＫメッセージを含む）は、トランスポートデータブロックの第３のストリームにマッピングする。ランク３の下りリンク送信の場合、例えば、第１のＨＡＲＱプロセスは、（例えば、第１の送信レイヤを定義するＴＢ１、ＣＥ１、ＩＭ１及び／又はＳＳ１を使用して送信され、且つ、第１の受信レイヤを定義するＤＭ１、ＳＢ１及び／又はＣＤ１を使用して受信される下りリンクストリームについての）ランク３の送信の第１のストリームで送信された各トランスポートデータブロックにマッピングし、且つ、（例えば、第２の送信レイヤを定義するＴＢ２、ＣＥ２、ＩＭ２及び／又はＳＳ２を使用して送信され、且つ、第２の受信レイヤを定義するＤＭ２、ＳＢ２及び／又はＣＤ２を使用して受信される下りリンクストリームについての）ランク３の送信の第２のストリームで送信された各トランスポートデータブロックにマッピングし、第２のＨＡＲＱプロセスは、（例えば、第３の送信レイヤを定義するＴＢ３、ＣＥ３、ＩＭ３及び／又はＳＳ３を使用して送信され、且つ、第３の受信レイヤを定義するＤＭ３、ＳＢ３及び／又はＣＤ３を使用して受信される下りリンクストリームについての）ランク３の送信の第３のストリームで送信された各トランスポートデータブロックにマッピングする。このように、ランク３の送信の期間には、第１のストリーム及び第２のストリームが同一のＨＡＲＱプロセスにバンドルされる（bundled）ように、第１のＨＡＲＱプロセスは、同一のＴＦＲＥを使用して送信される第１のストリーム及び第２のストリームのデータブロックにより共有される。したがって、ランク３の送信の期間には、１つのＨＡＲＱ  ＡＣＫ／ＮＡＣＫメッセージ及び１つのデータインジケータが、第１のストリーム及び第２のストリームについての同一のＴＦＲＥの両方のデータブロックにマッピングされる。それに対して、第２のＨＡＲＱプロセスは、第３のデータストリームのみに適用され、その結果、１つのＨＡＲＱ  ＡＣＫ／ＮＡＣＫメッセージ及び１つのデータインジケータが、第３のストリームの各ＴＦＲＥの１つのデータブロックにマッピングされる。
【００９２】
従って、ランク３の送信の期間には、第１、第２及び第３のトランスポートデータブロックは、第１、第２及び第３のストリームをそれぞれ介して同一のＴＦＲＥの期間に送信される。第１のデータインジケータは、基地局１００によって、第１の下りリンク・データストリームの第１のトランスポートデータブロック及び第２の下りリンク・データストリームの第２のトランスポートデータブロックの両方について送信される。第１のデータインジケータが新しい／最初の送信を示す場合、無線端末２００は、ソフトバッファＳＢ１及びＳＢ２をクリアし、チャネル復号器ＣＤ１及びＣＤ２を使用して第１のトランスポートデータブロック及び第２のトランスポートデータブロックを復号しようと試みる。第１のデータインジケータが再送を示す場合、無線端末２００は、（復調器／デインタリーバＤＭ１及びＤＭ２により生成される）第１のトランスポートデータブロック及び第２のトランスポートデータブロックのソフトビットと、各ソフトバッファＳＢ１及びＳＢ２からのソフトビットとを合成し、当該合成したものを、各チャネル復号器ＣＤ１及びＣＤ２を使用して復号しようと試みる。両方のチャネル復号器ＣＤ１及びＣＤ２が送信／再送を正しく復号できる場合、ＡＣＫメッセージが生成されて（例えば、ＨＡＲＱ符号語とも称する共有ＨＡＲＱ−ＡＣＫ符号語の要素として）基地局１００へ送信される。チャネル復号器ＣＤ１又はＣＤ２のいずれかが送信／再送を復号できない場合、ＮＡＣＫメッセージが生成されて（例えば、ＨＡＲＱ符号語とも称する共有ＨＡＲＱ−ＡＣＫ符号語の要素として）基地局１００へ送信される。このように、第１のＨＡＲＱプロセス（単一のデータインジケータ及び単一のＡＣＫ／ＮＡＣＫメッセージを含む）は、同一のＴＦＲＥの期間に異なる下りリンク・データストリームで送信される２つのトランスポートデータブロックにより共有される。第２のデータインジケータは、基地局１００によって、第３のストリームの第３のトランスポートデータブロックについて送信され、第３のトランスポートデータブロックが最初の送信であることを第２のデータインジケータが示す場合、ソフトバッファＳＢ３はクリアされ、あるいは、第３のトランスポートデータブロックが再送であることを第２のデータインジケータが示す場合、ソフトバッファＳＢ３は合成復号するために維持される。チャネル復号器ＣＤ３が送信／再送を正しく復号できる場合、ＡＣＫメッセージが生成されて（例えば、ＨＡＲＱ符号語とも称するＨＡＲＱ−ＡＣＫ符号語の要素として）基地局１００へ送信される。チャネル復号器ＣＤ３が送信／再送を復号できない場合、ＮＡＣＫメッセージが生成されて（例えば、ＨＡＲＱ符号語とも称するＨＡＲＱ−ＡＣＫ符号語の要素として）基地局１００へ送信される。
【００９３】
いくつかの実施形態に係るランク／レイヤ４の下りリンク送信の場合、第１のＨＡＲＱプロセスは、（例えば、第１の送信レイヤを定義するＴＢ１、ＣＥ１、ＩＭ１及び／又はＳＳ１を使用して送信され、且つ、第１の受信レイヤを定義するＤＭ１、ＳＢ１及び／又はＣＤ１を使用して受信される下りリンクストリームについての）第１のストリームと、（例えば、第２の送信レイヤを定義するＴＢ２、ＣＥ２、ＩＭ２及び／又はＳＳ２を使用して送信され、且つ、第２の受信レイヤを定義するＤＭ２、ＳＢ２及び／又はＣＤ２を使用して受信される下りリンクストリームについての）第２のストリームとの間で共有され、第２のＨＡＲＱプロセスは、（例えば、第３の送信レイヤを定義するＴＢ３、ＣＥ３、ＩＭ３及び／又はＳＳ３を使用して送信され、且つ、第３の受信レイヤを定義するＤＭ３、ＳＢ３及び／又はＣＤ３を使用して受信される下りリンクストリームについての）第３のストリームと、（例えば、第４の送信レイヤを定義するＴＢ４、ＣＥ４、ＩＭ４及び／又はＳＳ４を使用して送信され、且つ、第４の受信レイヤを定義するＤＭ４、ＳＢ４及び／又はＣＤ４を使用して受信される下りリンクストリームについての）第４のストリームとの間で共有される。いずれか２つのデータストリームの間でのＨＡＲＱプロセスの共有は、ランク３の送信の期間における第１のデータストリームと第２のデータストリームとの間での第１のＨＡＲＱプロセスの共有に関して上述したのと同一である。ＨＡＲＱプロセスが２つのストリームの間で共有される場合、ＨＡＲＱプロセスは、ＨＡＲＱプロセスを共有する全てのデータストリームについて、ＴＦＲＥ毎に１つのデータインジケータ及び１つのＡＣＫ／ＮＡＣＫメッセージを提供する。以下では、図８Ａ及び図８Ｂのフローチャートに関して、複数のデータストリームにより共有されるＨＡＲＱプロセスの動作について更に詳細に説明する。
【００９４】
図８Ａは、本発明概念のいくつかの実施形態に係る共有ＨＡＲＱプロセスを使用して複数のＭＩＭＯデータストリームを送信する基地局の動作を示し、図８Ｂは、本発明概念のいくつかの実施形態に係る共有ＨＡＲＱプロセスを使用して複数のＭＩＭＯデータストリームを受信する無線端末の動作を示す。基地局及び無線端末の動作は交互的に行われるため、図８Ａ及び図８Ｂの動作を同時に説明する。
【００９５】
図８Ａに示すように、ブロック８１１において、基地局プロセッサ１０１は、ＨＡＲＱプロセスについて、ＨＡＲＱプロセスが単一のＭＩＭＯデータストリームに適用されているか又はＨＡＲＱプロセスが複数の（例えば、２つの）ＭＩＭＯデータストリームにより共有されているかを判定する。ＨＡＲＱプロセスが１つのＭＩＭＯデータストリームのみに適用されている場合、ブロック８１５において、ＨＡＲＱプロセスは単一のＭＩＭＯデータストリームに単独で適用され、それにより、先行のＴＦＲＥからの（無線端末２００から受信される）１つのＡＣＫ／ＮＡＣＫメッセージは、現在のＴＦＲＥについての単一のＭＩＭＯデータストリームのみに適用され、また、１つのデータインジケータは、現在のＴＦＲＥについての単一のＭＩＭＯデータストリームのみに適用される。
【００９６】
ブロック８１１において、ＨＡＲＱプロセスが複数のＭＩＭＯデータストリームにより共有されている場合、基地局プロセッサ１０１は、先行のＴＦＲＥで複数のＭＩＭＯデータストリームで送信されたトランスポートデータブロックに応答してＡＣＫメッセージ又はＮＡＣＫメッセージが受信されたかを判定する。上述のように、１つのＡＣＫ又はＮＡＣＫメッセージが、ＨＡＲＱプロセスを共有する複数のデータストリームについて無線端末２００により送信される。
【００９７】
ブロック８１７において、ＡＣＫメッセージが先行のＴＦＲＥ送信に対して受信された場合、ブロック８１９において、基地局プロセッサ１０１は、ＨＡＲＱプロセスを共有するデータストリームについて、現在のＴＦＲＥの期間に送信される全てのトランスポートデータブロックについての新しいデータの最初の送信を示すデータインジケータを生成して送信する。ブロック８２１において、基地局プロセッサ１０１は、ＨＡＲＱプロセスを共有する全てのデータストリームについて、新しいトランスポートデータブロックを生成して送信する。
【００９８】
ブロック８１７において、ＮＡＣＫメッセージが先行のＴＦＲＥに対して受信された場合、ブロック８３１において、基地局プロセッサ１０１は、ＨＡＲＱプロセスを共有するデータストリームについて、現在のＴＦＲＥの期間に送信される全てのトランスポートデータブロックについての先行データの再送を示すデータインジケータを生成して送信する。ブロック８３３において、基地局プロセッサ１０１は、ＨＡＲＱプロセスを共有する全てのデータストリームについて、以前に送信されたトランスポートデータブロックを再送する。このように、単一のＮＡＣＫメッセージにより、結果として、ＨＡＲＱプロセスを共有する全てのデータストリームについてトランスポートデータブロックが再送される。
【００９９】
図８Ｂに示すように、ブロック８４９におけるＴＦＲＥについてのデータの受信に応じて、ブロック８５１において、無線端末プロセッサ２０１は、ＨＡＲＱプロセスについて、ＨＡＲＱプロセスが単一のＭＩＭＯデータストリームに適用されているか又はＨＡＲＱプロセスが複数（例えば２つ）のＭＩＭＯデータストリームにより共有されているかを判定する。ＨＡＲＱプロセスが１つのＭＩＭＯデータストリームのみに適用されている場合、ステップ８５３において、ＨＡＲＱプロセスは単一のＭＩＭＯデータストリームに単独で適用され、それにより、１つのＡＣＫ／ＮＡＣＫメッセージは、単一のＭＩＭＯデータストリームのみについて生成され、データインジケータは、現在のＴＦＲＥについての単一のＭＩＭＯデータストリームのみに適用される。４アンテナシステムに関して上述したように、例えば、第１のＨＡＲＱプロセス（ＨＡＲＱ−１）は、ランク１、ランク２及びランク３の送信／受信の場合に（例えば、ＴＢ１、ＣＥ１、ＩＭ１、ＤＭ１、ＳＢ１及び／又はＣＤ１を使用する）第１のＭＩＭＯデータストリームに単独で適用され、第２のＨＡＲＱプロセス（ＨＡＲＱ−２）は、ランク２の送信／受信の場合に（例えば、ＴＢ２、ＣＥ２、ＩＭ２、ＤＭ２、ＳＢ２及び／又はＣＤ２を使用する）第２のＭＩＭＯデータストリームに個別に適用される。
【０１００】
ブロック８５１において、ＨＡＲＱプロセスが複数のＭＩＭＯデータストリームにより共有されている場合、ブロック８５５において、無線端末プロセッサ２０１は、（基地局１００により送信される）データインジケータが、トランスポートデータブロックが新しいデータの最初の送信であることを示すか、又は先行のＴＦＲＥで送信された古いデータの再送であることを示すかを判定する。４アンテナシステムに関して上述したように、例えば、第１のＨＡＲＱプロセス（ＨＡＲＱ−１）は、ランク４の送信／受信の場合に（例えば、ＴＢ１、ＣＥ１、ＩＭ１、ＤＭ１、ＳＢ１及び／又はＣＤ１を使用する）第１のＭＩＭＯデータストリーム及び（例えば、ＴＢ４、ＣＥ４、ＩＭ４、ＤＭ４、ＳＢ４及び／又はＣＤ４を使用する）第４のＭＩＭＯデータストリームにより共有され、第２のＨＡＲＱプロセス（ＨＡＲＱ−２）は、ランク３及びランク４の送信／受信の場合に（例えば、ＴＢ２、ＣＥ２、ＩＭ２、ＤＭ２、ＳＢ２及び／又はＣＤ２を使用する）第２のＭＩＭＯデータストリーム及び（例えば、ＴＢ３、ＣＥ３、ＩＭ３、ＤＭ３、ＳＢ３及び／又はＣＤ３を使用する）第３のＭＩＭＯデータストリームにより共有される。
【０１０１】
共有ＨＡＲＱプロセスのトランスポートデータブロックが新しいデータの最初の送信である場合、ブロック８６１において、ＨＡＲＱプロセスを共有するデータストリームの全てのソフトバッファが（１つのデータインジケータに応じて）クリアされ、ブロック８６３において、ＨＡＲＱプロセスを共有するデータストリームの各トランスポートデータブロックが個別に復調されることで、各トランスポートデータブロックについてのソフトビットが生成される。その後、ブロック８６５において、各トランスポートデータブロックについてのソフトビットが復号されることで、元のトランスポートデータブロックが生成される。ブロック８６７において、ＨＡＲＱプロセスを共有するＭＩＭＯデータストリームの（現在のＴＦＲＥの）現在のトランスポートデータブロックの全てが正しく復号された場合、ブロック８６９において、ＨＡＲＱプロセスを共有する全てのトランスポートデータブロックに対して、１つのＡＣＫメッセージが生成されて基地局１００へ送信される。ブロック８６７において、ＨＡＲＱプロセスを共有するＭＩＭＯデータストリームの（現在のＴＦＲＥの）現在のトランスポートデータブロックのうちの１つが復号に失敗した場合、ブロック８７１において、ＨＡＲＱプロセスを共有する全てのトランスポートデータブロックに対して、１つのＮＡＣＫメッセージが生成されて基地局１００へ送信される。
【０１０２】
ブロック８５５において、共有ＨＡＲＱプロセスのトランスポートデータブロックが再送である場合、ブロック８８１において、ＨＡＲＱプロセスを共有するデータストリームの全てのソフトバッファが（再送を示す１つのデータインジケータに応じて）維持され、ブロック８８３において、ＨＡＲＱプロセスを共有するデータストリームの各トランスポートデータブロックが個別に復調されることで、各トランスポートデータブロックについてのソフトビットが生成される。その後、ブロック８８５において、各トランスポートデータブロックについてのソフトビットが、各ソフトバッファからの対応するソフトビットと合成され、ブロック８８７において、古いソフトビットと新しいソフトビットとの合成が個別に復号されることで、元のトランスポートデータブロックが生成される。ブロック８６７において、ＨＡＲＱプロセスを共有するＭＩＭＯデータストリームの（現在のＴＦＲＥの）現在のトランスポートデータブロックの全てが正しく復号された場合、ブロック８６９において、ＨＡＲＱプロセスを共有する全てのトランスポートデータブロックに対して、１つのＡＣＫメッセージが生成されて基地局１００へ送信される。ブロック８６７において、ＨＡＲＱプロセスを共有するＭＩＭＯデータストリームの（現在のＴＦＲＥの）現在のトランスポートデータブロックのうちの１つが復号に失敗した場合、ブロック８７１において、ＨＡＲＱプロセスを共有する全てのトランスポートデータブロックに対して、１つのＮＡＣＫメッセージが生成されて基地局１００へ送信される。
【０１０３】
ＨＡＲＱ符号語のディメンジョニングを用いて最大で４つのＭＩＭＯデータストリームをサポートする多重ＨＡＲＱ符号語ＭＩＭＯシステムでは、例えば２つのＨＡＲＱ符号語が、ランク３の送信の場合は３つのＭＩＭＯデータストリーム／レイヤにマッピングされ、ランク４の送信の場合は４つのＭＩＭＯデータストリーム／レイヤにマッピングされる。ランク３の下りリンク送信の場合、例えば、第１のＨＡＲＱプロセス（ＨＡＲＱ−１）は、（例えば、第１の送信レイヤＴＬ１を定義するＴＢ１、ＣＥ１、ＩＭ１及び／又はＳＳ１を使用して送信され、且つ、第１の受信レイヤＲＬ１を定義するＤＭ１、ＳＢ１及び／又はＣＤ１を使用して受信される下りリンクストリームについての）ランク３の送信の第１のストリームで送信される各トランスポートデータブロックと、（例えば、第２の送信レイヤＴＬ２を定義するＴＢ２、ＣＥ２、ＩＭ２及び／又はＳＳ２を使用して送信され、且つ、第２の受信レイヤＲＬ２を定義するＤＭ２、ＳＢ２及び／又はＣＤ２を使用して受信される下りリンクストリームについての）ランク３の送信の第２のストリームで送信される各トランスポートデータブロックとにマッピングし、第２のＨＡＲＱプロセス（ＨＡＲＱ−２）は、（例えば、第３の送信レイヤＴＬ３を定義するＴＢ３、ＣＥ３、ＩＭ３及び／又はＳＳ３を使用して送信され、且つ、第３の受信レイヤＲＬ３を定義するＤＭ３、ＳＢ３及び／又はＣＤ３を使用して受信される下りリンクストリームについての）ランク３の送信の第３のストリームで送信される各トランスポートデータブロックにマッピングする。ランク４の下りリンク送信の場合、第１のＨＡＲＱプロセス（ＨＡＲＱ−１）は、（例えば、第１の送信レイヤＴＬ１を定義するＴＢ１、ＣＥ１、ＩＭ１及び／又はＳＳ１を使用して送信され、且つ、第１の受信レイヤＲＬ１を定義するＤＭ１、ＳＢ１及び／又はＣＤ１を使用して受信される下りリンクストリームについての）ランク４の送信の第１のストリームで送信される各トランスポートデータブロックと、（例えば、第２の送信レイヤＴＬ２を定義するＴＢ２、ＣＥ２、ＩＭ２及び／又はＳＳ２を使用して送信され、且つ、第２の受信レイヤＲＬ２を定義するＤＭ２、ＳＢ２及び／又はＣＤ２を使用して受信される下りリンクストリームについての）ランク４の第２のストリームで送信される各トランスポートデータブロックとにマッピングし、第２のＨＡＲＱプロセス（ＨＡＲＱ−２）は、（例えば、第３の送信レイヤＴＬ３を定義するＴＢ３、ＣＥ３、ＩＭ３及び／又はＳＳ３を使用して送信され、且つ、第３の受信レイヤＴＬ３を定義するＤＭ３、ＳＢ３及び／又はＣＤ３を使用して受信される下りリンクストリームについての）ランク４の送信の第３のストリームと、（例えば、第４の送信レイヤＴＬ４を定義するＴＢ４、ＣＥ４、ＩＭ４及び／又はＳＳ４を使用して送信され、且つ、第４の受信レイヤＲＬ４を定義するＤＭ４、ＳＢ４及び／又はＣＤ４を使用して受信される下りリンクストリームについての）ランク４の送信の第４のストリームで送信される各トランスポートデータブロックとにマッピングする。ＨＡＲＱプロセスのこのような共有をバンドル（bundling）及び／又は共有とも称す���。
【０１０４】
更に上述したように、ＨＡＲＱプロセスを共有するデータブロックのいずれかが各チャネル復号器において正しく復号されない場合（例えば、ランク３又はランク４の送信の期間に、第１のＨＡＲＱプロセス（ＨＡＲＱ−１）を共有するチャネル復号器ＣＤ１又はＣＤ２のいずれかにおいてデータブロックが失敗した場合、あるいは、ランク４の送信の期間に、第２のＨＡＲＱプロセス（ＨＡＲＱ−２）を共有するチャネル復号器ＣＤ３又はＣＤ４のいずれかにおいてデータブロックが失敗した場合）、バンドル／共有ＨＡＲＱプロセスについての単一のＮＡＣＫが基地局１００へ送信され、失敗したデータブロックの両方についてのソフトビットが、失敗したデータブロックの再送とのその後の合成のために（各チャネル復号器及び／又はＨＡＲＱプロセスに対応する）各ソフトバッファに保存される。しかし、無線端末２００により要求される送信ランクが最初のデータブロックの送信と失敗したデータブロックの再送との間で変化する場合、更新されたランクが、失敗したデータブロックについての共有ＨＡＲＱプロセスをサポートしていないと、再送は複雑になる。より具体的には、ソフトバッファは各ＨＡＲＱプロセスにマッピングされ、その結果、更新された送信ランクに従うバンドルＨＡＲＱプロセスのマッピングが両方のソフトバッファを含まない場合には、それぞれのソフトバッファのうちの一方又は両方に保存されたソフトビットを使用できない。したがって、基地局１００は、更新されたランクを使用して、失敗したバンドルデータブロックを再送できず、当該失敗したバンドルデータブロックの再送における遅延が増大する。
【０１０５】
３つ又は４つのデータブロックを送信するために１つのＴＦＲＥを使用するランク３又はランク４の送信において、例えば、第１のデータブロックは、（例えば、ＴＢ１、ＣＥ１、ＩＭ１及び／又はＳＳ１を含む）第１の送信レイヤＴＬ１を使用して送信され、且つ、（例えば、ＤＭ１、ＳＢ１及び／又はＣＤ１を含む）第１の受信レイヤＲＬ１を使用して受信され、第２のデータブロックは、（例えば、ＴＢ２、ＣＥ２、ＩＭ２及び／又はＳＳ２を含む）第２の送信レイヤＴＬ２を使用して送信され、且つ、（例えば、ＤＭ２、ＳＢ２及び／又はＣＤ２を含む）第２の受信レイヤＲＬ２を使用して受信される。第１のデータブロック又は第２のデータブロックのいずれか又は両方が各チャネル復号器ＣＤ１及び／又はＣＤ２において復号に失敗した場合、無線端末２００は、バンドルされた第１のデータパケット及び第２のデータパケットの失敗を示す単一のＮＡＣＫメッセージを基地局１００へ送信し、（各変調器／デインタリーバＤＭ１及びＤＭ２からの）第１のデータブロック及び第２のデータブロックのソフトビットは、第１のデータブロック及び第２のデータブロックの再送とのその後の合成のために各ソフトバッファＳＢ１及びＳＢ２に保存される。しかし、送信ランクがランク１又はランク２に低減される場合、（例えば、ＴＢ２、ＣＥ２、ＩＭ２及び／又はＳＳ２を含む）第２の送信レイヤＴＬ２及び（例えば、ＤＭ２、ＳＢ２及び／又はＣＤ２を含む）第２の受信レイヤＲＬ２に沿った送信／受信がサポートされないため、（ソフトバッファＳＢ１及びＳＢ２の両方を含む）第１のＨＡＲＱプロセスＨＡＲＱ−１を使用して第１のデータパケット及び第２のデータパケットの並列送信を行うことができない。
【０１０６】
同様に、１つのＴＦＲＥを使用するランク４の送信において、例えば、第３のデータブロックは、（例えば、ＴＢ３、ＣＥ３、ＩＭ３及び／又はＳＳ３を含む）第３の送信レイヤＴＬ３を使用して送信され、且つ、（例えば、ＤＭ３、ＳＢ３及び／又はＣＤ３を含む）第３の受信レイヤＲＬ３を使用して受信され、第４のデータブロックは、（例えば、ＴＢ４、ＣＥ４、ＩＭ４及び／又はＳＳ４を含む）第４の送信レイヤＴＬ４を使用して送信され、且つ、（例えば、ＤＭ４、ＳＢ４及び／又はＣＤ４を含む）第４の受信レイヤＲＬ４を使用して受信される。第３のデータブロック及び／又は第４のデータブロックのいずれか又は両方が各チャネル復号器ＣＤ３及び／又はＣＤ４において復号に失敗した場合、無線端末２００は、バンドルされた第３のデータブロック及び第４のデータブロックの失敗を示す単一のＮＡＣＫメッセージを基地局１００へ送信し、（各変調器／デインタリーバＤＭ３及びＤＭ４からの）第３のデータブロック及び第４のデータブロックのソフトビットは、第３のデータブロック及び第４のデータブロックの再送とのその後の合成のために各ソフトバッファＳＢ３及びＳＢ４に保存される。しかし、送信ランクがランク１、ランク２又はランク３に低減される場合、第３の送信／受信レイヤ及び／又は第４の送信／受信レイヤに沿った送信／受信がサポートされないため、（ソフトバッファＳＢ３及びＳＢ４の両方を含む）第２のＨＡＲＱプロセスＨＡＲＱ−２を使用して第３のデータパケット及び第４のデータパケットの並列送信を行うことができない。
【０１０７】
いくつかの実施形態によると、基地局１００は、以前に無線端末２００へ送信された全てのデータブロックに対してＡＣＫが受信されるか又は最大回数の再送が行われるまで、無線端末２００に対する下りリンク送信ランクの変更を遅らせる。したがって、（各ソフトバッファを含む）送信／受信レイヤへのＨＡＲＱプロセスのマッピングは、共有／バンドルＨＡＲＱプロセスを使用して最初に送信された、失敗したデータブロックを再送するために、必要に応じて維持される。しかし、下りリンクチャネルの状態は２〜３つの連続する送信時間間隔にわたり比較的遅い速度で変化するため、最初のチャネル復号器の失敗の原因となった、下りリンクチャネルの相対的に低い送信品質は、相対的に低いままであり、そのため、失敗したデータブロックの復号の成功及びＣＲＣの検証を行うには、更に多くの再送が必要である。しかし、再送の回数を増加させると、より高い処理レイヤへのデータブロックの転送の遅延が増大し、且つ／又は、残留ブロック誤り率が増加する。
【０１０８】
本発明概念の実施形態によると、失敗したデータパケットを最初に送信したときに使用した下りリンク送信ランクと異なる下りリンク送信ランクを無線端末２００が報告／要求する場合、基地局プロセッサ１０１は、図１０〜図１３のマッピングテーブルを使用して、（例えば、バンドルＨＡＲＱプロセスに関連する）失敗したデータパケットを再送する。以下では、ＭＩＭＯ送信ランク１、２、３及び４をサポートする４つの送信ＭＩＭＯアンテナ及び４つの受信ＭＩＭＯアンテナを含むシステムに対する図９〜図１３のテーブルに関して、本発明概念の実施形態を更に詳細に説明する。４つの送信ＭＩＭＯアンテナ及び４つの受信ＭＩＭＯアンテナに関する実施形態を例として説明するが、本発明概念の実施形態は、３つ以下及び／又は５つ以上のＭＩＭＯ送受信アンテナを含むシステムに適用されてもよい。
【０１０９】
いくつかの実施形態によると、基地局プロセッサ１０１は、複数のデータブロックに対する（例えば、ランク３及び／又はランク４の送信の期間にチャネル復号器ＣＤ１及びＣＤ２を含む第１の送信／受信レイヤ及び第２の送信／受信レイヤを使用して送信／受信される、及び／又は、ランク４の送信の期間にチャネル復号器ＣＤ３及びＣＤ４を含む第３の送信／受信レイヤ及び第４の送信／受信レイヤを使用して送信／受信される、同一のＴＦＲＥの第１のデータブロック及び第２のデータブロックに対する）バンドルされたＨＡＲＱ  ＡＣＫ／ＮＡＣＫメッセージに対してＮＡＣＫが生成される場合に、バンドルされたデータブロックが、バンドルされたＨＡＲＱ  ＮＡＣＫメッセージについてのＨＡＲＱプロセスのマッピングを維持するように選択されたランクを使用して再送されるように、再送アルゴリズムに従って動作する。例えば、基地局プロセッサ１０１は、無線端末２００が、より低いランクを要求／勧告した場合でも、最初の送信に使用したランクと少なくとも同じ高さのランクを維持する。いくつかの実施形態によると、無線端末２００が、より低い下りリンク送信ランクを要求／勧告した場合でも、基地局プロセッサ１０１は、バンドルされたデータパケットの再送に対して同一の送信ランクを維持し、それにより、最初の送信及び後続の再送の両方について各送信レイヤ及び受信レイヤへの（バンドルされたＮＡＣＫメッセージが受信された）ＨＡＲＱプロセスのマッピングを維持する。
【０１１０】
図９に示すように、基地局プロセッサ１０１は、フィードバックチャネルを介して無線端末２００から受信した下りリンク送信ランクの要求及び／又は勧告に応じて、無線端末２００への後続の下りリンク送信についての下りリンク（ＤＬ）送信ランクを選択するが、バンドルＨＡＲＱプロセスに対して受信されたＨＡＲＱ  ＮＡＣＫメッセージに応じて何らかのバンドルされたデータブロックの再送が要求される場合、基地局プロセッサ１０１は、異なるＤＬ送信ランクを選択する。ブロック９０１において、新しいＤＬ送信ランクについての要求／勧告が無線端末２００から受信された場合、ブロック９０３において、基地局プロセッサ１０１は、何らかのバンドルされたデータブロックの無線端末２００への再送が必要かを判定する。より具体的には、２つのデータブロックが、ＨＡＲＱプロセスを共有する送信／受信レイヤで同一のＴＦＲＥを使用して送信され、いずれか又は両方のデータブロックが無線端末２００において復号に失敗した場合、無線端末２００からの共有／バンドルＨＡＲＱ  ＮＡＣＫメッセージによって、２つのデータブロックの再送が要求される。
【０１１１】
ブロック９０３において、再送が不要である場合（例えば、共有／バンドルＨＡＲＱプロセスを使用して以前に送信されたデータブロックの全てが、ＡＣＫを用いて肯定応答されているか、又は最大許容回数の再送が行われた場合）、ブロック９０７において、基地局プロセッサ１０１は、要求及び／又は勧告されたＤＬ送信ランクを続ける。しかし、ブロック９０３において、共有／バンドルＨＡＲＱプロセスを使用して以前に送信されたデータブロックの再送が必要である場合、ブロック９０５において、基地局プロセッサ１０１は、そのような再送についてＨＡＲＱプロセスのマッピングを維持するようにＤＬ送信ランクを選択する。以下では、図１０〜図１３のマッピングテーブルに関して、ブロック９０５のＤＬ送信ランクの選択を更に詳細に説明する。ブロック９０３において、以前に失敗した、バンドルされたデータブロックの全てが（ＨＡＲＱ  ＡＣＫメッセージにより示されるように）誤りなく送信されるか、又は最大許容回数の再送が行われると、ブロック９０７において、基地局プロセッサ１０１は、要求及び／又は勧告されたＤＬ送信ランクを続ける。
【０１１２】
図１０〜図１３のマッピングテーブルは、ＨＡＲＱ−１及びＨＡＲＱ−２として特定される２つのＨＡＲＱプロセスを用いる４つの送信／受信レイヤを含む、本発明概念の実施形態に係る送信ランクを選択する基地局プロセッサ１０１の動作を示す。例えば、第１の送信レイヤＴＬ１及び受信レイヤＲＬ１は、図４及び図５のＴＢ１、ＣＥ１、ＩＭ１、ＳＳ１、ＤＭ１、ＳＢ１及び／又はＣＤ１を使用して実現され、第２の送信レイヤＴＬ２及び受信レイヤＲＬ２は、図４及び図５のＴＢ２、ＣＥ２、ＩＭ２、ＳＳ２、ＤＭ２、ＳＢ２及び／又はＣＤ２を使用して実現され、第３の送信レイヤＴＬ３及び受信レイヤＲＬ３は、図４及び図５のＴＢ３、ＣＥ３、ＩＭ３、ＳＳ３、ＤＭ３、ＳＢ３及び／又はＣＤ３を使用して実現され、第４の送信レイヤＴＬ４及び受信レイヤＲＬ４は、図４及び図５のＴＢ４、ＣＥ４、ＩＭ４、ＳＳ４、ＤＭ４、ＳＢ４及び／又はＣＤ４を使用して実現される。更に、ランク１及びランク２の送信の場合、第１のＨＡＲＱプロセスＨＡＲＱ−１は、第１の送信レイヤＴＬ１及び受信レイヤＲＬ１のみに（バンドル／共有せずに）マッピングし、ランク３及びランク４の下りリンク送信の場合、第１のＨＡＲＱプロセスＨＡＲＱ−１は、第１の送信／受信レイヤＴＬ１及びＲＬ１と第２の送信／受信レイヤＴＬ２及びＲＬ２との両方に（バンドル／共有して）マッピングする。ランク２及びランク３の下りリンク送信の場合、第２のＨＡＲＱプロセスＨＡＲＱ−２は、第３の送信レイヤＴＬ３及び受信レイヤＲＬ３のみに（バンドル／共有せずに）マッピングし、ランク４の送信の場合、第２のＨＡＲＱプロセスＨＡＲＱ−２は、第３の送信／受信レイヤＴＬ３及びＲＬ３と第４の送信／受信レイヤＴＬ４及びＲＬ４との両方に（バンドル／共有して）マッピングする。ランク１の下りリンク送信の場合、第２のＨＡＲＱプロセスＨＡＲＱ−２は使用されない。
【０１１３】
図１０〜図１３の各テーブルにおいて、「最初の送信」項目は、各ＨＡＲＱプロセス（即ち、ＨＡＲＱ−１及び／又はＨＡＲＱ−２）についての最新の下りリンク送信に対応する（無線端末２００から受信される）最新のＨＡＲＱ−ＡＣＫ／ＮＡＣＫメッセージの状態を特定する。より具体的には、Ｐ（成功）は、ＨＡＲＱプロセスに関連する全てのデータブロックの復号の成功を示す、それぞれのＨＡＲＱプロセスに対して受信されたＨＡＲＱ  ＡＣＫメッセージを表し、Ｆ（失敗）は、ＨＡＲＱプロセスに関連するいずれか１つのデータブロックの復号の失敗を示す、それぞれのＨＡＲＱプロセスに対して受信されたＨＡＲＱ  ＮＡＣＫメッセージを表し、「−−」は、ＨＡＲＱプロセスが使用されないことを表す（例えば、ランク１の下りリンク送信の場合、ＨＡＲＱ−２は使用されない）。「ＵＥが報告したランク」項目は、無線端末２００により報告された要求／勧告された下りリンク送信ランク（ランクとも称する）を特定し、「スケジューリングされるランク」項目は、基地局プロセッサ１０１により実際にスケジューリングされる下りリンク送信ランクを特定する。「再送」のＨＡＲＱ−１の列は、新たなトランスポートデータブロック（ＮＴ）の新たな送信が各ＨＡＲＱプロセスについて許可されるか、以前に送信されたデータブロック（ＯＴ）の再送が各ＨＡＲＱプロセスについて実行されるか、又は、各ＨＡＲＱプロセスについて送信が実行されないか（「−−」）、を特定する。
【０１１４】
図１０のテーブルは、最初のランク１の下りリンク送信が、第１の送信／受信レイヤＴＬ１及びＲＬ１にマッピングされた第１のＨＡＲＱプロセスＨＡＲＱ−１を使用して実行される場合の、基地局プロセッサ１０１のランクスケジューリングを示す。したがって、最初の送信は、送信／受信レイヤＴＬ１及びＲＬ１を使用して送信／受信される単一のデータブロックのみを含み、ＨＡＲＱ−１プロセスについての結果として得られるＡＣＫ／ＮＡＣＫメッセージは、単一のデータブロックのみにマッピングする（即ち、単一のデータブロックがＣＤ１において復号に成功した場合にＡＣＫメッセージが生成され、単一のデータブロックがＣＤ１において復号に失敗した場合にＮＡＣＫメッセージが生成される）。単一のデータブロックが復号に成功した（Ｐ）（それにより、ＡＣＫメッセージが受信される）場合（即ち、図１０の１行目、３行目、５行目及び７行目）、基地局プロセッサ１０１は、無線端末２００により勧告／要求されたランクをスケジューリングし、新しいデータＮＴは、ＵＥが報告したランクに従って送信される。ランク４がスケジューリングされた場合、図１０の１行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロック及び第４のデータブロックは、同一のＴＦＲＥを使用して、ＨＡＲＱ−２とバンドルされた送信／受信レイヤＴＬ３／ＲＬ３及びＴＬ４／ＲＬ４をそれぞれ介して送信される。ランク３がスケジューリングされた場合、図１０の３行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロックは、同一のＴＦＲＥを使用して、バンドルせずにＨＡＲＱ−２を使用して送信／受信レイヤＴＬ３／ＲＬ３で送信される。ランク２がスケジューリングされた場合、図１０の５行目に示すように、新しい第１のデータブロックは、ＴＦＲＥを使用して、バンドルせずにＨＡＲＱ−１を使用して送信／受信レイヤＴＬ１／ＲＬ１で送信され、第２のデータブロックは、ＴＦＲＥを使用して、バンドルせずにＨＡＲＱ−２を使用して送信／受信レイヤＴＬ３／ＲＬ３で送信される。ランク１がスケジューリングされた場合、図１０の７行目に示すように、新しい第１のデータブロックは、ＴＦＲＥを使用して、バンドルせずにＨＡＲＱ−１を使用して送信／受信レイヤＴＬ１／ＲＬ１で送信され、ＨＡＲＱ−２は、ＴＦＲＥの期間中、使用されないままである。
【０１１５】
単一のデータブロックが復号に失敗した（Ｆ）（それにより、ＮＡＣＫメッセージが受信される）場合（図１０の２行目、４行目、６行目及び８行目）、基地局プロセッサ１０１は、報告されたランクを考慮するものの、基地局プロセッサ１０１は、失敗したデータブロックの再送をサポートするために、ＨＡＲＱプロセスのマッピングを維持するように下りリンク送信ランクをスケジューリングする。図１０の２行目、４行目及び６行目に示すように、無線端末２００が、より高いランクを報告する（即ち、最初のランクが１であり、報告されるランクが２、３又は４である）場合、基地局プロセッサ１０１は、ＴＦＲＥを使用する最初に失敗したデータブロック（ＯＴ）の再送について、ＨＡＲＱ−１が送信／受信レイヤＴＬ１／ＲＬ１のみに（バンドル／共有せずに）マッピングされた状態を維持するように、ランク２の送信がスケジューリングされるようにしつつ、ＨＡＲＱ−２を送信／受信レイヤＴＬ３及びＲＬ３のみに（バンドル／共有せずに）マッピングして、当該ＴＦＲＥを使用して新しいデータブロック（ＮＴ）が送信されるようにする。図１０の２行目、４行目及び６行目におけるランク２のスケジューリングの代わりに、基地局プロセッサ１０１は、ＨＡＲＱ−２を使用して新しいデータブロックを送信することなく、ＨＡＲＱ−１を送信／受信レイヤＴＬ１及びＲＬ１のみにマッピングした状態を維持して、失敗したデータブロックを再送するように、ランク１をスケジューリングしてもよい。図１０の８行目に示すように、報告されたランクが最初のランクと同一である場合、スケジューリングされるランクは変化せず、このため、ＨＡＲＱ−１の送信／受信レイヤＴＬ１／ＲＬ１へのマッピングは変化せず、失敗したデータブロックは、ＨＡＲＱ−１の同一のマッピングを使用して再送される。
【０１１６】
図１１のテーブルは、最初のランク２の下りリンク送信が、第１の送信／受信レイヤＴＬ１及びＲＬ１に（バンドル／共有せずに）マッピングされた第１のＨＡＲＱプロセスＨＡＲＱ−１を使用して、且つ、第３の送信／受信レイヤＴＬ３及びＲＬ３に（バンドル／共有せずに）マッピングされた第２のＨＡＲＱプロセスＨＡＲＱ−２を使用して実行される場合の、基地局プロセッサ１０１のランクスケジューリングを示す。したがって、最初の送信は、送信／受信レイヤＴＬ１及びＲＬ１を使用して送信／受信される第１のデータブロックと、送信／受信レイヤＴＬ３及びＲＬ３を使用して送信／受信される第２のデータブロックとを含む。ＨＡＲＱ−１プロセスについての結果として得られるＡＣＫ／ＮＡＣＫメッセージは、第１のデータブロックのみにマッピングし（即ち、第１のデータブロックがＣＤ１において復号に成功した場合にＡＣＫメッセージが生成され、第１のデータブロックがＣＤ１において復号に失敗した場合にＮＡＣＫメッセージが生成される）、ＨＡＲＱ−１プロセスについての結果として得られるＡＣＫ／ＮＡＣＫメッセージは、第２のデータブロックのみにマッピングする（即ち、第２のデータブロックがＣＤ３において復号に成功した場合にＡＣＫメッセージが生成され、第２のデータブロックがＣＤ３において復号に失敗した場合にＮＡＣＫメッセージが生成される）。
【０１１７】
第１のデータブロック及び第２のデータブロックの両方が復号に成功した（Ｐ）（それにより、２つのＡＣＫメッセージが受信される）場合（即ち、１行目、５行目、９行目及び１３行目）、基地局プロセッサ１０１は、無線端末２００により勧告／要求されたランクをスケジューリングし、新しいデータＮＴは、ＵＥが報告したランクに従って送信される。ランク４がスケジューリングされた場合、図１１の１行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロック及び第４のデータブロックは、同一のＴＦＲＥを使用して、ＨＡＲＱ−２とバンドルされた送信／受信レイヤＴＬ３／ＲＬ３及びＴＬ４／ＲＬ４をそれぞれ介して送信される。ランク３がスケジューリングされた場合、図１１の５行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロックは、同一のＴＦＲＥを使用して、バンドルせずにＨＡＲＱ−２を使用して送信／受信レイヤＴＬ３／ＲＬ３で送信される。ランク２がスケジューリングされた場合、図１１の９行目に示すように、新しい第１のデータブロックは、ＴＦＲＥを使用して、バンドルせずにＨＡＲＱ−１を使用して送信／受信レイヤＴＬ１／ＲＬ１で送信され、第２のデータブロックは、ＴＦＲＥを使用して、バンドルせずにＨＡＲＱ−２を使用して送信／受信レイヤＴＬ３／ＲＬ３で送信される。ランク１がスケジューリングされた場合、図１１の１３行目に示すように、新しい第１のデータブロックは、ＴＦＲＥを使用して、バンドルせずにＨＡＲＱ−１を使用して送信／受信レイヤＴＬ１／ＲＬ１で送信され、ＨＡＲＱ−２は、ＴＦＲＥの期間中、使用されないままである。
【０１１８】
（図１１の９行目、１０行目、１１行目及び１２行目のように）無線端末２００が最初のランクと同一である勧告／要求ランク２を報告する場合、基地局プロセッサ１０１は、最初に送信されたデータブロックの成功／失敗状態に関係なく、同一のスケジューリングされるランク（即ち、ランク２）を維持する。最初のランク２の送信の状態Ｐ／Ｆに関係なく、ＨＡＲＱ−１及びＨＡＲＱ−２についてのランク２のＨＡＲＱプロセスの同一のマッピングが、次の送信／再送に対して維持される。したがって、第１のデータブロック及び第２のデータブロック（ＯＴ）の一方又は両方の再送は、同一のＨＡＲＱマッピングを使用してサポートされ、且つ／あるいは、最初の復号が成功したいずれか又は両方のＨＡＲＱプロセスについて新しいデータブロックが送信される。
【０１１９】
（図１１の３行目、４行目、７行目及び８行目のように）無線端末２００が、より高いランク（即ち、ランク３又はランク４）を報告し、且つ、最初の送信の（バンドル／共有せずにＨＡＲＱ−１にマッピングされた）第１のデータブロックの復号に失敗した（Ｆ）ことでＨＡＲＱ−１  ＮＡＣＫメッセージが生成される場合、基地局プロセッサ１０１は、ランク２を選択して、同一の下りリンク送信ランクを維持する。このように、ＨＡＲＱ−１及びＨＡＲＱ−２についてのランク２のＨＡＲＱプロセスの同一のマッピングは、失敗した第１のデータブロックの再送と、第２のデータブロックが失敗した場合の、ＨＡＲＱ−２を使用する第２のデータブロックについての想定される再送、又は最初の第２のデータブロックが成功した場合の、ＨＡＲＱ−２を使用する新しいデータブロックの送信と、のために維持される。図１１の７行目の１つの選択肢によれば、ＨＡＲＱ−２の第２のデータブロックが成功した場合、基地局プロセッサ１０１は、ＨＡＲＱ−２を使用して新しいデータブロックを送信せずに、ＨＡＲＱ−１の第１のデータブロックの再送をサポートするために、より低いランク１の送信をスケジューリングしてもよい。
【０１２０】
（図１１の２行目及び６行目のように）無線端末２００が、より高いランク（即ち、ランク３又はランク４）を報告し、最初の送信の（バンドル／共有せずにＨＡＲＱ−１にマッピングされた）第１のデータブロックの復号に成功し（Ｐ）、且つ、最初の送信の（バンドル／共有せずにＨＡＲＱ−２にマッピングされた）第２のデータブロックの復号に失敗した（Ｆ）ことでＨＡＲＱ−２  ＮＡＣＫメッセージが生成される場合、基地局プロセッサ１０１は、ランク３を選択して（図１１の２行目及び６行目）、（共有／バンドルせずに）ＨＡＲＱ−２の送信／受信レイヤＴＬ３／ＲＬ３への同一のマッピングを維持する一方で、ＨＡＲＱ−１プロセスを使用した２つの新しいデータブロックＮＴの送信を可能にするために、ＨＡＲＱ−１が送信／受信レイヤＴＬ１／ＲＬ１及びＴＬ２／ＲＬ２にマッピングされるようにする。換言すると、ＨＡＲＱ−２の送信／受信レイヤＴＬ３／ＲＬ３へのマッピング（共有／バンドルなし）が、ランク２の送信及びランク３の送信の両方で同一であるため、第２のデータブロックが失敗した場合でも、より高いランクが許可される。ＨＡＲＱ−１のマッピングがランク２の送信とランク３の送信とで異なるが、最初のＨＡＲＱ−１データブロックが成功したため、ＨＡＲＱ−１の同一のマッピングは不要である。したがって、ＨＡＲＱ−２の再送をサポートすると同時に、より高いデータレートの（失敗した１つのＨＡＲＱ−２データパケットの再送及び２つの新しいＨＡＲＱ−１データパケットの送信を可能にする）ランク３の送信が許可される。
【０１２１】
図１１の１４行目において、最初の送信の（ＨＡＲＱ−１の）第１のデータブロックが成功し（Ｐ）、最初の送信の第２のデータブロック（ＨＡＲＱ−２）が失敗し（Ｆ）、且つ、無線端末２００がランク１を報告する場合、基地局プロセッサは、（バンドル／共有せずに）ＨＡＲＱ−２を使用して送信／受信レイヤＴＬ３／ＲＬ３で最初の送信の第２のデータブロックを再送する、別のランク１の送信をスケジューリングする。図１１の１４行目の別の選択肢において、ＨＡＲＱ−１を使用する、送信／受信レイヤＴＬ１／ＲＬ１を介した新しいデータブロックの送信と、ＨＡＲＱ−２を使用する、送信／受信レイヤＴＬ３／ＲＬ３を介した第２のデータブロックの再送とをサポートするために、ランク２がスケジューリングされてもよい。
【０１２２】
図１１の１５行目において、最初の送信の（ＨＡＲＱ−１の）第１のデータブロックが失敗し（Ｆ）、最初の送信の第２のデータブロック（ＨＡＲＱ−２）が成功し（Ｐ）、且つ、無線端末２００がランク１を報告する場合、基地局プロセッサ１０１は、（バンドル／共有せずに）ＨＡＲＱ−１を使用して送信／受信レイヤＴＬ１／ＲＬ１で最初の送信の第１のデータブロックを再送する、従来のランク１の送信をスケジューリングする。図１１の１６行目において、最初の送信の第１のデータブロック（ＨＡＲＱ−１）及び第２のデータブロック（ＨＡＲＱ−２）の両方が失敗し（Ｆ）、且つ、無線端末２００がランク１を報告する場合、基地局プロセッサ１０１は、失敗したデータブロックの両方の再送のために、ＨＡＲＱ−１の送信／受信レイヤＴＬ１／ＲＬ１へのマッピングと、ＨＡＲＱ−２の送信／受信レイヤＴＬ３／ＲＬ３へのマッピングとを維持するために、ランク２の送信を強制する。
【０１２３】
図１２のテーブルは、最初のランク３の下りリンク送信が、第１の送信／受信レイヤＴＬ１／ＲＬ１及び第２の送信／受信レイヤＴＬ２／ＲＬ２に（バンドル／共有して）マッピングされた第１のＨＡＲＱプロセスＨＡＲＱ−１を使用して、且つ、第３の送信／受信レイヤＴＬ３及びＲＬ３に（バンドル／共有せずに）マッピングされた第２のＨＡＲＱプロセスＨＡＲＱ−２を使用して実行される場合の、基地局プロセッサ１０１のランクスケジューリングを示す。このため、最初の送信は、送信／受信レイヤＴＬ１／ＲＬ１を使用して送信／受信される第１のデータブロックと、送信／受信レイヤＴＬ２／ＲＬ２を使用して送信／受信される第２のデータブロックと、送信／受信レイヤＴＬ３／ＲＬ３を使用して送信／受信される第３のデータブロックとを含む。したがって、ＨＡＲＱ−１プロセスについての結果として得られるＡＣＫ／ＮＡＣＫメッセージは、第１のデータブロック及び第２のデータブロックにマッピングし（即ち、第１のデータブロック及び第２のデータブロックの両方がＣＤ１及びＣＤ２において復号に成功した場合にＡＣＫメッセージが生成され、第１のデータブロック及び第２のデータブロックのいずれか又は両方がＣＤ１／ＣＤ２において復号に失敗した場合にＮＡＣＫメッセージが生成される）、ＨＡＲＱ−１プロセスについての結果として得られるＡＣＫ／ＮＡＣＫメッセージは、第３のデータブロックのみにマッピングする（即ち、第３のデータブロックがＣＤ３において復号に成功した場合にＡＣＫメッセージが生成され、第３のデータブロックがＣＤ３において復号に失敗した場合にＮＡＣＫメッセージが生成される）。
【０１２４】
（図１２の１行目、５行目、９行目及び１３行目のように）第１、第２及び第３のデータブロックのそれぞれが復号に成功することによりＨＡＲＱ−１及びＨＡＲＱ−２の両方が成功する（Ｐ）（即ち、それにより２つのＡＣＫメッセージが受信される）場合、基地局プロセッサ１０１は、無線端末２００により勧告／要求されたランクをスケジューリングし、新しいデータＮＴは、ＵＥが報告したランクに従って送信される。ランク４がスケジューリングされた場合、図１２の５行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロック及び第４のデータブロックは、同一のＴＦＲＥを使用して、ＨＡＲＱ−２とバンドルされた送信／受信レイヤＴＬ３／ＲＬ３及びＴＬ４／ＲＬ４をそれぞれ介して送信される。ランク３がスケジューリングされた場合、図１２の１行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロックは、同一のＴＦＲＥを使用して、バンドルせずにＨＡＲＱ−２を使用して第３の送信／受信レイヤＴＬ３／ＲＬ３で送信される。ランク２がスケジューリングされた場合、図１２の９行目に示すように、新しい第１のデータブロックは、ＴＦＲＥを使用して、バンドルせずにＨＡＲＱ−１を使用して送信／受信レイヤＴＬ１／ＲＬ１で送信され、第２のデータブロックは、ＴＦＲＥを使用して、バンドルせずにＨＡＲＱ−２を使用して送信／受信レイヤＴＬ３／ＲＬ３で送信される。ランク１がスケジューリングされた場合、図１２の１３行目に示すように、新しい第１のデータブロックは、ＴＦＲＥを使用して、バンドルせずにＨＡＲＱ−１を使用して送信／受信レイヤＴＬ１／ＲＬ１で送信され、ＨＡＲＱ−２は、ＴＦＲＥの期間中、使用されないままである。
【０１２５】
（図１２の１行目、２行目、３行目及び４行目のように）無線端末２００が最初のランクと同一である勧告／要求ランク３を報告する場合、基地局プロセッサ１０１は、同一のスケジューリングされるランク（即ち、ランク３）を維持する。最初のランク３の送信の状態Ｐ／Ｆに関係なく、ＨＡＲＱ−１及びＨＡＲＱ−２についてのランク３のＨＡＲＱプロセスの同一のマッピングが、次の送信／再送に対して維持される。したがって、ＨＡＲＱ−１の第１のデータブロック及び第２のデータブロック（ＯＴ）の再送、並びに／又は、ＨＡＲＱ−２の第３のデータブロック（ＯＴ）の再送が、同一のＨＡＲＱマッピングを使用してサポートされ、且つ／あるいは、最初の復号が成功したいずれか又は両方のＨＡＲＱプロセスについて新しいデータブロックが送信される。
【０１２６】
（図１２の６行目及び８行目のように）無線端末２００が、より高いランク（即ち、ランク４）を報告し、且つ、最初の送信の（バンドル／共有せずにＨＡＲＱ−２にマッピングされた）第３のデータブロックの復号に失敗した（Ｆ）ことでＨＡＲＱ−２  ＮＡＣＫメッセージが生成される場合、基地局プロセッサ１０１は、ランク３を維持して、ＨＡＲＱ−１及びＨＡＲＱ−２についてのランク３のＨＡＲＱプロセスの同一のマッピングを維持する。したがって、必要となるいかなる再送もサポートされる。
【０１２７】
（図１２の５行目及び７行目のように）無線端末２００が、より高いランク（即ち、ランク４）を報告し、且つ、最初の送信の（バンドル／共有せずにＨＡＲＱ−２にマッピングされた）第３のデータブロックの復号に成功したことでＨＡＲＱ−２  ＡＣＫメッセージが生成される場合、基地局プロセッサ１０１は、ランク４をスケジューリングし、それにより、ＨＡＲＱ−１は、送信／受信レイヤＴＬ１／ＲＬ１及びＴＬ２／ＲＬ２にマッピングされ、ＨＡＲＱ−２は、送信／受信レイヤＴＬ３／ＲＬ３及びＴＬ４／ＲＬ４にマッピングされる。この場合、ＨＡＲＱ−１のマッピングが、ランク３とランク４との間で変化しないことで、図１２の７行目に示すように、必要に応じて、ＨＡＲＱ−１にマッピングされた第１のデータブロック及び第２のデータブロックの再送がサポートされる。
【０１２８】
（図１２の９行目及び１０行目のように）無線端末２００がランク２を報告し、且つ、（共有／バンドルしてＨＡＲＱ−１にマッピングされた）第１のデータブロック及び第２のデータブロックの復号に成功したことでＨＡＲＱ−１  ＡＣＫメッセージが生成される場合、基地局プロセッサ１０１は、ランク２をスケジューリングし、それにより、ＨＡＲＱ−１は、送信／受信レイヤＴＬ１／ＲＬ１に（共有／バンドルせずに）マッピングされ、ＨＡＲＱ−２は、送信／受信レイヤＴＬ３／ＲＬ３に（共有／バンドルせずに）マッピングされる。したがって、ＨＡＲＱ−２の送信／受信レイヤＴＬ３／ＲＬ３へのマッピングは、ランク２の下りリンク送信及びランク３の下りリンク送信で同一である。最初のＨＡＲＱ−１送信の第１のデータブロック及び第２のデータブロックの両方の復号に成功したため、ＨＡＲＱ−１プロセスを使用する再送は不要であり、ＨＡＲＱ−１プロセスの再マッピングは、ＨＡＲＱ−１の再送に影響を及ぼすことなく行われうる。
【０１２９】
（図１２の１１行目及び１２行目のように）無線端末２００がランク２を報告し、且つ、（共有／バンドルしてＨＡＲＱ−１にマッピングされた）第１のデータブロック及び第２のデータブロックのいずれか又は両方の復号に失敗した（Ｆ）ことでＨＡＲＱ−１  ＮＡＣＫメッセージが生成される場合、基地局プロセッサ１０１は、ＨＡＲＱ−１及びＨＡＲＱ−２のマッピングが変化しないように、（図１２の１１行目及び１２行目のように）ランク３のスケジューリングを継続する（即ち、ＨＡＲＱ−１は、送信／受信レイヤＴＬ１／ＲＬ１及びＴＬ２／ＲＬ２にマッピングし、ＨＡＲＱ−２は、送信／受信レイヤＴＬ３／ＲＬ３にマッピングする）。したがって、ＨＡＲＱ−１の第１のデータブロック及び第２のデータブロックの再送がサポートされるとともに、ＨＡＲＱ−２の第３のデータブロックの再送は必要に応じてサポートされる（図１２の１２行目）。
【０１３０】
図１２の１４行目において、最初の送信の（ＨＡＲＱ−１にマッピングされた）第１のデータブロック及び第２のデータブロックが成功し（Ｐ）、最初の送信の（ＨＡＲＱ−２にマッピングされた）第３のデータブロックが失敗し（Ｆ）、且つ、無線端末２００がランク１を報告する場合、基地局プロセッサ１０１は、ＨＡＲＱ−２を使用して（バンドル／共有せずに）送信／受信レイヤＴＬ３／ＲＬ３で最初の送信の第３のデータブロックを再送する、別のランク１の送信をスケジューリングする。１４行目における別の選択肢において、基地局プロセッサは、新しいデータブロックが送信／受信レイヤＴＬ１／ＲＬ１及びＨＡＲＱ−１を使用して送信され、且つ、第３のデータブロックが再送されるように、従来のランク２をスケジューリングしてもよい。
【０１３１】
図１２の１５行目及び１６行目において、最初の送信の（ＨＡＲＱ−１にマッピングされた）第１及び第２のデータブロックのいずれか又は両方が失敗し（Ｆ）、且つ、無線端末２００がランク１を報告する場合、基地局プロセッサ１０１は、ランク３のスケジューリングを継続して、ＨＡＲＱ−１にマッピングされる第１のデータブロック及び第２のデータブロックの再送をサポートする。
【０１３２】
図１３のテーブルは、最初のランク４の下りリンク送信が、第１の送信／受信レイヤＴＬ１／ＲＬ１及び第２の送信／受信レイヤＴＬ２／ＲＬ２に（バンドル／共有して）マッピングされた第１のＨＡＲＱプロセスＨＡＲＱ−１と、第３の送信／受信レイヤＴＬ３／ＲＬ３及び第４の送信／受信レイヤＴＬ４／ＲＬ４に（バンドル／共有して）マッピングされた第２のＨＡＲＱプロセスＨＡＲＱ−２とを使用して実行される場合の、基地局プロセッサ１０１のランクスケジューリングを示す。したがって、最初の送信は、送信／受信レイヤＴＬ１／ＲＬ１を使用して送信／受信される第１のデータブロックと、送信／受信レイヤＴＬ２／ＲＬ２を使用して送信／受信される第２のデータブロックと、送信／受信レイヤＴＬ３／ＲＬ３を使用して送信／受信される第３のデータブロックと、送信／受信レイヤＴＬ４／ＲＬ４を使用して送信／受信される第４のデータブロックとを含む。したがって、ＨＡＲＱ−１プロセスについての結果として得られるＡＣＫ／ＮＡＣＫメッセージは、第１のデータブロック及び第２のデータブロックにマッピングし（即ち、第１のデータブロック及び第２のデータブロックの両方がＣＤ１及びＣＤ２において復号に成功した場合にＡＣＫメッセージが生成され、第１のデータブロック及び第２のデータブロックのいずれか又は両方がＣＤ１／ＣＤ２において復号に失敗した場合にＮＡＣＫメッセージが生成される）、ＨＡＲＱ−１プロセスについての結果として得られるＡＣＫ／ＮＡＣＫメッセージは、第３のデータブロック及び第４のデータブロックにマッピングする（即ち、第３のデータブロック及び第４のデータブロックの両方がＣＤ３及びＣＤ４において復号に成功した場合にＡＣＫメッセージが生成され、第３のデータブロック及び第４のデータブロックのいずれか又は両方がＣＤ３／ＣＤ４において復号に失敗した場合にＮＡＣＫメッセージが生成される）。
【０１３３】
（図１３の１行目、５行目、９行目及び１３行目のように）第１、第２、第３及び第４のデータブロックの全ての復号に成功することで、ＨＡＲＱ−１及びＨＡＲＱ−２の両方が成功した（Ｐ）（即ち、それにより２つのＡＣＫメッセージが受信される）場合、基地局プロセッサ１０１は、無線端末２００により勧告／要求されたランクをスケジューリングし、新しいデータＮＴは、ＵＥが報告したランクに従って送信される。ランク４がスケジューリングされた場合、図１３の１行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロック及び第４のデータブロックは、同一のＴＦＲＥを使用して、ＨＡＲＱ−２とバンドルされた送信／受信レイヤＴＬ３／ＲＬ３及びＴＬ４／ＲＬ４をそれぞれ介して送信される。ランク３がスケジューリングされた場合、図１３の５行目に示すように、新しい第１のデータブロック及び第２のデータブロックは、同一のＴＦＲＥを使用して、ＨＡＲＱ−１とバンドルされた送信／受信レイヤＴＬ１／ＲＬ１及びＴＬ２／ＲＬ２をそれぞれ介して送信され、新しい第３のデータブロックは、同一のＴＦＲＥを使用して、バンドルせずにＨＡＲＱ−２を使用して第３の送信／受信レイヤＴＬ３／ＲＬ３で送信される。ランク２がスケジューリングされた場合、図１３の９行目に示すように、新しい第１のデータブロックは、ＴＦＲＥを使用して、バンドルせずにＨＡＲＱ−１を使用して送信／受信レイヤＴＬ１／ＲＬ１で送信され、第２のデータブロックは、ＴＦＲＥを使用して、バンドルせずにＨＡＲＱ−２を使用して送信／受信レイヤＴＬ３／ＲＬ３で送信される。ランク１がスケジューリングされた場合、図１３の１３行目に示すように、新しい第１のデータブロックは、ＴＦＲＥを使用して、バンドルせずにＨＡＲＱ−１を使用して送信／受信レイヤＴＬ１／ＲＬ１で送信され、ＨＡＲＱ−２は、ＴＦＲＥの期間中、使用されないままである。
【０１３４】
（図１３の１行目、２行目、３行目及び４行目のように）無線端末２００が最初のランクと同一である勧告／要求ランク４を報告する場合、基地局プロセッサ１０１は、同一のスケジューリングされるランク（即ち、ランク４）を維持する。最初のランク４の送信の状態Ｐ／Ｆに関係なく、ＨＡＲＱ−１及びＨＡＲＱ−２についてのランク４のＨＡＲＱプロセスの同一のマッピングが、次の送信／再送に対して維持される。したがって、ＨＡＲＱ−１の第１のデータブロック及び第２のデータブロック（ＯＴ）の再送、並びに／又は、ＨＡＲＱ−２の第３のデータブロック及び第４のデータブロック（ＯＴ）の再送は、同一のＨＡＲＱマッピングを使用してサポートされ、且つ／あるいは、最初の復号が成功したいずれか又は両方のＨＡＲＱプロセスについて新しいデータブロックが送信される。
【０１３５】
（図１３の６行目、８行目、１０行目、１２行目、１４行目又は１６行目のように）無線端末２００が、より低いランク（例えば、ランク３、ランク２又はランク１）を報告し、且つ、（共有／バンドルしてＨＡＲＱ−２にマッピングされた）第３のデータブロック又は第４のデータブロックのいずれか又は両方の復号に失敗した（Ｆ）ことでＨＡＲＱ−２  ＮＡＣＫメッセージが生成される場合、基地局プロセッサ１０１は、第３のデータブロック及び第４のデータブロックの再送をサポートするためにＨＡＲＱ−２が第３の送信／受信レイヤＴＬ３／ＲＬ３及び第４の送信／受信レイヤＴＬ４／ＲＬ４にマッピングされるように、ランク４のスケジューリングを継続する。ランク４を継続することにより、ＨＡＲＱ−１は、送信／受信レイヤＴＬ１／ＲＬ１及びＴＬ２／ＲＬ２にマッピングされ続け、必要に応じて（共有／バンドルしてＨＡＲＱ−１にマッピングされた）第１のデータブロック及び第２のデータブロックの再送をサポートする（例えば、図１３の８行目、１２行目又は１６行目）か、あるいは、２つの新しいデータブロックがＨＡＲＱ−１を使用して送信される（例えば、図１３の６行目、１０行目又は１４行目）。
【０１３６】
（図１３の５行目及び７行目のように）無線端末２００がランク３を報告し、且つ、（共有／バンドルしてＨＡＲＱ−２にマッピングされた）第３のデータブロック及び第４のデータブロックが復号に成功した（Ｐ）ことでＨＡＲＱ−２  ＡＣＫメッセージが生成される場合、基地局プロセッサ１０１は、ランク３をスケジューリングし、それにより、ＨＡＲＱ−１は、第１の送信／受信レイヤＴＬ１／ＲＬ１及び第２の送信／受信レイヤＴＬ２／ＲＬ２に（バンドル／共有して）マッピングされて、必要に応じて第１のデータブロック及び第２のデータブロックの再送をサポートし、ＨＡＲＱ−２は第３の送信／受信レイヤＴＬ３／ＲＬ３に（バンドル／共有せずに）マッピングされる。
【０１３７】
（図１３の１１行目のように）無線端末２００がランク２を報告し、且つ、（共有／バンドルしてＨＡＲＱ−１にマッピングされた）第１のデータブロック及び第２のデータブロックのいずれか又は両方の復号に失敗したことでＨＡＲＱ−１  ＮＡＣＫメッセージが生成され、且つ、（ＨＡＲＱ−２にマッピングされた）第３のデータブロック及び第４のデータブロックの復号に成功したことでＨＡＲＱ−２  ＡＣＫメッセージが生成される場合、基地局プロセッサ１０１は、ＨＡＲＱ−１が送信／受信レイヤＴＬ１／ＲＬ１及びＴＬ２／ＲＬ２に（バンドル／共有されて）マッピングされ、且つ、ＨＡＲＱ−２が送信／受信レイヤＴＬ３／ＲＬ３に（バンドル／共有せずに）マッピングされるように、ランク３をスケジューリングする。したがって、第１のデータブロック及び第２のデータブロックの再送をサポートするために、ＨＡＲＱ−１の送信／受信レイヤＴＬ１／ＲＬ１及びＴＬ２／ＲＬ２へのマッピングは、ランク３とランク４とで同一である。最初のＨＡＲＱ−２送信の第３のデータブロック及び第４のデータブロックの両方の復号に成功したため、ＨＡＲＱ−１プロセスを使用する再送は不要であり、ＨＡＲＱ−１プロセスの再マッピングは、ＨＡＲＱ−２の再送に影響を及ぼすことなく行われうる。
【０１３８】
図１３の１５行目において、無線端末２００がランク１を報告し、（共有／バンドルしてＨＡＲＱ−１にマッピングされた）第１のデータブロック及び第２のデータブロックのいずれか又は両方の復号に失敗した（Ｆ）ことでＨＡＲＱ−１  ＮＡＣＫメッセージが生成され、且つ、（共有／バンドルしてＨＡＲＱ−２にマッピングされた）第３のデータブロック及び第４のデータブロックの両方の復号に成功した（Ｐ）ことでＨＡＲＱ−２  ＡＣＫメッセージが生成される場合、基地局プロセッサ１０１は、ＨＡＲＱ−１のマッピングが変化しないように、ランク３をスケジューリングする（即ち、ＨＡＲＱ−１は、送信／受信レイヤＴＬ１／ＲＬ１及びＴＬ２／ＲＬ２にマッピングする）。したがって、ＨＡＲＱ−１の第１のデータブロック及び第２のデータブロックの再送がサポートされ、ＨＡＲＱ−２は、新しいデータブロックの送信のために送信／受信レイヤＴＬ３／ＲＬ３に（バンドル／共有せずに）マッピングされる。
【０１３９】
図１０〜図１３のテーブルに記載したように、Ｐは、各ＨＡＲＱプロセスについてのＡＣＫを表し、Ｆは、各ＨＡＲＱプロセスについてのＮＡＣＫを表す。更に、ＮＴ（新しい送信、new transmission）は、新しいデータブロックの新しい送信を表し、ＯＴ（古い送信、old transmission）は、関連するＨＡＲＱプロセスがＮＡＣＫを生成した、以前に送信されたデータブロックの再送を表す。
【０１４０】
上述の実施形態によると、無線基地局プロセッサ１０１は、無線端末２００により報告された（例えば、要求／勧告された）ランクに応じて、後続の下りリンク送信についてのＭＩＭＯ送信ランクを選択するものの、先行の下りリンク送信に使用された１つ以上のＨＡＲＱプロセスに関してＮＡＣＫが受信された場合、基地局プロセッサ１０１は、報告されたランクと異なるランクを選択しうる。より具体的には、ＨＡＲＱプロセスが先行の下りリンク送信に関してＮＡＣＫを生成した場合、無線端末２００は、先行の下りリンク送信からのＨＡＲＱプロセスのマッピングを維持するＭＩＭＯ送信ランクを選択するために、報告されたランクと異なるランクを選択しうる。２つのＨＡＲＱプロセスが、最大で４つの下りリンク・データストリーム（即ち、最大でランク４）をサポートする４アンテナシステムで使用される場合、最初の下りリンク送信がランク２以上を有し、且つ、両方のＨＡＲＱプロセスがＮＡＣＫを生成するときには、基地局プロセッサ１０１は、両方のＨＡＲＱプロセスの全てのデータブロックの再送をサポートするために、（より低いランク又はより高いランクが報告されたとしても）次の送信について同一のランクを維持する（図１１の４行目、８行目、１２行目及び１６行目、図１２の４行目、８行目、１２行目及び１６行目、図１３の４行目、８行目、１２行目及び１６行目を参照）。最初の下りリンク送信で使用された全てのＨＡＲＱプロセスがＡＣＫを生成する場合、基地局プロセッサ１０１は、次の送信についてのランクを、無線端末２００により報告されたランクに変更する（図１０の１行目、３行目、５行目及び７行目、図１１の１行目、５行目、９行目及び１３行目、図１２の１行目、５行目、９行目及び１３行目、図１３の１行目、５行目、９行目及び１３行目を参照）。最初の下りリンク送信で使用されたバンドル／共有ＨＡＲＱプロセスがＮＡＣＫを生成する場合、基地局プロセッサ１０１は、次の送信について３以上のランクを必要とする。
【０１４１】
本発明概念のいくつかの実施形態によると、（データ符号語のストリームＣＷ１に対応する）第１の送信／受信レイヤは、基地局１００におけるＴＢ１、ＣＥ１、ＩＭ１及び／又はＳＳ１と、無線端末２００におけるＤＭ１、ＳＢ１及び／又はＣＤ１とを使用してサポートされ、（データ符号語のストリームＣＷ２に対応する）第２の送信／受信レイヤは、基地局１００におけるＴＢ２、ＣＥ２、ＩＭ２及び／又はＳＳ２と、無線端末２００におけるＤＭ２、ＳＢ２及び／又はＣＤ２とを使用してサポートされ、（データ符号語のストリームＣＷ３に対応する）第３の送信／受信レイヤは、基地局１００におけるＴＢ３、ＣＥ３、ＩＭ３及び／又はＳＳ３と、無線端末２００におけるＤＭ３、ＳＢ３及び／又はＣＤ３とを使用してサポートされ、（データ符号語のストリームＣＷ４に対応する）第４の送信／受信レイヤは、基地局１００におけるＴＢ４、ＣＥ４、ＩＭ４及び／又はＳＳ４と、無線端末２００におけるＤＭ４、ＳＢ４及び／又はＣＤ４とを使用してサポートされる。図１４に示すようにランク１の送信／受信の場合、データ符号語の単一のストリームＣＷ１は、（例えば、基地局１００におけるＴＢ１、ＣＥ１、ＩＭ１及び／又はＳＳ１を含み、且つ、無線端末２００におけるＤＭ１、ＳＢ１及び／又はＣＤ１を含む）第１の送信／受信レイヤを使用して送信／受信され、第１のＨＡＲＱプロセス／符号語（ＨＡＲＱ−１）は、データ符号語の単一のストリームＣＷ１に直接マッピングされ、第２、第３及び第４の送信／受信レイヤは使用されない。図１４に示すようにランク２の送信／受信の場合、データ符号語の第１のストリームＣＷ１は、（例えば、基地局１００におけるＴＢ１、ＣＥ１、ＩＭ１及び／又はＳＳ１を含み、且つ、無線端末２００におけるＤＭ１、ＳＢ１及び／又はＣＤ１を含む）第１の送信／受信レイヤを使用して送信／受信され、データ符号語の第２のストリームＣＷ２は、（例えば、基地局１００におけるＴＢ２、ＣＥ２、ＩＭ２及び／又はＳＳ２を含み、且つ、無線端末２００におけるＤＭ２、ＳＢ２及び／又はＣＤ２を含む）第２の送信／受信レイヤを使用して送信／受信され、第３の送信／受信レイヤ及び第４の送信／受信レイヤは使用されない。ランク２の送信／受信の場合、第１のＨＡＲＱプロセス／符号語（ＨＡＲＱ−１）は、データ符号語の第１のストリームＣＷ１に直接マッピングされ、第２のＨＡＲＱプロセス／符号語（ＨＡＲＱ−２）は、データ符号語の第２のストリームＣＷ２に直接マッピングされる。図１４のランク１及びランク２の送信／受信の場合、上述のように、符号語の各ストリームは、バンドルなしでそれぞれのＨＡＲＱプロセス／符号語に直接マッピングされる。
【０１４２】
図１４に示すようにランク３の送信／受信の場合、データ符号語の第１のストリームＣＷ１は、（例えば、基地局１００におけるＴＢ１、ＣＥ１、ＩＭ１及び／又はＳＳ１を含み、且つ、無線端末２００におけるＤＭ１、ＳＢ１及び／又はＣＤ１を含む）第１の送信／受信レイヤを使用して送信／受信され、データ符号語の第２のストリームＣＷ２は、（例えば、基地局１００におけるＴＢ２、ＣＥ２、ＩＭ２及び／又はＳＳ２を含み、且つ、無線端末２００におけるＤＭ２、ＳＢ２及び／又はＣＤ２を含む）第２の送信／受信レイヤを使用して送信／受信され、データ符号語の第３のストリームＣＷ３は、（例えば、基地局１００におけるＴＢ３、ＣＥ３、ＩＭ３及び／又はＳＳ３を含み、且つ、無線端末２００におけるＤＭ３、ＳＢ３及び／又はＣＤ３を含む）第３の送信／受信レイヤを使用して送信／受信され、第４の送信／受信レイヤは使用されない。ランク３の送信／受信の場合、第１のＨＡＲＱプロセス／符号語（ＨＡＲＱ−１）は、データ符号語の第１のストリームＣＷ１に直接マッピングされ、第２のＨＡＲＱプロセス／符号語（ＨＡＲＱ−２）は、データ符号語の第２のストリームＣＷ２及び第３のストリームＣＷ３の両方にマッピングされる。ランク３の送信／受信の場合、符号語の第１のストリームは、バンドルなしで第１のＨＡＲＱプロセス／符号語に直接マッピングされ、符号語の第２のストリーム及び第３のストリームは、第２のＨＡＲＱプロセスとバンドルされる。
【０１４３】
図１４に示すようにランク４の送信／受信の場合、データ符号語の第１のストリームＣＷ１は、（例えば、基地局１００におけるＴＢ１、ＣＥ１、ＩＭ１及び／又はＳＳ１を含み、且つ、無線端末２００におけるＤＭ１、ＳＢ１及び／又はＣＤ１を含む）第１の送信／受信レイヤを使用して送信／受信され、データ符号語の第２のストリームＣＷ２は、（例えば、基地局１００におけるＴＢ２、ＣＥ２、ＩＭ２及び／又はＳＳ２を含み、且つ、無線端末２００におけるＤＭ２、ＳＢ２及び／又はＣＤ２を含む）第２の送信／受信レイヤを使用して送信／受信され、データ符号語の第３のストリームＣＷ３は、（例えば、基地局１００におけるＴＢ３、ＣＥ３、ＩＭ３及び／又はＳＳ３を含み、且つ、無線端末２００におけるＤＭ３、ＳＢ３及び／又はＣＤ３を含む）第３の送信／受信レイヤを使用して送信／受信され、データ符号語の第４のストリームＣＷ４は、（例えば、基地局１００におけるＴＢ４、ＣＥ４、ＩＭ４及び／又はＳＳ４を含み、且つ、無線端末２００におけるＤＭ４、ＳＢ４及び／又はＣＤ４を含む）第４の送信／受信レイヤを使用して送信／受信される。更に、第１のＨＡＲＱプロセス／符号語（ＨＡＲＱ−１）は、データ符号語の第１のストリームＣＷ１及び第４のストリームＣＷ４の両方にマッピングされ、第２のＨＡＲＱプロセス／符号語（ＨＡＲＱ−２）は、データ符号語の第２のストリームＣＷ２及び第３のストリームＣＷ３の両方にマッピングされる。ランク４の送信／受信の場合、符号語の第１のストリーム及び第４のストリームは、第１のＨＡＲＱプロセス／符号語とバンドルされ、符号語の第２のストリーム及び第３のストリームは、第２のＨＡＲＱプロセスとバンドルされる。
【０１４４】
図１４の実施形態によると、（基地局１００においてＴＢ１、ＣＥ１、ＩＭ１及び／又はＳＳ１を使用して送信され、且つ、無線端末２００においてＤＭ１、ＳＢ１及び／又はＣＤ１を使用して受信される）第１の送信／受信レイヤＴＬ１／ＲＬ１は、データ符号語ＣＷ１の送信／受信をサポートし、ランク１、ランク２、ランク３及びランク４に従う送信の場合、第１の送信レイヤは、第１のＨＡＲＱプロセス（ＨＡＲＱ−１）にマッピングされる。（基地局１００においてＴＢ２、ＣＥ２、ＩＭ２及び／又はＳＳ２を使用して送信され、且つ、無線端末２００においてＤＭ２、ＳＢ２及び／又はＣＤ２を使用して受信される）第２の送信／受信レイヤＴＬ２／ＲＬ２は、データ符号語ＣＷ２の送信／受信をサポートし、ランク２、ランク３及びランク４に従う送信の場合、第２の送信レイヤは、第２のＨＡＲＱプロセス（ＨＡＲＱ−２）にマッピングされる。（基地局１００においてＴＢ３、ＣＥ３、ＩＭ３及び／又はＳＳ３を使用して送信され、且つ、無線端末２００においてＤＭ３、ＳＢ３及び／又はＣＤ３を使用して受信される）第３の送信／受信レイヤＴＬ３／ＲＬ３は、データ符号語ＣＷ３の送信／受信をサポートし、ランク３及びランク４に従う送信の場合、第３の送信レイヤは第２のＨＡＲＱプロセス（ＨＡＲＱ−２）にマッピングされる。（基地局１００においてＴＢ４、ＣＥ４、ＩＭ４及び／又はＳＳ４を使用して送信され、且つ、無線端末２００においてＤＭ４、ＳＢ４及び／又はＣＤ４を使用して受信される）第４の送信／受信レイヤＴＬ４／ＲＬ４は、データ符号語ＣＷ４の送信／受信をサポートし、ランク４に従う送信の場合、第４の送信レイヤは、第１のＨＡＲＱプロセス（ＨＡＲＱ−１）にマッピングされる。このように、各送信／受信レイヤ（使用される場合）は、使用中の送信／受信ランクに関係なく、同一のＨＡＲＱプロセスにマッピングされる。したがって、無線端末の各復号器及び各ソフトバッファは、復号器及びソフトバッファを使用するいかなるランクについても、同一のＨＡＲＱプロセスにマッピングされる。
【０１４５】
図１４の実施形態によると、レイヤ１の第１のＨＡＲＱプロセスＨＡＲＱ−１へのマッピングはランク１、ランク２、ランク３及びランク４の場合で同一であり、レイヤ２の第２のＨＡＲＱプロセスＨＡＲＱ−２へのマッピングはランク２、ランク３及びランク４の場合で同一であり、レイヤ３の第２のＨＡＲＱプロセスＨＡＲＱ−２へのマッピングはランク３及びランク４の場合で同一である。したがって、ランクがランク３とランク４との間で変化する場合、レイヤ２及びレイヤ３の第２のＨＡＲＱプロセスＨＡＲＱ−２へのバンドルされたマッピングは同一のままであり、それ故に、ＨＡＲＱ２が第２のレイヤ及び第３のレイヤにバンドルされた状態でランク３又はランク４のいずれかに変更しても、レイヤ２及びレイヤ３を介する再送はサポートされる。同様に、ランクがランク１とランク２の間、ランク２とランク３の間、又はランク１とランク３との間で変化する場合、レイヤ１のＨＡＲＱプロセスＨＡＲＱ−１への直接のマッピングは同一のままであり、それ故に、ＨＡＲＱ−１が（バンドルなしで）第１のレイヤにマッピングされた状態でランク１、ランク２又はランク３に変更しても、レイヤ１を介する再送はサポートされる。このように、再送用のＨＡＲＱプロセスにマッピングされたレイヤが変更されない限り、ランクを変更しても、部分的再送（例えば、同一のＴＴＩの期間に、一方のＨＡＲＱプロセスについての以前に送信されたデータが再送され、且つ、他方のＨＡＲＱプロセスについての新しいデータが初めて送信される場合）がサポートされる。
【０１４６】
図４及び／又は図５に関して上述したように、無線端末のプロセッサ２０１及び／又は送受信機２０９は、複数の受信レイヤ／ストリームを定義し、第１のレイヤＲＬ１は、ＭＩＭＯランク１、２、３及び４に使用され、第２のレイヤＲＬ２は、ＭＩＭＯランク２、３及び４に使用され、第３のレイヤＲＬ３は、ＭＩＭＯランク３及び４に使用され、第４のＭＩＭＯレイヤＲＬ４は、ＭＩＭＯランク４に使用される。ＭＩＭＯ  ＴＴＩの期間に受信されるＭＩＭＯレイヤごとに、（例えば、図５の復号器ＣＤ１〜４によって機能的に示される復号器を使用する）個別の復号が実行される。例えば、無線端末プロセッサ２０１は、図３Ａに関して上述したように、下りリンク・シグナリングを介して基地局１００から提供されたランク及び／又はプリコーディングベクトル情報に応じて、所与のＴＴＩ／ＴＦＲＥについて受信レイヤＲＬ１、ＲＬ２、ＲＬ３及び／又はＲＬ４のうちの１つ以上を定義し、構成し、且つ／又は使用する。例えば、下りリンクチャネルが高いＳＩＮＲを有することを無線端末が検出する場合（例えば、無線端末が基地局に比較的近い場合）、（多くのそれぞれの受信レイヤ／ストリームを定義する）高いＭＩＭＯランクが選択され、下りリンクチャネルが低いＳＩＮＲを有することを無線端末が検出する場合（例えば、無線端末が基地局から比較的遠い場合）、（少ない各受信レイヤ／ストリームを定義する）低いＭＩＭＯランクが選択される。
【０１４７】
図４では、例として個別のトランスポートブロック生成器、符号器、変調器、レイヤマッピング部、拡散器／スクランブラ及びレイヤプリコーダのブロックを示しているが、図４のブロックは、基地局のプロセッサ１０１及び／又は送受信機１０９の機能／動作を示すにすぎない。図４のサブブロック（例えば、トランスポートブロックＴＢ１〜ＴＢ４、チャネル符号器ＣＥ１〜ＣＥ４、インタリーバ／変調器ＩＭ１〜ＩＭ４及び拡散器／スクランブラＳＳ１〜ＳＳ４）は、送信レイヤＴＬ１〜ＴＬ４をサポートするトランスポートブロック生成器、符号器のブロック、変調器のブロック及び拡散器／スクランブラのブロックの機能／動作を更に示す。しかし、プロセッサ１０１は、ランク１の送信の期間には、１つの送信レイヤＴＬ１のみの機能／動作を提供／定義／構成し、ランク２の送信の期間には、２つの送信レイヤＴＬ１及びＴＬ２のみの機能／動作を提供／定義／構成し、ランク３の送信の期間には、３つの送信レイヤＴＬ１、ＴＬ２及びＴＬ３のみの機能／動作を提供／定義／構成し、４つの送信レイヤＴＬ１、ＴＬ２、ＴＬ３及びＴＬ４の機能／動作は、ランク４の送信の期間にのみ提供／定義／構成される。複数の送信レイヤが提供／定義／構成される場合、例えばプロセッサ１０１は、複数のトランスポートブロックのサブブロック、複数のチャネル符号器のサブブロック、複数のインタリーバ／変調器のサブブロック及び／又は複数の拡散器／スクランブラのサブブロックの機能／動作を提供／定義／構成することで、ＴＴＩ／ＴＦＲＥにおける送信前の、異なる複数の送信レイヤのデータの並列処理を可能にするか、あるいは、プロセッサ１０１は、単一のトランスポートブロック、単一のチャネル符号器、単一のインタリーバ／変調器及び／又は単一の拡散器／スクランブラの機能／動作を提供／定義／構成することで、ＴＴＩ／ＴＦＲＥにおける送信前の、異なる複数の送信レイヤのデータの直列処理を可能にする。
【０１４８】
図５では、例として個別のレイヤ復号器、レイヤデマッピング部、復調器／デインタリーバ、ソフトバッファ、チャネル復号器及びトランスポートブロック結合器のブロックを示しているが、図５のブロックは、無線端末のプロセッサ２０１及び／又は送受信機２０９の機能／動作を示すにすぎない。例えば図５のサブブロック（例えば、復調器／デインタリーバＤＭ１〜ＤＭ４、ソフトバッファＳＢ１〜ＳＢ４及びチャネル復号器ＣＤ１〜ＣＤ４）は、受信レイヤＲＬ１〜ＲＬ４を提供する機能／動作を示す。しかし、プロセッサ２０１は、ランク１の受信の期間には、１つの受信レイヤＲＬ１のみの機能／動作を提供／定義／構成し、ランク２の受信の期間には、２つの受信レイヤＲＬ１及びＲＬ２のみの機能／動作を提供／定義／構成し、ランク３の受信の期間には、３つの受信レイヤＲＬ１、ＲＬ２及びＲＬ３のみの機能／動作を提供／定義／構成し、４つの受信レイヤＲＬ１、ＲＬ２、ＲＬ３及びＲＬ４の機能／動作は、ランク４の受信の期間にのみ提供／定義／構成される。複数の受信レイヤが提供／定義／構成される場合、例えばプロセッサ２０１は、複数の復調器／デインタリーバのブロック、複数のソフトバッファのブロック及び／又は複数のチャネル復号器のブロックの機能／動作を提供／定義／構成することで、ＴＴＩ／ＴＦＲＥにおける異なる複数の受信レイヤのデータの並列処理を可能にするか、あるいは、プロセッサ２０１は、単一の復調器／デインタリーバのブロック、単一のソフトバッファ及び／又は単一のチャネル復号器の機能／動作を提供／定義／構成することで、ＴＴＩ／ＴＦＲＥにおける異なる複数の受信レイヤのデータの直列処理を可能にする。
【０１４９】
図１４に関して上述した本発明概念の実施形態によると、基地局プロセッサ１０１は、無線端末２００が失敗したデータパケットの最初の送信に使用された下りリンク送信ランクと異なる下りリンク送信ランクを報告／要求する場合、図９の動作に関して上述したように図１０〜図１３のマッピングテーブルを使用する代わりに図１５〜図１８のマッピングテーブルを使用して、（例えば、バンドルＨＡＲＱプロセスに関連する）失敗したデータパケットを送信してもよい。以下では、ＭＩＭＯ送信ランク１、２、３及び４をサポートする４つの送信ＭＩＭＯアンテナ及び４つの受信ＭＩＭＯアンテナを含むシステムについての図１５〜図１８のテーブルに関して、これらの実施形態を更に詳細に説明する。４つの送信ＭＩＭＯアンテナ及び４つの受信ＭＩＭＯアンテナに関する実施形態を例として説明するが、本発明概念の実施形態は、３つ以下及び／又は５つ以上のＭＩＭＯ送受信アンテナを含むシステムに適用されてもよい。
【０１５０】
図９のブロック９０３において、共有／バンドルＨＡＲＱプロセスを使用して以前に送信されたデータブロックの再送が必要である場合、ブロック９０５において、基地局プロセッサ１０１は、図１５〜図１８のテーブルに記載のように、そのようないかなる再送についてもＨＡＲＱプロセスの同一のマッピングを維持するようにＤＬ送信ランクを選択する。図１５〜図１８の項目、頭文字及び略語は、図１０〜図１３に関して上述したものと同一の意味を有する。
【０１５１】
図１５のテーブルは、最初のランク１の下りリンク送信が、第１の送信／受信レイヤＴＬ１／ＲＬ１にマッピングされた第１のＨＡＲＱプロセスＨＡＲＱ−１を使用して実行される場合の、基地局プロセッサ１０１のランクスケジューリングを示す。したがって、最初の送信は、送信／受信レイヤＴＬ１／ＲＬ１を使用して送信／受信される単一のデータブロックのみを含み、ＨＡＲＱ−１プロセスについての結果として得られるＡＣＫ／ＮＡＣＫメッセージは、単一のデータブロックのみにマッピングする（即ち、単一のデータブロックがＣＤ１において復号に成功した場合にＡＣＫメッセージが生成され、単一のデータブロックＣＤ１において復号に失敗した場合にＮＡＣＫメッセージが生成される）。単一のデータブロックが復号に成功した（Ｐ）（それにより、ＡＣＫメッセージが受信される）場合（即ち、図１５の１行目、３行目、５行目及び７行目）、基地局プロセッサ１０１は、無線端末２００により報告／要求されたランクをスケジューリングし、新しいデータＮＴは、ＵＥが報告したランクに従って送信される。ランク４がスケジューリングされた場合、図１５の１行目に示すように、新しい第１のデータブロック及び第４のデータブロックは、同一のＴＦＲＥを使用して、ＨＡＲＱ−１とバンドルされた送信／受信レイヤＴＬ１／ＲＬ１及びＴＬ４／ＲＬ４をそれぞれ介して送信され、新しい第２のデータブロック及び第３のデータブロックは、同一のＴＦＲＥを使用して、ＨＡＲＱ−２とバンドルされた送信／受信レイヤＴＬ２／ＲＬ２及びＴＬ３／ＲＬ３をそれぞれ介して送信される。ランク３がスケジューリングされた場合、図１５の３行目に示すように、新しい第１のデータブロックは、ＴＦＲＥを使用して、バンドルせずにＨＡＲＱ−１を使用して送信／受信レイヤＴＬ１／ＲＬ１で送信され、新しい第２のデータブロック及び第３のデータブロックは、同一のＴＦＲＥを使用して、ＨＡＲＱ−２とバンドルされた送信／受信レイヤＴＬ２／ＲＬ２及びＴＬ３／ＲＬ３をそれぞれ介して送信される。ランク２がスケジューリングされた場合、図１５の５行目に示すように、新しい第１のデータブロックは、ＴＦＲＥを使用して、バンドルせずにＨＡＲＱ−１を使用して送信／受信レイヤＴＬ１／ＲＬ１で送信され、第２のデータブロックは、ＴＦＲＥを使用して、バンドルせずにＨＡＲＱ−２を使用して送信／受信レイヤＴＬ２／ＲＬ２で送信される。ランク１がスケジューリングされた場合、図１５の７行目に示すように、新しい第１のデータブロックは、ＴＦＲＥを使用して、バンドルせずにＨＡＲＱ−１を使用して送信／受信レイヤＴＬ１／ＲＬ１で送信され、ＨＡＲＱ−２は、ＴＦＲＥの期間中、使用されないままである。
【０１５２】
単一のデータブロックが復号に失敗した（Ｆ）（それにより、ＮＡＣＫメッセージが受信される）場合（図１５の２行目、４行目、６行目及び８行目）、基地局プロセッサ１０１は、報告されたランクを考慮するものの、基地局プロセッサ１０１は、失敗したデータブロックの再送をサポートするべく、ＨＡＲＱプロセスのマッピングを維持するように、報告されたランク又は異なるランクを使用して、下りリンク送信をスケジューリングする。図１５の２行目、４行目及び６行目に示すように、例えば無線端末２００が、最初の送信より高いランクを報告する（即ち、最初のランクが１であり、報告されるランクが２、３又は４である）場合、基地局プロセッサ１０１は、必ずしも無線端末２００により報告／要求されたランクではないが、より高いランクでの送信をスケジューリングできるようにする。図１５の４行目及び６行目に示すように、ランク１での送信／受信が失敗した後に無線端末２００がランク３又は２を報告／要求する場合、図１４の実施形態によると、ランク１、ランク２及びランク３の送信／受信の場合はＨＡＲＱ−１がバンドルなしで第１の送信／受信レイヤＴＬ１／ＲＬ１にマッピングされるため、基地局プロセッサ１０１は、報告／要求されたランク（即ち、ランク３又は２）をスケジューリングする。図１５の２行目に示すように、ランク１での送信／受信が失敗した後に無線端末２００がランク４を報告／要求する場合、再送をサポートするためにランク３の送信が（ＨＡＲＱ−１にバンドルするランク４の送信と異なり）バンドルなしでＨＡＲＱ−１への第１の送信／受信レイヤＴＬ１／ＲＬ１のマッピングを維持するため、基地局プロセッサ１０１は、（先行のランク１の送信より高い）ランク３の送信をスケジューリングする。図１５の８行目に示すように、報告されたランクが最初のランクと同一である場合、スケジューリングされるランクは変化せず、それにより、送信／受信レイヤＴＬ１／ＲＬ１へのＨＡＲＱ−１のマッピングは変化せず、失敗したデータブロックは、ＨＡＲＱ−１の同一のマッピングを使用して再送される。より一般的には、図１５の７行目及び８行目に示すように、報告されたランクが最初のランクに対して変化しない場合、最初のブロックデータが復号に成功したか又は失敗したかに関係なく、当該報告されたランクがスケジューリングされる。
【０１５３】
図１６は、最初のランク２の下りリンク送信が、第１の送信／受信レイヤＴＬ１及びＲＬ１に（バンドル／共有せずに）マッピングされたＨＡＲＱ−１を使用して、且つ、第２の送信／受信レイヤＴＬ２及びＲＬ２に（バンドル／共有せずに）マッピングされたＨＡＲＱ−２を使用して実行される場合の、基地局プロセッサ１０１のランクスケジューリングを示す。したがって、最初の送信は、送信／受信レイヤＴＬ１／ＲＬ１を使用して送信／受信される第１のデータブロックと、送信／受信レイヤＴＬ２／ＲＬ２を使用して送信／受信される第２のデータブロックとを含む。ＨＡＲＱ−１についての結果として得られるＡＣＫ／ＮＡＣＫメッセージは、第１のデータブロックのみにマッピングし（即ち、第１のデータブロックがＣＤ１において復号に成功した場合にＡＣＫメッセージが生成され、第１のデータブロックがＣＤ１において復号に失敗した場合にＮＡＣＫメッセージが生成される）、ＨＡＲＱ−１プロセスについての結果として得られるＡＣＫ／ＮＡＣＫメッセージは、第２のデータブロックのみにマッピングする（即ち、第２のデータブロックがＣＤ２において復号に成功した場合にＡＣＫメッセージが生成され、第２のデータブロックがＣＤ２において復号に失敗した場合にＮＡＣＫメッセージが生成される）。
【０１５４】
第１のデータブロック及び第２のデータブロックの両方が復号に成功した（Ｐ）（それにより、２つのＡＣＫメッセージが受信される）場合（即ち、１行目、５行目、９行目及び１３行目）、図１５の１行目、３行目、５行目及び７行目に関して上述したように、基地局プロセッサ１０１は、無線端末２００により勧告／要求されたランクをスケジューリングし、新しいデータＮＴは、ＵＥが報告したランクに従って送信される。（図１６の９行目、１０行目、１１行目及び１２行目のように）無線端末２００が最初のランクと同一であるランク２を報告／勧告する場合、基地局プロセッサ１０１は、最初に送信されたデータブロックの成功／失敗状態に関係なく、同一のスケジューリングされるランク（即ち、ランク２）を維持する。最初のランク２の送信の状態Ｐ／Ｆに関係なく、ＨＡＲＱ−１及びＨＡＲＱ−２についてのランク２のＨＡＲＱプロセスの同一のマッピングが、次の送信／再送に対して維持される。したがって、第１のデータブロック及び第２のデータブロック（ＯＴ）の一方又は両方の再送は、同一のＨＡＲＱマッピングを使用してサポートされ、且つ／あるいは、最初の復号が成功したいずれか又は両方のＨＡＲＱプロセスについて新しいデータブロックが送信される。
【０１５５】
無線端末２００が、より高いランク（即ち、ランク３又はランク４）を報告し、且つ、最初の送信の（バンドル／共有せずにＨＡＲＱ−２にマッピングされた）第２のデータブロックが復号に失敗した（Ｆ）ことでＨＡＲＱ−２  ＮＡＣＫメッセージが生成される場合（図１６の２行目、４行目、６行目及び８行目）、基地局プロセッサ１０１は、ランク２を選択して、同一の下りリンク送信ランクを維持する。このように、ＨＡＲＱ−１及びＨＡＲＱ−２についてのランク２のＨＡＲＱプロセスの同一のマッピングは、失敗した第２のデータブロックの、ＨＡＲＱ−２を使用する再送と、第１のデータブロックが失敗した場合の、ＨＡＲＱ−１を使用する第１のデータブロックについての想定される再送、又は最初の第１のデータブロックが成功した場合の、ＨＡＲＱ−１を使用する新しいデータブロックの送信と、のために維持される。
【０１５６】
（図１６の３行目及び７行目のように）無線端末２００が、より高いランク（即ち、ランク３又はランク４）を報告し、最初の送信の（バンドル／共有せずにＨＡＲＱ−２にマッピングされた）第２のデータブロックの復号に成功し（Ｐ）、且つ、最初の送信の（バンドル／共有せずにＨＡＲＱ−１にマッピングされた）第１のデータブロックの復号に失敗した（Ｆ）ことでＨＡＲＱ−１  ＮＡＣＫメッセージが生成される場合、基地局プロセッサ１０１は、ランク３を選択して（図１６の３行目及び７行目）、（共有／バンドルせずに）ＨＡＲＱ−１の送信／受信レイヤＴＬ１／ＲＬ１への同一のマッピングを維持する一方で、ＨＡＲＱ−１プロセスを使用した２つの新しいデータブロックＮＴの送信を可能にするために、ＨＡＲＱ−２が送信／受信レイヤＴＬ２／ＲＬ２及びＴＬ３／ＲＬ３にマッピングされるようにする。換言すると、ＨＡＲＱ−１の送信／受信レイヤＴＬ１／ＲＬ１へのマッピング（共有／バンドルなし）が、ランク２の送信及びランク３の送信の両方で同一であるため、第１のデータブロックが失敗した場合でも、より高いランクが許可される。ＨＡＲＱ−２のマッピングがランク２の送信とランク３の送信とで異なるが、最初のＨＡＲＱ−２データブロックが成功したため、ＨＡＲＱ−２の同一のマッピングは不要である。したがって、ＨＡＲＱ−１の再送をサポートすると同時に、より高いデータレートの（失敗した１つのＨＡＲＱ−１データパケットの再送及び２つの新しいＨＡＲＱ−２データパケットの送信を可能にする）ランク３の送信が許可される。
【０１５７】
図１６の１４行目において、最初の送信の（ＨＡＲＱ−１の）第１のデータブロックが成功し（Ｐ）、最初の送信の（ＨＡＲＱ−２の）第２のデータブロックが失敗し（Ｆ）、且つ、無線端末２００がランク１を報告する場合、基地局プロセッサ１０１は、ＨＡＲＱ−１を使用する送信／受信レイヤＴＬ１／ＲＬ１を介した新しいデータブロックの送信と、ＨＡＲＱ−２を使用する送信／受信レイヤＴＬ２／ＲＬ２を介した第２のデータブロックの再送とをサポートするために、ランク２の送信をスケジューリングする。図１６の１５行目において、最初の送信の（ＨＡＲＱ−１の）第１のデータブロックが失敗し（Ｆ）、最初の送信の（ＨＡＲＱ−２の）第２のデータブロックが成功し（Ｐ）、且つ、無線端末２００がランク１を報告する場合、基地局プロセッサ１０１は、ＨＡＲＱ−１を使用して（バンドル／共有せずに）送信／受信レイヤＴＬ１／ＲＬ１で最初の送信の第１のデータブロックを再送する、ランク１の送信をスケジューリングする。図１６の１６行目において、最初の送信の第１のデータブロック（ＨＡＲＱ−１）及び第２のデータブロック（ＨＡＲＱ−２）の両方が失敗し（Ｆ）、且つ、無線端末２００がランク１を報告する場合、基地局プロセッサ１０１は、失敗したデータブロックの両方の再送のために、ＨＡＲＱ−１の送信／受信レイヤＴＬ１／ＲＬ１へのマッピングと、ＨＡＲＱ−２の送信／受信レイヤＴＬ２／ＲＬ２へのマッピングとを維持するために、ランク２の送信を強制する。
【０１５８】
図１７は、最初のランク３の下りリンク送信が、第１の送信／受信レイヤＴＬ１／ＲＬ１に（バンドル／共有せずに）マッピングされたＨＡＲＱ−１を使用して、且つ、第２の送信／受信レイヤＴＬ２／ＲＬ２及び第３の送信／受信レイヤＴＬ３／ＲＬ３に（バンドル／共有して）マッピングされたＨＡＲＱ−２を使用して実行される場合の、基地局プロセッサ１０１のランクスケジューリングを示す。このため、最初の送信は、送信／受信レイヤＴＬ１／ＲＬ１を使用して送信／受信される第１のデータブロックと、送信／受信レイヤＴＬ２／ＲＬ２を使用して送信／受信される第２のデータブロックと、送信／受信レイヤＴＬ３／ＲＬ３を使用して送信／受信される第３のデータブロックとを含む。したがって、ＨＡＲＱ−１についての結果として得られるＡＣＫ／ＮＡＣＫメッセージは、第１のデータブロックにマッピングし（即ち、第１のデータブロックがＣＤ１において復号に成功した場合にＡＣＫメッセージが生成され、第１のデータブロックがＣＤ１において復号に失敗した場合にＮＡＣＫメッセージが生成される）、ＨＡＲＱ−１プロセスについての結果として得られるＡＣＫ／ＮＡＣＫメッセージは、第２のデータブロック及び第３のデータブロックにマッピングする（即ち、第２のデータブロック及び第３のデータブロックの両方がＣＤ２及びＣＤ３において復号に成功した場合にＡＣＫメッセージが生成され、第２のデータブロック及び／又は第３のデータブロックのいずれかがＣＤ２及び／又はＣＤ３において復号に失敗した場合にＮＡＣＫメッセージが生成される）。
【０１５９】
（図１７の１行目、５行目、９行目及び１３行目のように）第１、第２及び第３のデータブロックのそれぞれが復号に成功することによりＨＡＲＱ−１及びＨＡＲＱ−２の両方が成功する（Ｐ）（即ち、それにより２つのＡＣＫメッセージが受信される）場合、図１５及び図１６に関して上述したように、基地局プロセッサ１０１は、無線端末２００により勧告／要求されたランクをスケジューリングし、新しいデータＮＴは、ＵＥが報告したランクに従って送信される。（図１７の５行目、６行目、７行目及び８行目のように）無線端末２００が最初のランクと同一である勧告／要求ランク３を報告する場合、基地局プロセッサ１０１は、同一のスケジューリングされるランク（即ち、ランク３）を維持する。最初のランク３の送信の状態Ｐ／Ｆに関係なく、ＨＡＲＱ−１及びＨＡＲＱ−２についてのランク３のＨＡＲＱプロセスの同一のマッピングが、次の送信／再送に対して維持される。したがって、ＨＡＲＱ−１の第１のデータブロック（ＯＴ）の再送及び／又はＨＡＲＱ−２の第２のデータブロック及び第３のデータブロック（ＯＴ）の再送は、同一のＨＡＲＱマッピングを使用してサポートされ、且つ／あるいは、最初の復号が成功したいずれか又は両方のＨＡＲＱプロセスについて新しいデータブロックが送信される。
【０１６０】
（図１７の３行目及び４行目のように）無線端末２００が、より高いランク（即ち、ランク４）を報告し、且つ、最初の送信の（バンドル／共有せずにＨＡＲＱ−１にマッピングされた）第１のデータブロックが復号に失敗した（Ｆ）ことでＨＡＲＱ−１  ＮＡＣＫメッセージが生成される場合、基地局プロセッサ１０１は、ランク３を維持して、ＨＡＲＱ−１及びＨＡＲＱ−２についてのランク３のＨＡＲＱプロセスの同一のマッピングを維持する。したがって、必要となるいかなる再送もサポートされる。（図１７の１行目及び２行目のように）無線端末２００が、より高いランク（即ち、ランク４）を報告し、且つ、最初の送信の（バンドル／共有せずにＨＡＲＱ−１にマッピングされた）第１のデータブロックが復号に成功したことでＨＡＲＱ−１  ＡＣＫメッセージが生成される場合、基地局プロセッサ１０１は、ランク４をスケジューリングし、それにより、ＨＡＲＱ−１は、送信／受信レイヤＴＬ１／ＲＬ１及びＴＬ４／ＲＬ４にマッピングされ、ＨＡＲＱ−２は、送信／受信レイヤＴＬ２／ＲＬ２及びＴＬ３／ＲＬ３にマッピングされる。この場合、ＨＡＲＱ−２のマッピングが、ランク３とランク４との間で変化しないことで、図１７の２行目に示すように、必要に応じて、ＨＡＲＱ−２にマッピングされた第２のデータブロック及び第３のデータブロックの再送がサポートされる。
【０１６１】
（図１７の９行目及び１１行目のように）無線端末２００がランク２を報告し、且つ、（共有／バンドルしてＨＡＲＱ−２にマッピングされた）第２のデータブロック及び第３のデータブロックが復号に成功したことでＨＡＲＱ−２  ＡＣＫメッセージが生成される場合、基地局プロセッサ１０１は、ランク２をスケジューリングし、それにより、ＨＡＲＱ−１は、送信／受信レイヤＴＬ１／ＲＬ１に（共有／バンドルせずに）マッピングされ、ＨＡＲＱ−２は、送信／受信レイヤＴＬ２／ＲＬ２に（共有／バンドルせずに）マッピングされる。したがって、ＨＡＲＱ−１の送信／受信レイヤＴＬ１／ＲＬ１へのマッピングは、ランク２の下りリンク送信及びランク３の下りリンク送信で同一である。最初のＨＡＲＱ−２送信の第２のデータブロック及び第３のデータブロックの両方の復号に成功したため、ＨＡＲＱ−１プロセスを使用する再送は不要であり、ＨＡＲＱ−１プロセスの再マッピングは、ＨＡＲＱ−２の再送に影響を及ぼすことなく行われうる。
【０１６２】
（図１７の１０行目及び１２行目のように）無線端末２００がランク２を報告し、且つ、（共有／バンドルしてＨＡＲＱ−２にマッピングされた）第２のデータブロック及び第３のデータブロックのいずれか又は両方の復号に失敗した（Ｆ）ことでＨＡＲＱ−２  ＮＡＣＫメッセージが生成される場合、基地局プロセッサ１０１は、ＨＡＲＱ−１及びＨＡＲＱ−２のマッピングが変化しないように、（図１７の１０行目及び１２行目のように）ランク３のスケジューリングを継続する（即ち、ＨＡＲＱ−１は、送信／受信レイヤＴＬ１／ＲＬ１にマッピングし、ＨＡＲＱ−２は、送信／受信レイヤＴＬ２／ＲＬ２及びＴＬ３／ＲＬ３にマッピングする）。したがって、ＨＡＲＱ−２の第２のデータブロック及び第３のデータブロックの再送がサポートされるとともに、ＨＡＲＱ−１の第１のデータブロックの再送は必要に応じてサポートされる（図１７の１２行目）。
【０１６３】
図１７の１３行目及び１５行目において、最初の送信の（ＨＡＲＱ−２にマッピングされた）第２のデータブロック及び第３のデータブロックが成功（Ｐ）し、且つ、無線端末２００がランク１を報告する場合、基地局プロセッサは、第１の送信／受信レイヤＴＬ１／ＲＬ１を使用して新しいデータの送信又は古いデータの再送をサポートするランク１の送信をスケジューリングする。図１７の１４行目及び１６行目において、最初の送信の（ＨＡＲＱ−２にマッピングされた）第２のデータブロック及び／又は第３のデータブロックのいずれかが失敗し（Ｆ）、且つ、無線端末２００がランク１を報告する場合、基地局プロセッサ１０１は、ランク３の送信をスケジューリング／維持することで、ＨＡＲＱ−２にマッピングされた送信／受信レイヤＴＬ２／ＲＬ２及びＴＬ３／ＲＬ３を使用して第２のデータブロック及び／又は第３のデータブロックの再送をサポートする。
【０１６４】
図１８のテーブルは、最初のランク４の下りリンク送信が、第１の送信／受信レイヤＴＬ１／ＲＬ１及び第４の送信／受信レイヤＴＬ４／ＲＬ４に（バンドル／共有して）マッピングされたＨＡＲＱ−１と、第２の送信／受信レイヤＴＬ２／ＲＬ２及び第３の送信／受信レイヤＴＬ３／ＲＬ３に（バンドル／共有して）マッピングされたＨＡＲＱ−２とを使用して実行される場合の、基地局プロセッサ１０１のランクスケジューリングを示す。したがって、最初の送信は、送信／受信レイヤＴＬ１／ＲＬ１を使用して送信／受信される第１のデータブロックと、送信／受信レイヤＴＬ２／ＲＬ２を使用して送信／受信される第２のデータブロックと、送信／受信レイヤＴＬ３／ＲＬ３を使用して送信／受信される第３のデータブロックと、送信／受信レイヤＴＬ４／ＲＬ４を使用して送信／受信される第４のデータブロックとを含む。したがって、ＨＡＲＱ−１についての結果として得られるＡＣＫ／ＮＡＣＫメッセージは、第１のデータブロック及び第４のデータブロックにマッピングし（即ち、第１のデータブロック及び第４のデータブロックの両方がＣＤ１及びＣＤ４において復号に成功した場合にＡＣＫメッセージが生成され、第１のデータブロック及び第４のデータブロックのいずれか又は両方がＣＤ１／ＣＤ４において復号に失敗した場合にＮＡＣＫメッセージが生成される）、ＨＡＲＱ−２についての結果として得られるＡＣＫ／ＮＡＣＫメッセージは、第２のデータブロック及び第３のデータブロックにマッピングする（即ち、第２のデータブロック及び第３のデータブロックの両方がＣＤ２及びＣＤ３において復号に成功した場合にＡＣＫメッセージが生成され、第２のデータブロック及び第３のデータブロックのいずれか又は両方がＣＤ２／ＣＤ３において復号に失敗した場合にＮＡＣＫメッセージが生成される）。
【０１６５】
（図１８の１行目、５行目、９行目及び１３行目のように）第１、第２、第３及び第４のデータブロックの全ての復号に成功することで、ＨＡＲＱ−１及びＨＡＲＱ−２の両方が成功した（Ｐ）（即ち、それにより２つのＡＣＫメッセージが受信される）場合、図１５、図１６及び図１７に関して上述したように、基地局プロセッサ１０１は、無線端末２００により報告／要求されたランクをスケジューリングし、新しいデータＮＴは、ＵＥが報告したランクに従って送信される。（図１８の１行目、２行目、３行目及び４行目のように）無線端末２００が最初のランクと同一である勧告／要求ランク４を報告する場合、基地局プロセッサ１０１は、同一のスケジューリングされるランク（即ち、ランク４）を維持する。このように、最初のランク４の送信の状態Ｐ／Ｆに関係なく、ＨＡＲＱ−１及びＨＡＲＱ−２についてのランク４のＨＡＲＱプロセスの同一のマッピングが、次の送信／再送に対して維持される。したがって、ＨＡＲＱ−１の第１のデータブロック及び第４のデータブロック（ＯＴ）の再送、並びに／又は、ＨＡＲＱ−２の第２のデータブロック及び第３のデータブロック（ＯＴ）の再送は、同一のＨＡＲＱマッピングを使用してサポートされ、且つ／あるいは、最初の復号が成功したいずれか又は両方のＨＡＲＱプロセスについて新しいデータブロックが送信される。
【０１６６】
（図１８の７行目、８行目、１１行目、１２行目、１５行目又は１６行目のように）無線端末２００が、より低いランク（例えば、ランク３、ランク２又はランク１）を報告し、且つ、（共有／バンドルしてＨＡＲＱ−１にマッピングされた）第１のデータブロック及び第４のデータブロックのいずれか又は両方が復号に失敗した（Ｆ）ことでＨＡＲＱ−１  ＮＡＣＫメッセージが生成される場合、基地局プロセッサ１０１は、第１のデータブロック及び第４のデータブロックの再送をサポートするためにＨＡＲＱ−１が第１の送信／受信レイヤＴＬ１／ＲＬ１及び第４の送信／受信レイヤＴＬ４／ＲＬ４にマッピングされるように、ランク４のスケジューリングを継続する。ランク４を継続することにより、ＨＡＲＱ−２は、送信／受信レイヤＴＬ２／ＲＬ２及びＴＬ３／ＲＬ３にマッピングされ続け、必要に応じて（共有／バンドルしてＨＡＲＱ−２にマッピングされた）第２のデータブロック及び第３のデータブロックの再送をサポートする（例えば、図１８の８行目、１２行目又は１６行目）か、あるいは、２つの新しいデータブロックがＨＡＲＱ−２を使用して送信される（例えば、図１８の７行目、１１行目又は１５行目）。
【０１６７】
（図１８の５行目及び６行目のように）無線端末２００がランク３を報告し、且つ、（共有／バンドルせずにＨＡＲＱ−１にマッピングされた）第１のデータブロックが復号に成功した（Ｐ）ことでＨＡＲＱ−１  ＡＣＫメッセージが生成される場合、基地局プロセッサ１０１は、ランク３をスケジューリングし、それにより、ＨＡＲＱ−１は、第１の送信／受信レイヤＴＬ１／ＲＬ１に（バンドル／共有せずに）マッピングされ、ＨＡＲＱ−２は、必要に応じて第２のデータブロック及び第３のデータブロックの再送をサポートするために、第２の送信／受信レイヤＴＬ２／ＲＬ２及び第３の送信／受信レイヤＴＬ３／ＲＬ３に（バンドル／共有して）マッピングされる（例えば、図１８の６行目）。
【０１６８】
（１０行目、１１行目及び／又は１２行目のように）無線端末２００がランク２を報告し、且つ、第１、第２、第３及び／又は第４のデータブロックのいずれかの復号に失敗したことでＨＡＲＱ−１  ＮＡＣＫ及び／又はＨＡＲＱ−２  ＮＡＣＫが生成される場合、基地局プロセッサ１０１は、ＨＡＲＱ−１が送信／受信レイヤＴＬ１／ＲＬ１及びＴＬ４／ＲＬ４に（バンドル／共有されて）マッピングされ、且つ、ＨＡＲＱ−２が送信／受信レイヤＴＬ２／ＲＬ２及びＴＬ３／ＲＬ３に（バンドル／共有されて）マッピングされるように、ランク４をスケジューリングする。したがって、必要に応じて再送をサポートするために、ＨＡＲＱ−１の送信／受信レイヤＴＬ１／ＲＬ１及びＴＬ４／ＲＬ４へのマッピング及びＨＡＲＱ−２の送信／受信レイヤＴＬ２／ＲＬ２及びＴＬ３／ＲＬ３へのマッピングは維持される。
【０１６９】
（１４行目、１５行目及び／又は１６行目のように）無線端末２００がランク１を報告し、且つ、第１、第２、第３及び／又は第４のデータブロックのいずれかの復号に失敗した（Ｆ）ことでＨＡＲＱ−１  ＮＡＣＫメッセージ及び／又はＨＡＲＱ−２  ＮＡＣＫメッセージが生成される場合、基地局プロセッサ１０１は、ＨＡＲＱ−１が送信／受信レイヤＴＬ１／ＲＬ１及びＴＬ４／ＲＬ４に（バンドル／共有されて）マッピングされ、且つ、ＨＡＲＱ−２が送信／受信レイヤＴＬ２／ＲＬ２及びＴＬ３／ＲＬ３に（バンドル／共有されて）マッピングされるように、ランク４をスケジューリングする。したがって、必要に応じて再送をサポートするために、ＨＡＲＱ−１の送信／受信レイヤＴＬ１／ＲＬ１及びＴＬ４／ＲＬ４へのマッピング及びＨＡＲＱ−２の送信／受信レイヤＴＬ２／ＲＬ２及びＴＬ３／ＲＬ３へのマッピングは維持される。
【０１７０】
図１４〜図１８に関して上述した実施形態によると、最初の送信／受信がランク２以上のランク（例えば、ランク２、ランク３又はランク４）を有し、且つ、両方のＨＡＲＱプロセスが成功した（即ち、ＨＡＲＱ−１及びＨＡＲＱ−２の両方がＡＣＫメッセージを生成する）場合、基地局プロセッサ１０１は、無線端末１００への後続の送信について、無線端末２００により報告／要求されたランクを選択する。最初の送信／受信がランク２以上のランク（例えば、ランク２、ランク３又はランク４）を有し、且つ、両方のＨＡＲＱプロセスが失敗した（即ち、ＨＡＲＱ−１及びＨＡＲＱ−２の両方がＮＡＣＫメッセージを生成する）場合、基地局プロセッサ１０１は、ＨＡＲＱ−１及びＨＡＲＱ−２に対応するデータブロックの再送をサポートするために、（無線端末２００により報告／要求されたランクに関係なく）最初の送信に使用されたランクを維持する。
【０１７１】
最初の送信がランク２の送信であり、それにより最初のデータブロックがバンドルせずにＨＡＲＱ−２にマッピングされて送信／受信レイヤＴＬ２／ＲＬ２で送信／受信され、且つ、最初のデータブロックが復号に失敗したためにＨＡＲＱ−２がＮＡＣＫを生成する場合、基地局プロセッサ１０１は、図１６の２行目、４行目、６行目、８行目、１０行目、１２行目、１４行目及び１６行目に示すように、送信／受信レイヤＴＬ２／ＲＬ２を介したデータブロックの再送をサポートするために、（無線端末２００により報告／要求されたランクに関係なく）次の送信をランク２に限定する。これは、他のランク（例えば、ランク１、ランク３又はランク４）が、送信／受信レイヤＴＬ２／ＲＬ２についてのバンドルなしの使用をサポートしていないためである。換言すると、データブロックがバンドルなしでＨＡＲＱプロセスにマッピングされ、且つ、データブロックの復号に失敗した場合、他のランクが、同一の送信／受信レイヤを使用するバンドルなしの送信／受信をサポートしていなければ、（無線端末により報告／要求されたランクに関係なく）同一のランクが再送に対して維持される。
【０１７２】
このように、最初の送信の期間中に復号に失敗した、同一のＨＡＲＱプロセスを共有するバンドルされたトランスポートブロックは、図１５〜図１８のマッピングを使用して、同一のＨＡＲＱプロセスに対してバンドルされた同一の送信／受信レイヤを使用して再送される。
【０１７３】
図８Ａ及び図９〜図１８に関して、共有ＨＡＲＱプロセスのための基地局の動作を上述してきた。この場合に、（例えば、基地局のプロセッサ１０１及び／又はメモリ１１８に含まれる）無線端末２００に対する基地局１００の送信バッファは、バッファ制限されていない（例えば、送信バッファは、次の送信データブロック用の、無線端末２００に対する十分なデータを含んでいる）。換言すると、無線端末２００に対する基地局送信バッファは、無線端末２００へ送信される１つ以上の新しいトランスポートデータブロック（図１０〜図１３及び図１５〜図１８のテーブルに示すＮＴ）用の新しいデータを含む場合には、バッファ制限されていない。ランク２以上のＭＩＭＯ  ＴＴＩについて、ＮＡＣＫ及びＡＣＫの両方の受信に応じて部分的再送が必要とされた際に、無線端末２００への下りリンク送信がバッファ制限されている（例えば、無線端末２００へ送出される新しいトランスポートデータブロックＮＴに対して新しいデータを十分に使用できない）場合、再送を効率的に処理するために追加の仕組みが有用である。
【０１７４】
３つ以上のＭＩＭＯレイヤ／ランクをサポートする２つのＨＡＲＱ符号語を用いる多符号語（multicodeword）ＭＩＭＯシステムにおいて、一方のＨＡＲＱ符号語がＡＣＫ（又は、成功に対応するＰ）であり、且つ、他方のＨＡＲＱ符号語がＮＡＣＫ（又は、失敗に対応するＦ）である場合に、以下で説明する実施形態は、下りリンク送信がバッファ制限されている際にＮＡＣＫに対応する失敗したトランスポートデータブロックを再送する仕組みを提供する。より具体的には、以下で説明する実施形態は、基地局プロセッサ１０１（例えば、無線端末２００に対する基地局プロセッサ１０１の送信バッファ）がバッファ制限されている（例えば、送信バッファがＡＣＫに対応するＭＩＭＯレイヤ上でトランスポートデータブロックを送信するのに十分なデータを有していない）場合の、ＮＡＣＫに対応するトランスポートデータブロックの再送を解決する。このような状況は、例えば、無線端末２００に対する基地局送信バッファが空である場合の、又は下りリンク送信が不連続であり、且つ、ＮＡＣＫに応答して再送が必要とされる場合の、無線端末２００との／無線端末２００に対する、通信／セッション／呼の最後に発生する。最大で４つのＭＩＭＯレイヤをサポートする４つの送信ＭＩＭＯアンテナ及び４つの受信ＭＩＭＯアンテナを含むシステムについて実施形態を説明するが、実施形態は、ランク２及び／又はランク３以上のＭＩＭＯ送信／受信をサポートするどのようなマルチアンテナシステムに適用されてもよい。
【０１７５】
図１９及び図２０Ａ〜図２０Ｃに示すいくつかの実施形態によると、基地局１００においてランク２以上のＴＴＩに対して、ＮＡＣＫ及びＡＣＫが無線端末２００から受信され、且つ、基地局１００が、無線端末２００に対して送信バッファ制限されている（例えば、ＡＣＫに対応するＭＩＭＯレイヤ用のトランスポートデータブロックに対して、バッファリングされた十分なデータが存在しない）場合には、無線端末２００がＡＣＫに対応するレイヤでのデータの受信が成功したことを肯定応答した場合であっても、基地局１００は、ＮＡＣＫに対応するＭＩＭＯレイヤ及びＡＣＫに対応するＭＩＭＯレイヤで同一のデータを再送する。換言すると、同一のＭＩＭＯ  ＴＴＩの（ＮＡＣＫに対応する）失敗したデータの再送を容易にするために、（ＡＣＫに対応する）送受信に成功したデータが再送される。
【０１７６】
図１９のフローチャートに示すように、ブロック１８９９において、基地局プロセッサ１０１は、時間周波数リソースエレメント又はＴＦＲＥとも称する第１のＭＩＭＯ送信時間間隔（ＴＴＩ）の期間に、各ＭＩＭＯレイヤ（ＭＩＭＯストリームとも称する）で１つ以上のトランスポートデータブロックを送信する。最大で４つのＭＩＭＯレイヤをサポートする４アンテナシステムを例として説明するが、実施形態は、ランク２以上のＭＩＭＯ送信／受信をサポートするどのようなマルチアンテナＭＩＭＯシステム（例えば、最大で８つのＭＩＭＯレイヤ／ストリームをサポートする８アンテナシステム）に適用されてもよい。４アンテナシステムのランク１のＭＩＭＯ送信の場合、基地局プロセッサ１０１は、第１のＭＩＭＯ  ＴＴＩの期間に、第１のＭＩＭＯレイヤで１つのトランスポートデータブロックを送信し、第１のＨＡＲＱプロセス（ＨＡＲＱ−１）は、第１のＭＩＭＯレイヤの第１のトランスポートデータブロックにマッピングする。４アンテナシステムのランク２のＭＩＭＯ送信の場合、基地局プロセッサ１０１は、第１のＭＩＭＯ  ＴＴＩの期間に、第１のＭＩＭＯレイヤ／ストリーム及び第２のＭＩＭＯレイヤ／ストリームをそれぞれ介して第１のトランスポートデータブロック及び第２のトランスポートデータブロックを送信し、第１のＨＡＲＱプロセス（ＨＡＲＱ−１）は、第１のＭＩＭＯレイヤの第１のトランスポートデータブロックにマッピングし、第２のＨＡＲＱプロセス（ＨＡＲＱ−２）は、第２のＭＩＭＯレイヤの第２のトランスポートデータブロックにマッピングする。４アンテナシステムのランク３のＭＩＭＯ送信の場合、基地局プロセッサ１０１は、第１のＭＩＭＯ  ＴＴＩの期間に、第１、第２及び第３のＭＩＭＯレイヤをそれぞれ介して第１、第２及び第３のトランスポートデータブロックを送信し、第１のＨＡＲＱプロセスは、第１のＭＩＭＯレイヤの第１のトランスポートデータブロックにマッピングし、第２のＨＡＲＱプロセスは、第２のＭＩＭＯレイヤの第２のトランスポートデータブロック及び第３のＭＩＭＯレイヤの第３のトランスポートデータブロックにマッピングする。４アンテナシステムのランク４のＭＩＭＯ送信の場合、基地局プロセッサ１０１は、第１のＭＩＭＯ  ＴＴＩの期間に、第１、第２、第３及び第４のＭＩＭＯレイヤをそれぞれ介して第１、第２、第３及び第４のトランスポートデータブロックを送信し、第１のＨＡＲＱプロセスは、第１のＭＩＭＯレイヤの第１のトランスポートデータブロック及び第４のＭＩＭＯレイヤの第４のトランスポートデータブロックにマッピングし、第２のＨＡＲＱプロセスは、第２のＭＩＭＯレイヤの第２のトランスポートデータブロック及び第３のＭＩＭＯレイヤの第３のトランスポートデータブロックにマッピングする。
【０１７７】
上述のように、無線端末２００は、第１のＭＩＭＯ  ＴＴＩの期間に使用される各ＨＡＲＱプロセスについてのＡＣＫ又はＮＡＣＫを生成する。第１のＴＴＩにおけるＨＡＲＱプロセスにマッピングする全てのトランスポートデータブロックが、無線端末２００により復号に成功した場合、無線端末２００は、当該ＨＡＲＱプロセスについてのＡＣＫを送信する。第１のＴＴＩにおけるＨＡＲＱプロセスにマッピングするトランスポートデータブロックのうちのいずれか１つが無線端末２００により復号に成功しなかった場合、無線端末２００は、当該ＨＡＲＱプロセスについてのＮＡＣＫを送信する。ブロック１９０１において、基地局プロセッサ１０１は、第１のＴＴＩの期間に使用されたＨＡＲＱプロセスごとのＨＡＲＱプロセスフィードバック（即ち、ＡＣＫ／ＮＡＣＫ）を無線端末２００から受信する。第１のＭＩＭＯ  ＴＴＩが、１つのトランスポートデータブロックを送信するために使用されるランク１のＴＴＩであった場合、トランスポートデータブロックが復号に成功したときにはＡＣＫが第１のＨＡＲＱプロセスに対して受信され、トランスポートデータブロックが復号に成功しなかったときにはＮＡＣＫが第１のＨＡＲＱプロセスに対して受信される。ランク１のＴＴＩの場合、第２のＨＡＲＱプロセスは使用されない。第１のＭＩＭＯ  ＴＴＩが、第１のトランスポートデータブロック及び第２のトランスポートデータブロックを送信するために使用されるランク２のＴＴＩであった場合、第１のトランスポートデータブロックが復号に成功したときにはＡＣＫが第１のＨＡＲＱプロセスに対して受信され、第１のトランスポートデータブロックが復号に成功しなかったときにはＮＡＣＫが第１のＨＡＲＱプロセスに対して受信され、第２のトランスポートデータブロックが復号に成功したときにはＡＣＫが第２のＨＡＲＱプロセスに対して受信され、第２のトランスポートデータブロックが復号に成功しなかったときにはＮＡＣＫが第２のＨＡＲＱプロセスに対して受信される。第１のＭＩＭＯ  ＴＴＩが、第１、第２及び第３のトランスポートデータブロックを送信するために使用されるランク３のＴＴＩであった場合、第１のトランスポートデータブロックが復号に成功したときにはＡＣＫが第１のＨＡＲＱプロセスに対して受信され、第１のトランスポートデータブロックが復号に成功しなかったときにはＮＡＣＫが第１のＨＡＲＱプロセスに対して受信され、第２のトランスポートデータブロック及び第３のトランスポートデータブロックの両方が復号に成功したときにはＡＣＫが第２のＨＡＲＱプロセスに対して受信され、第２のトランスポートデータブロック及び／又は第３のトランスポートデータブロックのいずれか又は両方が復号に成功しなかったときにはＮＡＣＫが第２のＨＡＲＱプロセスに対して受信される。第１のＭＩＭＯ  ＴＴＩが、第１、第２、第３及び第４のトランスポートデータブロックを送信するために使用されるランク４のＴＴＩであった場合、第１のトランスポートデータブロック及び第４のトランスポートデータブロックが復号に成功しなかったときにはＡＣＫが第１のＨＡＲＱプロセスに対して受信され、第１のトランスポートデータブロック及び／又は第４のト��ンスポートデータブロックのいずれか又は両方が復号に成功しなかったときにはＮＡＣＫが第１のＨＡＲＱプロセスに対して受信され、第２のトランスポートデータブロック及び第３のトランスポートデータブロックが復号に成功したときにはＡＣＫが第２のＨＡＲＱプロセスに対して受信され、第２のトランスポートデータブロック及び／又は第３のトランスポートデータブロックのいずれか又は両方が復号に成功しなかったときにはＮＡＣＫが第２のＨＡＲＱプロセスに対して受信される。
【０１７８】
ブロック１９０３及び／又はブロック１９０５において、第１のＭＩＭＯ  ＴＴＩがランク１のＴＴＩであり、且つ／又は、基地局１００が無線端末２００に対して送信バッファ制限されていない場合、基地局プロセッサ１０１は、ブロック１９１５へ進み、上述の図８Ａ、図９、図１０、図１１、図１２、図１３、図１４、図１５、図１６、図１７及び／又は図１８の実施形態に従った動作を行う。あるいは、ブロック１９０３及びブロック１９０５において、第１のＭＩＭＯ  ＴＴＩがランク２以上のＴＴＩであり、且つ、基地局プロセッサが送信バッファ制限されている場合、基地局プロセッサ１０１は、ブロック１９０７へ進む。
【０１７９】
ブロック１９０７において、第１のＭＩＭＯ  ＴＴＩで使用された全てのＨＡＲＱプロセスについてＡＣＫが受信された場合、再送は不要であり、送信バッファ内に、無線端末２００に対して新しいＭＩＭＯ  ＴＴＩをスケジューリングするためのデータは存在しない（あるいは、不十分なデータが存在する）（即ち、ブロック１９０５において、基地局１００は、無線端末２００に対して送信バッファ制限されていると判断された）。したがって、ブロック１９１７において、無線端末２００に対する送信バッファ内に更なるデータが受信されるまで、下りリンク・シグナリング又はトラフィックが、下りリンク・シグナリング又はトラフィックチャネル（例えば、ＨＳ−ＳＣＣＨ又はＨＳ−ＤＰＳＣＨ）を介して無線端末２００へ送信されることはない。
【０１８０】
ブロック１９０７において、第１のＭＩＭＯ  ＴＴＩで使用されたいずれかのＨＡＲＱプロセスについてＮＡＣＫが受信された場合、基地局プロセッサ１０１は、第１のＭＩＭＯ  ＴＴＩの期間に最初に送信された全てのトランスポートデータブロックの再送を示すデータインジケータを生成して送信する。更に、再送を示すデータインジケータは、下りリンク・シグナリングチャネル（例えば、ＨＳ−ＳＣＣＨ）を介して送信される。ブロック１９１１において、データブロックのうちの一部が無線端末２００により復号に成功し、且つ、ＨＡＲＱプロセスの１つについてＡＣＫが受信された場合であっても、基地局プロセッサ１０１は、第１のＭＩＭＯ  ＴＴＩから以前に送信されたデータブロックの全てを再送する。したがって、基地局１００が無線端末２００に対して送信バッファ制限されている場合、第１のＴＴＩで使用されたＨＡＲＱプロセスについて１つのＮＡＣＫが受信される限り、（第１のＭＩＭＯ  ＴＴＩの別のＨＡＲＱプロセスについてＡＣＫが受信された場合でも）第１のＭＩＭＯ  ＴＴＩの全てのトランスポートデータブロックが再送される。
【０１８１】
図２０Ａは、最初の送信（第１のＭＩＭＯ  ＴＴＩ）がランク４の送信である場合の再送テーブルである。図２０Ａのテーブルの２行目、３行目、６行目、７行目、１０行目、１１行目、１４行目及び１５行目に示すように、第１のＭＩＭＯ  ＴＴＩがランク４である場合、第１のＡＣＫ−ＮＡＣＫ符号語及び第２のＡＣＫ−ＮＡＣＫ符号語の一方が肯定応答（ＡＣＫ）であり、且つ、第１のＡＣＫ−ＮＡＣＫ符号語及び第２のＡＣＫ−ＮＡＣＫ符号語の他方が否定応答（ＮＡＣＫ）であるときには、ブロック１９１１において、基地局プロセッサ１０１は、第２のＭＩＭＯ  ＴＴＩの期間に（ＵＥのランクの選択／希望に関係なく、ランク４を維持して）第１、第２、第３及び第４のＭＩＭＯレイヤをそれぞれ介して第１、第２、第３及び第４のデータブロックを無線端末２００へ再送する。同様に、図２０Ａの４行目、８行目、１２行目及び１６行目に示すように、ＡＣＫ−ＮＡＣＫ符号語の両方がＮＡＣＫである場合には、ブロック１９１１において、基地局プロセッサ１０１は、第２のＭＩＭＯ  ＴＴＩの期間に（ＵＥのランクの選択／希望に関係なく、ランク４を維持して）第１、第２、第３及び第４のデータブロックを再送する。図２０Ａの１行目、５行目、９行目及び１３行目に示すように、全てのＡＣＫが受信され、且つ、基地局１００が無線端末２００に対して送信バッファ制限さていれる場合には、ブロック１９１７において送信／再送は行われない。全てのＡＣＫが受信され、且つ、基地局１００が無線端末２００に対して送信バッファ制限されている場合には、無線端末２００に対する送信バッファ内に追加データが受信されるまで、下りリンク・シグナリング及び／又はトラフィックチャネル（例えば、ＨＳ−ＳＣＣＨ及び／又はＨＳ−ＤＰＳＣＨ）を介して無線端末２００へ下りリンク・シグナリング又はトラフィックが送信されることはない。
【０１８２】
図２０Ｂは、最初の送信（第１のＭＩＭＯ  ＴＴＩ）がランク３の送信である場合の再送テーブルである。図２０Ｂのテーブルの２行目、３行目、６行目、７行目、１０行目、１１行目、１４行目及び１５行目に示すように、第１のＭＩＭＯ  ＴＴＩがランク３である場合、第１のＡＣＫ−ＮＡＣＫ符号語及び第２のＡＣＫ−ＮＡＣＫ符号語の一方が肯定応答（ＡＣＫ）であり、且つ、第１のＡＣＫ−ＮＡＣＫ符号語及び第２のＡＣＫ−ＮＡＣＫ符号語の他方が否定応答（ＮＡＣＫ）であるときには、ブロック１９１１において、基地局プロセッサ１０１は、第２のＭＩＭＯ  ＴＴＩの期間に（ＵＥのランクの選択／希望に関係なく、ランク３を維持して）第１、第２及び第３のＭＩＭＯレイヤをそれぞれ介して第１、第２及び第３のデータブロックを無線端末２００へ再送する。同様に、図２０Ｂの４行目、８行目、１２行目及び１６行目に示すように、ＡＣＫ−ＮＡＣＫ符号語の両方がＮＡＣＫである場合には、ブロック１９１１において、基地局プロセッサ１０１は、第２のＭＩＭＯ  ＴＴＩの期間に（ＵＥのランクの選択／希望に関係なく、ランク３を維持して）第１、第２及び第３のデータブロックを再送する。図２０Ｂの１行目、５行目、９行目及び１３行目に示すように、全てのＡＣＫが受信され、且つ、基地局１００が無線端末２００に対して送信バッファ制限されている場合、ブロック１９１７において送信／再送は行われない。全てのＡＣＫが受信され、且つ、基地局１００が無線端末２００に対して送信バッファ制限されている場合、無線端末２００に対する送信バッファ内に追加データが受信されるまで、下りリンク・シグナリング及び／又はトラフィックチャネル（例えば、ＨＳ−ＳＣＣＨ及び／又はＨＳ−ＤＰＳＣＨ）を介して無線端末２００へ下りリンク・シグナリング又はトラフィックが送信されることはない。
【０１８３】
図２０Ｃは、最初の送信（第１のＭＩＭＯ  ＴＴＩ）がランク２の送信である場合の再送テーブルである。図２０Ｃのテーブルの２行目、３行目、６行目、７行目、１０行目、１１行目、１４行目及び１５行目に示すように、第１のＭＩＭＯ  ＴＴＩがランク２である場合、第１のＡＣＫ−ＮＡＣＫ符号語及び第２のＡＣＫ−ＮＡＣＫ符号語の一方が肯定応答（ＡＣＫ）であり、且つ、第１のＡＣＫ−ＮＡＣＫ符号語及び第２のＡＣＫ−ＮＡＣＫ符号語の他方が否定応答（ＮＡＣＫ）であるときには、ブロック１９１１において、基地局プロセッサ１０１は、第２のＭＩＭＯ  ＴＴＩの期間に（ＵＥのランクの選択／希望に関係なく、ランク２を維持して）第１のＭＩＭＯレイヤ及び第２のＭＩＭＯレイヤをそれぞれ介して第１のデータブロック及び第２のデータブロックを無線端末２００へ再送する。同様に、図２０Ｃの４行目、８行目、１２行目及び１６行目に示すように、ＡＣＫ−ＮＡＣＫ符号語の両方がＮＡＣＫである場合には、ブロック１９１１において、基地局プロセッサ１０１は、第２のＭＩＭＯ  ＴＴＩの期間に（ＵＥのランクの選択／希望に関係なく、ランク２を維持して）第１のデータブロック及び第２のデータブロックを再送する。図２０Ｃの１行目、５行目、９行目及び１３行目に示すように、全てのＡＣＫが受信され、且つ、基地局１００が無線端末２００に対して送信バッファ制限されている場合、ブロック１９１７において送信／再送は行われない。全てのＡＣＫが受信され、且つ、基地局１００が無線端末２００に対して送信バッファ制限されている場合、無線端末２００に対する送信バッファ内に追加データが受信されるまで、下りリンク・シグナリング及び／又はトラフィックチャネル（例えば、ＨＳ−ＳＣＣＨ及び／又はＨＳ−ＤＰＳＣＨ）を介して無線端末２００へ下りリンク・シグナリング又はトラフィックが送信されることはない。
【０１８４】
図２１及び図２２Ａ〜図２２Ｃに示すいくつかの実施形態によると、ランク２以上の下りリンクＭＩＭＯ  ＴＴＩに、基地局１００においてＮＡＣＫ及びＡＣＫが無線端末２００から受信され、且つ、基地局１００が無線端末２００に対して送信制限されている（例えば、ＡＣＫに対応するＭＩＭＯレイヤ用の新しいトランスポートデータブロックに対して、バッファリングされた十分なデータが存在しない）場合、基地局１００は、第２のＭＩＭＯ  ＴＴＩの期間、ＮＡＣＫに対応するトランスポートデータブロックの再送に対して同一のランクを維持する。したがって、ＮＡＣＫに対応するトランスポートデータブロックは、第１のＭＩＭＯ  ＴＴＩの期間に使用されたのと同一のＭＩＭＯレイヤで、第２のＭＩＭＯ  ＴＴＩの期間に再送される。しかし、第２のＭＩＭＯ  ＴＴＩの期間にＡＣＫに対応するトランスポートデータブロックを再送する代わりに、基地局１００は、下りリンク・シグナリングチャネル（例えば、ＨＳ−ＳＣＣＨ）を介して間欠送信（ＤＴＸ：discontinuous transmission）の指示を送信して、ＡＣＫに対応するＭＩＭＯレイヤでデータが送信されないことを無線端末２００に通知してもよい。
【０１８５】
図２１は、無線端末２００における復号の失敗を示すＮＡＣＫに応じた再送をサポートする基地局の動作を示すフローチャートである。ブロック１８９９、１９０１、１９０３、１９０５及び１９１７の動作は、図１９に関して上述した動作と同一であり、簡潔化のためにそれらの更なる説明を省略する。ブロック１９０３及び／又はブロック１９０５において、第１のＭＩＭＯ  ＴＴＩがランク１のＴＴＩであり、且つ／又は、基地局１００が無線端末２００に対して送信バッファ制限されていない場合、基地局プロセッサ１０１は、ブロック１９１５へ進み、上述のように図８Ａ、図９、図１０、図１１、図１２、図１３、図１４、図１５、図１６、図１７及び／又は図１８の実施形態に従った動作を行う。あるいは、ブロック１９０３及びブロック１９０５において、第１のＭＩＭＯ  ＴＴＩがランク２以上のＴＴＩであり、且つ、基地局プロセッサが送信バッファ制限されている場合、基地局プロセッサ１０１は、ブロック２１０７へ進む。
【０１８６】
ブロック２１０７において、第１のＭＩＭＯ  ＴＴＩで使用された全てのＨＡＲＱプロセスについてＡＣＫが受信された場合、再送は不要であり、送信バッファ内に、無線端末２００に対して新しいＭＩＭＯ  ＴＴＩをスケジューリングするためにデータは存在しない（あるいは、不十分なデータが存在する）（即ち、ブロック１９０５において、基地局１００は、無線端末２００に対して送信バッファ制限されていると判断された）。したがって、ブロック１９１７において、無線端末２００に対する送信バッファ内に更なるデータが受信されるまで、下りリンク・シグナリング又はトラフィックが、下りリンク・シグナリング又はトラフィックチャネル（例えば、ＨＳ−ＳＣＣＨ又はＨＳ−ＤＰＳＣＨ）を介して無線端末２００へ送信されることはない。
【０１８７】
ブロック２１０７において、第１のＭＩＭＯ  ＴＴＩで使用された全てのＨＡＲＱプロセスについてＮＡＣＫが受信された場合、ブロック２１０９において、基地局プロセッサ１０１は、第１のＭＩＭＯ  ＴＴＩの期間に最初に送信された全てのトランスポートデータブロックの（第２のＭＩＭＯ  ＴＴＩにおける）再送を示すデータインジケータを生成して送信する。更に、再送を示すデータインジケータは、下りリンク・シグナリングチャネル（例えば、ＨＳ−ＳＣＣＨ）を介して送信される。ブロック２１１１において、基地局プロセッサ１０１は、第１のＭＩＭＯ  ＴＴＩから以前に送信されたデータブロックの全てを、第２のＭＩＭＯ  ＴＴＩの期間に下りリンクトラフィックチャネル（例えばＨＳ−ＤＰＳＣＨ）を介して再送する。
【０１８８】
ブロック２１０７において、第１のＭＩＭＯ  ＴＴＩで使用された一方のＨＡＲＱプロセスについてＮＡＣＫが受信され、且つ、第１のＭＩＭＯ  ＴＴＩで使用された他方のＨＡＲＱプロセスについてＡＣＫが受信される場合、ブロック２１２１において、基地局プロセッサ１０１は、第２のＭＩＭＯ  ＴＴＩの期間に、（ＡＣＫに対応するＭＩＭＯレイヤで送信が行われないことを示す）間欠送信（ＤＴＸ）インジケータと、ＮＡＣＫに対応するトランスポートデータブロックの再送を示すデータインジケータとを生成して送信する。ＤＴＸインジケータと再送を示すデータインジケータとは、下りリンク・シグナリングチャネル（例えば、ＨＳ−ＳＣＣＨ）を介して送信される。ブロック２１２３において、基地局プロセッサ１０１は、ＡＣＫに対応するトランスポートデータブロックを再送せずに、第２のＭＩＭＯ  ＴＴＩの期間に、ＮＡＣＫに対応するＭＩＭＯ  ＴＴＩレイヤでＮＡＣＫに対応するトランスポートデータブロックを再送する。より具体的には、ＮＡＣＫに対応するトランスポートデータブロックは、第２のＭＩＭＯ  ＴＴＩの期間に、下りリンクトラフィックチャネル（例えば、ＨＳ−ＤＰＳＣＨ）を介して送信される。再送前にＤＴＸインジケータを提供することにより、無線端末２００は、第２のＭＩＭＯ  ＴＴＩの期間にＡＣＫに対応するＭＩＭＯレイヤを無視することを認識する。
【０１８９】
図２２Ａは、最初の送信（第１のＭＩＭＯ  ＴＴＩ）がランク４の送信である場合の再送テーブルである。図２２Ａのテーブルの２行目、３行目、６行目、７行目、１０行目、１１行目、１４行目及び１５行目に示すように、第１のＭＩＭＯ  ＴＴＩがランク４である場合に、ブロック２１２１において、基地局プロセッサ１０１は、ＡＣＫに対応するＭＩＭＯレイヤについて間欠送信ＤＴＸインジケータを送信し、ブロック２１２３において、基地局プロセッサ１０１は、ＯＴで示すように、第２のＭＩＭＯ  ＴＴＩの期間に、第１のＭＩＭＯ  ＴＴＩからのＮＡＣＫに対応するトランスポートデータブロックのみ再送する。更に、基地局プロセッサ１０１は、無線端末２００により提案／要求されたランクに関係なく、第２のＭＩＭＯ  ＴＴＩの期間には、第１のＭＩＭＯ  ＴＴＩのＭＩＭＯランク（即ち、ランク４）を維持する。別の例では、ＡＣＫが（レイヤ１及びレイヤ４にマッピングされた）第１のＨＡＲＱプロセスに対応する場合、ＭＩＭＯレイヤ２及びＭＩＭＯレイヤ３を使用するＨＡＲＱ−２データブロックの再送をサポートするにはランク３で十分であるため、（図２２Ａの２行目、６行目、１０行目及び１４行目に示すように）基地局プロセッサ１０１は、第２のＭＩＭＯ  ＴＴＩにランク３を使用できるようにする。３行目、７行目、１１行目及び１５行目では、ブロック２１２３において、第１のトランスポートデータブロック及び第４のトランスポートデータブロックが第１のＭＩＭＯレイヤ及び第４のＭＩＭＯレイヤをそれぞれ介して再送され、２行目、６行目、１０行目及び１４行目では、ブロック２１２３において、第２のトランスポートデータブロック及び第３のトランスポートデータブロックが第２のＭＩＭＯレイヤ及び第３のＭＩＭＯレイヤをそれぞれ介して再送される。図２２Ａの４行目、８行目、１２行目及び１６行目に示すように、ブロック２１１１において、第１のＭＩＭＯ  ＴＴＩに対してＮＡＣＫのみが受信されるため、基地局プロセッサ１０１は、第２のＭＩＭＯ  ＴＴＩの期間に、第１のＭＩＭＯ  ＴＴＩからの全てのトランスポートデータブロックを再送する。例えば、第１、第２、第３及び第４のトランスポートデータブロックが、第２のＭＩＭＯ  ＴＴＩの期間に、第１、第２、第３及び第４のＭＩＭＯレイヤをそれぞれ介して再送される。図２２Ａの１行目、５行目、９行目及び１３行目に示すように、全てのＡＣＫが受信され、且つ、基地局１００が無線端末２００に対してバッファ制限されている場合、ブロック１９１７において、送信／再送は行われない。全てのＡＣＫが受信され、且つ、基地局１００が無線端末２００に対してバッファ制限されている場合、無線端末２００に対する送信バッファ内に追加データが受信されるまで、下りリンシグナリング又はトラフィックが、下りリンク・シグナリング及び／又はトラフィックチャネル（例えば、ＨＳ−ＳＣＣＨ及び／又はＨＳ−ＤＰＳＣＨ）を介して無線端末２００へ送信されることはない。
【０１９０】
図２２Ｂは、最初の送信（第１のＭＩＭＯ  ＴＴＩ）がランク３の送信である場合の再送テーブルである。図２２Ｂのテーブルの２行目、３行目、６行目、７行目、１０行目、１１行目、１４行目及び１５行目に示すように、第１のＭＩＭＯ  ＴＴＩがランク３である場合に、ブロック２１２１において、基地局プロセッサ１０１は、ＡＣＫに対応するＭＩＭＯレイヤについて間欠送信ＤＴＸインジケータを送信し、ブロック２１２３において、基地局プロセッサ１０１は、ＯＴで示すように、第２のＭＩＭＯ  ＴＴＩの期間に、第１のＭＩＭＯ  ＴＴＩからのＮＡＣＫに対応するトランスポートデータブロックのみを再送する。更に、基地局プロセッサ１０１は、無線端末２００により提案／要求されたランクに関係なく、第２のＭＩＭＯ  ＴＴＩの期間には、第１のＭＩＭＯ  ＴＴＩのＭＩＭＯランク（即ち、ランク３）を維持する。別の例では、異なるランクが、ＮＡＣＫに対応するＭＩＭＯレイヤを使用する送信／受信をサポートしている場合には、（例えば、２行目、６行目、１１行目又は１５行目に括弧で示すように）基地局プロセッサ１０１は、異なるランクを使用できるようにする。３行目、７行目、１１行目及び１５行目では、ブロック２１２３において、第１のトランスポートデータブロックが第１のＭＩＭＯレイヤで再送され、２行目、６行目、１０行目及び１４行目では、ブロック２１２３において、第２のトランスポートデータブロック及び第３のトランスポートデータブロックが第２のＭＩＭＯレイヤ及び第３のＭＩＭＯレイヤをそれぞれ介して再送される。図２２Ｂの４行目、８行目、１２行目及び１６行目に示すように、第１のＭＩＭＯ  ＴＴＩに対してＮＡＣＫのみが受信されるため、ブロック２１１１において、基地局プロセッサ１０１は、第２のＭＩＭＯ  ＴＴＩの期間に、第１のＭＩＭＯ  ＴＴＩからの全てのトランスポートデータブロックを再送する。例えば、第１、第２及び第３のトランスポートデータブロックが、第２のＭＩＭＯ  ＴＴＩの期間に、第１、第２及び第３のＭＩＭＯレイヤをそれぞれ介して再送される。図２２Ｂの１行目、５行目、９行目及び１３行目に示すように、全てのＡＣＫが受信され、且つ、基地局１００が無線端末２００に対してバッファ制限されている場合、ブロック１９１７において、送信／再送は行われない。全てのＡＣＫが受信され、且つ、基地局１００が無線端末２００に対してバッファ制限されている場合、無線端末２００に対する送信バッファ内に追加データが受信されるまで、下りリンシグナリング又はトラフィックが、下りリンク・シグナリング及び／又はトラフィックチャネル（例えば、ＨＳ−ＳＣＣＨ及び／又はＨＳ−ＤＰＳＣＨ）を介して無線端末２００へ送信されることはない。
【０１９１】
図２２Ｃは、最初の送信（第１のＭＩＭＯ  ＴＴＩ）がランク２の送信である場合の再送テーブルである。図２２Ｃのテーブルの２行目、３行目、６行目、７行目、１０行目、１１行目、１４行目及び１５行目に示すように、第１のＭＩＭＯ  ＴＴＩがランク２である場合に、ブロック２１２１において、基地局プロセッサ１０１は、ＡＣＫに対応するＭＩＭＯレイヤについて間欠送信ＤＴＸインジケータを送信し、ブロック２１２３において、基地局プロセッサ１０１は、ＯＴで示すように、第２のＭＩＭＯ  ＴＴＩの期間に、第１のＭＩＭＯ  ＴＴＩからのＮＡＣＫに対応するトランスポートデータブロックのみを再送する。更に、基地局プロセッサ１０１は、無線端末２００により提案／要求されたランクに関係なく、第２のＭＩＭＯ  ＴＴＩの期間には、第１のＭＩＭＯ  ＴＴＩのＭＩＭＯランク（即ち、ランク２）を維持する。別の例では、異なるランクが、ＮＡＣＫに対応するＭＩＭＯレイヤを使用する送信／受信をサポートしている場合には、（例えば、３行目、７行目及び１５行目に括弧で示すように）基地局プロセッサ１０１は、異なるランクを使用できるようにする。３行目、７行目、１１行目及び１５行目では、ブロック２１２３において、第１のトランスポートデータブロックが第１のＭＩＭＯレイヤで再送され、２行目、６行目、１０行目及び１４行目では、ブロック２１２３において、第２のトランスポートデータブロックが第２のＭＩＭＯレイヤで再送される。図２２Ｃの４行目、８行目、１２行目及び１６行目に示すように、第１のＭＩＭＯ  ＴＴＩに対してＮＡＣＫのみが受信されるため、ブロック２１１１において、基地局プロセッサ１０１は、第２のＭＩＭＯ  ＴＴＩの期間に、第１のＭＩＭＯ  ＴＴＩからの全てのトランスポートデータブロックを再送する。例えば、第１のトランスポートデータブロック及び第２のトランスポートデータブロックが、第２のＭＩＭＯ  ＴＴＩの期間に、第１のＭＩＭＯレイヤ及び第２のＭＩＭＯレイヤをそれぞれ介して再送される。図２２Ｃの１行目、５行目、９行目及び１３行目に示すように、全てのＡＣＫが受信され、且つ、基地局１００が無線端末２００に対してバッファ制限されている場合、ブロック１９１７において、送信／再送は行われない。全てのＡＣＫが受信され、且つ、基地局１００が無線端末２００に関してバッファにより制限される場合、無線端末２００に対する送信バッファ内に追加データが受信されるまで、下りリンシグナリング又はトラフィックが、下りリンク・シグナリング及び／又はトラフィックチャネル（例えば、ＨＳ−ＳＣＣＨ及び／又はＨＳ−ＤＰＳＣＨ）を介して無線端末２００へ送信されることはない。
【０１９２】
図２１及び図２２Ａ〜図２２Ｃに関して上述した実施形態によると、間欠送信ＤＴＸインジケータは、ＨＳ−ＳＣＣＨ等の下りリンク・シグナリングチャネルを介して送信される。例えばＤＴＸインジケータは、ＨＳ−ＳＣＣＨの５ビット変調／ランク・フィールドの、現在未使用のビットパターン、及び／又はＨＳ−ＳＣＣＨの６ビット・トランスポートブロックサイズ・フィールドの、未使用のビットパターンとして送信される。
【０１９３】
図２３Ａは、（最大で４つのＭＩＭＯレイヤをサポートする４つの送信アンテナ及び４つの受信アンテナを有する）４ブランチＭＩＭＯシステム用の、ＨＳ−ＳＣＣＨスロットの構成を示すブロック図である。部分１は、チャネライゼーションコードのセット、プリコーディング重み情報、変調方式、及び好適なトランスポートデータブロック数に関する情報を搬送するために使用される。部分２は、トランスポートブロックサイズ、（複数の）ＨＡＲＱプロセス、並びに、冗長度及びコンスタレーションバージョンに関する情報を搬送するために使用される。より具体的には、図２３Ａは、ＨＳ−ＳＣＣＨについてのタイプ４の構成を示す。
【０１９４】
図２３Ｂは、４ブランチＭＩＭＯについてのＨＳ−ＳＣＣＨの部分１を示すブロック図である。４ブランチＭＩＭＯの場合、ＨＳ−ＳＣＣＨの部分１は、図２３Ｂに示すように、チャネライゼーションコードセットＣＣＳ情報（７ビット）、変調及びランク情報ＭＲ（５ビット）、並びにプリコーディング・インデックスＰＣＩ（４ビット）に関する１６ビットを含む。ランク情報（ＲＩ）は、変調及びランク情報の５ビットを介して非明示的に通知される。無線端末２００の識別子は、部分１の符号化されたシーケンスに適用されたＵＥ固有のマスクを介して、部分１でシグナリングされてもよい。したがって、部分１の全ての情報に必要なのは１６ビットのみである。
【０１９５】
図２３Ｃは、４ブランチＭＩＭＯについてのＨＳ−ＳＣＣＨの部分２を示すブロック図である。４ブランチＭＩＭＯの場合、ＨＳ−ＳＣＣＨの部分２は、図２３Ｃに示すように、ＨＡＲＱ−１のトランスポートブロックサイズＴＢＳ−１（６ビット）、ＨＡＲＱ−２のトランスポートブロックサイズＴＢＳ−２（６ビット）、ＨＡＲＱプロセス（４ビット）、２つのストリーム／レイヤ及び／又はＨＡＲＱプロセスについての冗長バージョンＲＶ（４ビット）、並びに無線端末識別情報ＵＥＩＤ（１６ビット）に関する３６ビットを含む。１つのＨＡＲＱプロセスのみを使用する単一のストリーム／レイヤ（ランク１）の送信の場合、ＨＳ−ＳＣＣＨの部分２は、２８ビットに低減されうる。
【０１９６】
図２３Ｄは、無線端末２００へのＨＳ−ＰＤＳＣＨ送信及びＨＳ−ＳＣＣＨ送信のタイミングチャートを示すブロック図である。ＨＳ−ＳＣＣＨ（例えば、ＨＳ−ＳＣＣＨ１）の部分１の部分を復号し、その後、対応するＨＳ−ＤＰＳＣＨ（例えば、ＨＳ−ＤＰＳＣＨ１）を受信するように受信機を構成するのに十分な時間を無線端末２００に与えるために、図２３Ｄに示すように、ＨＳ−ＳＣＣＨ１は、関連するＨＳ−ＤＰＳＣＨ１サブフレームの２つ前のスロットで送信される。
【０１９７】
いくつかの実施形態によると、ＤＴＸインジケータは、ＨＳ−ＳＣＣＨの５ビットの変調／ランクＭＲフィールドの、現在未使用のビットパターンとして送信される。図２４は、図２３Ｂに示すＨＳ−ＳＣＣＨの部分１において変調及びランクＭＲ情報を伝達するために使用される、５ビットのパターンを示すテーブルである。特に、４レイヤＭＩＭＯシステムにおける変調／ランクについての３０個の異なる組み合わせを識別するために、５ビットが使用され、その場合に、２つの変調方式が４つのレイヤにマッピングされ、ビット組み合わせのうちの２つ（例えば、１１１１０及び１１１１１）が使用されていない。第１の変調（変調−１）は、第１のＨＡＲＱプロセス（ＨＡＲＱ−１）にマッピングされ、それにより第１のＭＩＭＯレイヤ及び第４のＭＩＭＯレイヤにマッピングされ、第２の変調（変調−２）は、第２のＨＡＲＱプロセス（ＨＡＲＱ−２）にマッピングされ、それにより第２のＭＩＭＯレイヤ及び第３のＭＩＭＯレイヤにマッピングされる。
【０１９８】
図２５は、図２１及び図２２Ａ〜図２２Ｃに関して上述したＤＴＸインジケータを提供するための、以前に使用されていないＭＲビットパターン（例えば、１１１１０及び１１１１１）の使用を含む、変調／送信ランクについてのＨＳ−ＳＣＣＨの組み合わせを示すテーブルである。例えば、ＭＲビットパターン１１１１０は、第１のＨＡＲＱプロセスが第２のＭＩＭＯ  ＴＴＩの期間に再送に使用されないことを示すＤＴＸインジケータとして使用され、より具体的には、第１のＭＩＭＯレイヤ及び第４のＭＩＭＯレイヤが第２のＭＩＭＯ  ＴＴＩの期間に送信／再送に使用されないことを示すＤＴＸインジケータとして使用される。同様に、ＭＲビットパターン１１１１１は、第２のＨＡＲＱプロセスが第２のＭＩＭＯ  ＴＴＩの期間に再送に使用されないことを示すＤＴＸインジケータとして使用され、より具体的には、第２のＭＩＭＯレイヤ及び第３のＭＩＭＯレイヤが第２のＭＩＭＯ  ＴＴＩの期間に送信／再送に使用されないことを示すＤＴＸインジケータとして使用される。基地局プロセッサ１０１が、再送に使用される第２のＭＩＭＯ  ＴＴＩの期間に、第１のＭＩＭＯ  ＴＴＩと同一の（例えば、変調、ランク及びトランスポートブロックサイズを含む）送信特性を維持するため、再送用のランク及び変調のシグナリングは不要である。換言すると、ＤＴＸインジケータは、再送ＭＩＭＯ  ＴＴＩの期間に、第１のＭＩＭＯ  ＴＴＩからの変調及びランク情報が再使用されることを示唆する。
【０１９９】
いくつかの他の実施形態によると、ＤＴＸインジケータは、使用されていないＨＡＲＱプロセスについてのＨＳ−ＳＣＣＨのトランスポートブロックサイズＴＢＳの、現在未使用のビットパターンとして送信される。図２３Ｃに関して上述したように、ＨＳ−ＳＣＣＨの部分２は、ＨＡＲＱプロセス毎に６ビットのＴＢＳフィールドを含む（６４個のビット組み合わせを提供する）。しかし、６３個の異なるトランスポートブロックサイズのみがＨＡＲＱプロセスに対して定義され、６４個のビット組み合わせのうちの１つ（例えば、００００００又は１１１１１１）は使用されない。第１のＨＡＲＱプロセスについてのＤＴＸインジケータとして、再送ＭＩＭＯ  ＴＴＩ用の、ＨＳ−ＳＣＣＨの部分２のスロットのＴＢＳ−１を、１１１１１１（又は００００００）に設定することにより、基地局プロセッサ１０１は、第１のＨＡＲＱプロセスが第２のＭＩＭＯ  ＴＴＩの期間に再送に使用されないことをシグナリングし、より具体的には、第１のＭＩＭＯレイヤ及び第４のＭＩＭＯレイヤが第２のＭＩＭＯ  ＴＴＩの期間に送信／再送に使用されないことをシグナリングする。第２のＨＡＲＱプロセスについてのＤＴＸインジケータとして、再送ＭＩＭＯ  ＴＴＩ用の、ＨＳ−ＳＣＣＨの部分２のスロットのＴＢＳ−２を、１１１１１１（又は００００００）に設定することにより、基地局プロセッサ１０１は、第２のＨＡＲＱプロセスが第２のＭＩＭＯ  ＴＴＩの期間に再送に使用されないことをシグナリングし、より具体的には、第２のＭＩＭＯレイヤ及び第３のＭＩＭＯレイヤが第２のＭＩＭＯ  ＴＴＩの期間に送信／再送に使用されないことをシグナリングする。
【０２００】
このように、本発明概念の実施形態は、遅延を大幅に妥協することなく（例えば、無線リンクプロトコルの再送を回避／減少することなく）、大きな利得を提供する。
【０２０１】
ＡＣＫメッセージが一方のＨＡＲＱプロセスに対して受信され、ＮＡＣＫメッセージが他方のＨＡＲＱプロセスに対して受信され、且つ、基地局プロセッサ１０１が無線端末２００に対して送信バッファ制限されている場合の、ランク２以上の再送では、基地局プロセッサ１０１は、このように、ＤＴＸインジケータを送信することで、ＡＣＫメッセージに対応する送信レイヤを使用してデータが送信／再送されないことをシグナリングする。図２４及び図２５に関して上述したいくつかの実施形態によると、第１の固有の（以前に使用されていない）変調及び送信ランク（変調‐ランク、又はＭＲ）ビットパターン（例えば、１１１１０）が、第１のＨＡＲＱプロセスに対応する送信レイヤについての間欠送信ＤＴＸを知らせるために使用され、第２の固有の（以前に使用されていない）変調及び送信ランク（変調‐ランク、又はＭＲ）ビットパターン（例えば、１１１１１）が、第２のＨＡＲＱプロセスに対応する送信レイヤについての間欠送信ＤＴＸを知らせるために使用される。図２３Ｃに関して上述したいくつかの他の実施形態によると、以前に使用されていない固有のビットパターン（例えば、１１１１１１）が、肯定応答されたＨＡＲＱプロセスに対応する送信レイヤについての間欠送信ＤＴＸを知らせるために、肯定応答されたＨＡＲＱプロセスに対応する各トランスポートブロックサイズＴＢＳに使用される。例えば、第１のＨＡＲＱプロセスが肯定応答され、且つ、第２のＨＡＲＱプロセスが否定応答される場合、ビットパターン１１１１１１が、ＴＢＳ−１に（送信／受信レイヤ１及び／又は送信／受信レイヤ４に対して）使用され、第１のＨＡＲＱプロセスが否定応答され、且つ、第２のＨＡＲＱプロセスが肯定応答される場合、ビットパターン１１１１１１が、ＴＢＳ−２に（送信／受信レイヤ２及び／又は送信／受信レイヤ３に対して）使用される。
【０２０２】
このように、基地局プロセッサ１０１が無線端末２００に対して送信バッファ制限されている際に、ＮＡＣＫメッセージに対応する第２のＭＩＭＯレイヤで再送する場合、ＤＴＸインジケータは、ＡＣＫメッセージに対応する第１のＭＩＭＯレイヤを介した間欠送信を知らせるために、下りリンク・シグナリングチャネル（ＨＳ−ＳＣＣＨ）を介して基地局プロセッサ１０１により送信される。更に、基地局プロセッサ１０１は、下りリンク・シグナリングチャネルを介して、第１のＭＩＭＯレイヤを介した新しいデータの送信を示すデータインジケータ、及び第２のＭＩＭＯレイヤを介した再送を示すデータインジケータを送信する。より具体的には、それらのデータインジケータは、下りリンク・シグナリングチャネル（ＨＳ−ＳＣＣＨ）の冗長バージョン（ＲＶ）フィールドで提供される。
【０２０３】
以下に説明する実施形態は、再送用の（一方のＨＡＲＱプロセスに対応するデータブロックについての再送、及び他方のＨＡＲＱプロセスに対応するデータブロックについてのＤＴＸを示す）そのようなＤＴＸインジケータ及びデータインジケータの受信に応じて、再送の間に受信したデータを処理し、且つ、ＤＴＸされた受信レイヤに関連するフィードバック情報を送信するための、無線端末プロセッサ２０１の動作を提供する。
【０２０４】
一般に、ＭＩＭＯレイヤが、ＭＩＭＯ  ＴＴＩ（ＴＴＩ及び／又はＴＦＲＥとも称する）の期間にＤＴＸされた場合、無線端末プロセッサ２０１は、当該ＴＴＩについてＤＴＸされたＭＩＭＯレイヤに関連するデータ／シンボルを破棄／無視し、無線端末プロセッサ２０１は、当該ＴＴＩについてＤＴＸされたＭＩＭＯレイヤに対するソフトバッファをクリアする。
【０２０５】
無線端末２００が、（例えば、下りリンク・シグナリングＭＲフィールド又は下りリンク・シグナリングＴＢＳフィールド内の固有のコードとして）第１のＭＩＭＯレイヤについてのＤＴＸインジケータと、（例えば、下りリンク・シグナリングＲＶフィールドにおいて）第１のＭＩＭＯレイヤの最初の送信についてのデータインジケータと、（例えば、下りリンク・シグナリングＲＶフィールドにおいて）第２のＭＩＭＯレイヤの再送についてのデータインジケータとを受信する場合、無線端末プロセッサ２０１は、第１のＭＩＭＯレイヤで受信したデータ／シンボルを破棄／無視し、無線端末プロセッサ２０１は、第２のＭＩＭＯレイヤで受信した再送データを処理する。より具体的には、無線端末プロセッサ２０１が、１つの／複数のＭＩＭＯレイヤについて、ＤＴＸインジケータと最初の送信に関するデータインジケータとを受信する場合、無線端末プロセッサ２０１は、ＤＴＸに対応するＭＩＭＯレイヤについてデフォルトのＨＡＲＱメッセージを生成して送信し、ＤＴＸされたＭＩＭＯレイヤについて受信したシンボル／データを破棄し、ＤＴＸされたＭＩＭＯレイヤについてのデータは先行のＴＴＩにおいて復号に成功したとみなす。いくつかの実施形態によると、ＤＴＸされたＭＩＭＯレイヤについてのデフォルトのＨＡＲＱメッセージは、ＡＣＫメッセージである。いくつかの他の実施形態によると、ＤＴＸされたＭＩＭＯレイヤについてのデフォルトのＨＡＲＱメッセージは、ＮＡＣＫメッセージである。ＤＴＸされたＭＩＭＯレイヤについてのシンボル／データを破棄／無視することにより、ハードウェアリソースの利用及び／又は処理のオーバヘッドが低減されうる。
【０２０６】
いくつかの実施形態によると、符号語／レイヤがＤＴＸされた場合、無線端末ＵＥ２００は、ＤＴＸされた符号語／レイヤについて、データを破棄してソフトバッファをフラッシュし、無線端末ＵＥ２００は、ＤＴＸされた符号語／レイヤのデータを格納しない。いくつかの実施形態によると、
１．ＵＥが新規データインジケータと共に１１１１１１を（例えば、ＲＶインジケータを介して明示的又は非明示的に）受信した場合、ＵＥは、対応する符号語がＤＴＸされると認識する必要がある。
２．ＵＥが新規データインジケータと共に１１１１１１を受信した場合、ＵＥは、
ａ．当該ＨＡＲＱプロセスにおけるデータの肯定応答（ＡＣＫ）を生成し、
ｂ．受信データを破棄し、
ｃ．データが復号に成功したとみなす必要がある。
動作２．ａ及び２．ｂの代わりに、ＵＥは、（２ａ）当該ＨＡＲＱプロセスにおけるデータの否定応答（ＮＡＣＫ）を生成し、（２ｂ）受信データを破棄してもよい。
【０２０７】
ＨＡＲＱプロセス（例えば、ＨＡＲＱ−１又はＨＡＲＱ−２）及び各ＨＡＲＱ識別情報（例えば、Ｈ＿ａ又はＨ＿ｂ）は、基地局１００から無線端末２００への下りリンク送信／再送をサポートするために使用され、２つのＨＡＲＱプロセス及び各ＨＡＲＱ識別情報は、最大で４つのレイヤ／ストリームの下りリンク送信をサポートする４アンテナＭＩＭＯシステム（及び／又は５つ以上のランク／レイヤの送信をサポートする５アンテナシステム以上のアンテナシステム）についてのＨＡＲＱ  ＡＣＫ／ＮＡＣＫシグナリングをサポートする。ランク１の送信の場合、第１のＨＡＲＱプロセス／識別情報ＨＡＲＱ−１／Ｈ＿ａは、（例えば、ＴＢ１、ＣＥ１、ＩＭ１、ＤＭ１、ＳＢ１及び／又はＣＤ１を含む）第１の送信／受信レイヤにマッピングされる。ランク２の送信の場合、第１のＨＡＲＱプロセス／識別情報ＨＡＲＱ−１／Ｈ＿ａは、第１の送信／受信レイヤにマッピングされ、第２のＨＡＲＱプロセス／識別情報ＨＡＲＱ−２／Ｈ＿ｂは、（例えば、ＴＢ２、ＣＥ２、ＩＭ２、ＤＭ２、ＳＢ２及び／又はＣＤ２を含む）第２の送信／受信レイヤにマッピングされる。ランク３の送信の場合、第１のＨＡＲＱプロセス／識別情報ＨＡＲＱ−１／Ｈ＿ａは、第１の送信／受信レイヤにマッピングされ、第２のＨＡＲＱプロセス／識別情報ＨＡＲＱ−２／Ｈ＿ｂは、第２の送信／受信レイヤ及び（例えば、ＴＢ３、ＣＥ３、ＩＭ３、ＤＭ３、ＳＢ３及び／又はＣＤ３を含む）第３の送信／受信レイヤにマッピングされる。ランク４の送信の場合、第１のＨＡＲＱプロセス／識別情報ＨＡＲＱ−１／Ｈ＿ａは、第１の送信／受信レイヤ及び（例えば、ＴＢ４、ＣＥ４、ＩＭ４、ＤＭ４、ＳＢ４及び／又はＣＤ４を含む）第４の送信／受信レイヤにマッピングされ、第２のＨＡＲＱプロセス／識別情報ＨＡＲＱ−２／Ｈ＿ｂは、第２の送信／受信レイヤ及び第３の送信／受信レイヤにマッピングされる。
【０２０８】
基地局１００による、第１の下りリンクＴＴＩ／ＴＦＲＥの期間における無線端末２００への第１のデータブロックの送信と、無線端末２００からの、第１のデータブロックに対するＨＡＲＱ  ＡＣＫ／ＮＡＣＫ応答の受信との間の遅延に起因して、第２のデータブロックは、第１のデータブロックに対するＨＡＲＱ  ＡＣＫ／ＮＡＣＫ応答の受信前に第２の下りリンクＴＴＩ／ＴＦＲＥの期間に無線端末２００へ送信される場合がある。したがって、ＨＡＲＱプロセスの識別情報は、基地局１００によって、同一の無線端末２００へ送信された異なる下りリンクＴＴＩ／ＴＦＲＥの異なるデータブロックに対する異なるＨＡＲＱ  ＡＣＫ／ＮＡＣＫ応答を区別するために使用される。換言すると、ＨＡＲＱプロセスの識別情報は、ＨＡＲＱ  ＡＣＫ／ＮＡＣＫ応答と、適切なデータブロック及びＴＴＩ／ＴＦＲＥとをマッチングするために使用される。ＨＡＲＱプロセスの識別情報は、無線端末１００によって、データブロックと、各ソフトバッファからの適切なソフトビットとをマッチングするために更に使用される。
【０２０９】
このように、同一のＨＡＲＱプロセスの識別情報は、（ＡＣＫによって知らされるように）データブロックが無線端末２００による受信／復号に成功するか、又は最大許容回数の再送が行われるまで、無線端末２００へのデータブロックの最初の送信及びそれぞれの再送のために使用される。データブロック受信／復号に成功するか又は最大許容回数の再送が行われると、当該データブロック用のＨＡＲＱプロセスの識別情報は破棄され、即ち、ＨＡＲＱプロセスの識別情報は、その後、新しいデータブロックに再利用される。
【０２１０】
いくつかの実施形態によると、ＨＡＲＱプロセスの識別情報は、８つの値（例えば、１、２、３、４、５、６、７又は８）のうちの１つから選択される。無線端末２００へのランク１、ランク２及びランク３の下りリンク送信の場合、ＨＡＲＱプロセスの識別情報Ｈ＿ａは、（例えば、ＴＢ１、ＣＥ１、ＩＭ１、ＤＭ１、ＳＢ１及び／又はＣＤ１を含む）第１の送信／受信レイヤを使用するレイヤ１の送信についての第１のＨＡＲＱプロセスＨＡＲＱ−１にマッピングされる。無線端末へのランク４の下りリンク送信の場合、ＨＡＲＱプロセスの識別情報Ｈ＿ａは、第１の送信／受信レイヤ及び第４の送信／受信レイヤを使用するレイヤ１及びレイヤ４の送信についての第１のＨＡＲＱプロセスＨＡＲＱ−１にマッピングされる。無線端末２００へのランク２の下りリンク送信の場合、ＨＡＲＱプロセスの識別情報Ｈ＿ｂは、第２の送信／受信レイヤを使用するレイヤ２の送信についての第２のＨＡＲＱプロセスＨＡＲＱ−２にマッピングされる。無線端末へのランク３及びランク４の下りリンク送信の場合、ＨＡＲＱプロセスの識別情報Ｈ＿ｂは、第２の送信／受信レイヤ及び第３の送信／受信レイヤを使用するレイヤ２及びレイヤ３の送信についての第２のＨＡＲＱプロセスＨＡＲＱ−２にマッピングされる。したがって、ＨＡＲＱプロセスＨＡＲＱ−１及び識別情報Ｈ＿ａは、ランク１、ランク２、ランク３及びランク４の送信に使用され、ＨＡＲＱプロセスＨＡＲＱ−２及び識別情報Ｈ＿ｂは、ランク２、ランク３及びランク４の送信に使用される。
【０２１１】
データブロックの最初のランク１送信の場合、現在未使用の（例えば、１〜８から選択される）識別値が、ＨＡＲＱプロセスＨＡＲＱ−１についてのＨ＿ａに割り当てられ、Ｈ＿ａは、レイヤ１のデータブロックの送信／再送に適用され、且つ、レイヤ１のデータブロックに対応するＨＡＲＱ  ＡＣＫ／ＮＡＣＫ応答に適用される、ＨＡＲＱ−１のインスタンスを識別するために使用される。
【０２１２】
同一のＴＴＩ／ＴＦＲＥの期間にＨＡＲＱプロセスＨＡＲＱ−１及びＨＡＲＱプロセスＨＡＲＱ−２の両方を使用する、データブロックの最初のランク２、ランク３又はランク４送信の場合、現在未使用の（例えば、１〜８から選択される）識別値が、ＨＡＲＱプロセスＨＡＲＱ−１についてのＨ＿ａに割り当てられ、（例えば、Ｈ＿ａの関数として）別の識別値が、ＨＡＲＱプロセスＨＡＲＱ−２についてのＨ＿ｂに割り当てられる。したがって、Ｈ＿ａは、（レイヤ１及び／又はレイヤ４の送信／再送のために）レイヤ１／４のデータブロックの送信／再送に適用され、且つ、レイヤ１／４のデータブロックに対応するＨＡＲＱ  ＡＣＫ／ＮＡＣＫ応答に適用される、ＨＡＲＱ−１のインスタンスを識別するために使用され、Ｈ＿ｂは、（レイヤ２及び／又はレイヤ３の送信／再送のために）レイヤ２／３のデータブロックの送信／再送に適用され、且つ、レイヤ２／３のデータブロックに対応するＨＡＲＱ  ＡＣＫ／ＮＡＣＫ応答に適用される、ＨＡＲＱ−２のインスタンスを識別するために使用される。
【０２１３】
いくつかの実施形態によると、ＨＡＲＱプロセスの識別情報Ｈ＿ｂは、ＨＡＲＱプロセスの識別情報Ｈ＿ａの関数として割り当てられる。１〜８の８つの異なるＨＡＲＱプロセス識別値を用いる場合、例えば識別情報Ｈ＿ｂは、以下の式に従って割り当てられる。
Ｈ＿ｂ＝（Ｈ＿ａ＋Ｎ／２）ｍｏｄ（Ｎ）
ここで、Ｎは、上位レイヤ及び／又は無線ネットワーク制御装置により構成されるＨＡＲＱプロセスの数（例えば、ＨＡＲＱ−１及びＨＡＲＱ−２の場合は２）である。２つのＨＡＲＱプロセス及び８つの異なるＨＡＲＱプロセス識別値を用いる場合、識別情報Ｈ＿ｂは、以下のテーブルに従ってＨ＿ａの関数として選択される。
Ｈ＿ａ  Ｈ＿ｂ      Ｈ＿ａ  Ｈ＿ｂ
１      ５          ５      １
２      ６          ６      ２
３      ７          ７      ３
４      ８          ８      ４
従って、ＨＡＲＱプロセスの識別情報の一方（例えば、Ｈ＿ａ）のみが基地局１００と無線端末２００との間で送信される必要があり、他方のＨＡＲＱプロセスの識別情報（例えば、Ｈ＿ｂ）は、受信デバイスにおいてＨ＿ａを使用して導出される。
【０２１４】
ＮｏｄｅＢ（基地局）が、再送のために、何らかの送信で３つのトランスポートブロック（即ち、ランク３）をスケジューリングする場合、上述のように、第２のトランスポートブロック及び第３のトランスポートブロックは、（最初の送信のために第２のトランスポートブロック及び第３のトランスポートブロックによって共有された）同一のＨＡＲＱプロセス識別子を用いて再送される。ＮｏｄｅＢが、再送のために、何らかの送信で４つのトランスポートブロックをスケジューリングする場合、上述のように、第１のトランスポートブロック及び第４のトランスポートブロックは、（最初の送信のために第１のトランスポートブロック及び第４のトランスポートブロックによって共有された）同一のＨＡＲＱプロセス識別子を用いて再送され、第２のトランスポートブロック及び第３のトランスポートブロックは、（最初の送信のために第２のトランスポートブロック及び第３のトランスポートブロックによって共有された）同一のＨＡＲＱプロセス識別子を用いて再送される。
【０２１５】
以下に列挙する実施形態は、本出願の範囲を限定することなく、例として提供される。
【０２１６】
実施形態１．ネットワークノード（100）から無線端末（200）へデータを送信する方法であって、
第１のＭＩＭＯ送信時間間隔（ＴＴＩ）の期間に、第１及び第２のデータブロックをそれぞれ第１及び第２のＭＩＭＯレイヤで無線端末（200）へ送信するステップ（1899）と、  前記第１のＭＩＭＯ  ＴＴＩに対して、前記第１及び第２のＭＩＭＯレイヤにそれぞれマッピングされる第１及び第２のＡＣＫ‐ＮＡＣＫ符号語を含むフィードバックを、前記無線端末（200）から受信するステップ（1901）と、
前記ネットワークノードが前記無線端末（200）に対して送信バッファ制限されていることに応じて、第２のＭＩＭＯ  ＴＴＩの期間に、前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、前記第１及び第２のデータブロックをそれぞれ前記第１及び第２のＭＩＭＯレイヤで前記無線端末（200）へ再送するステップ（1911）と、を含む方法。
【０２１７】
実施形態２．実施形態１の方法であって、
前記第１のＭＩＭＯ送信時間間隔（ＴＴＩ）の期間に、第３のデータブロックを第３のＭＩＭＯレイヤで前記無線端末（200）へ送信するステップ（1899）であって、前記第２のＡＣＫ‐ＮＡＣＫ符号語が、前記第２及び第３のＭＩＭＯレイヤにマッピングされる、前記ステップと、
前記ネットワークノードが前記無線端末（200）に対して送信バッファ制限されていることに応じて、前記第２のＭＩＭＯ  ＴＴＩの期間に、前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、前記第３のデータブロックを前記第３のＭＩＭＯレイヤで前記無線端末（200）へ再送するステップ（1911）と、を更に含む方法。
【０２１８】
実施形態３．実施形態２の方法であって、
前記第１のＭＩＭＯ  ＴＴＩの期間に、第４のデータブロックを第４のＭＩＭＯレイヤで前記無線端末（200）へ送信するステップ（1899）であって、前記第１のＡＣＫ‐ＮＡＣＫ符号語が、前記第１及び第４のＭＩＭＯレイヤにマッピングされる、前記ステップと、
前記ネットワークノードが前記無線端末（200）に対して送信バッファ制限されていることに応じて、前記第２のＭＩＭＯ  ＴＴＩの期間に、前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、前記第４のデータブロックを前記第４のＭＩＭＯレイヤで前記無線端末（200）へ再送するステップ（1911）と、を更に含む方法。
【０２１９】
実施形態４．実施形態１〜３のいずれか１つの方法であって、
前記第１及び第２のＡＣＫ‐ＮＡＣＫ符号語が否定応答（ＮＡＣＫ）であることに応じて、前記第２のＭＩＭＯ  ＴＴＩの期間に、前記第１及び第２のデータブロックをそれぞれ前記第１及び第２のＭＩＭＯレイヤで前記無線端末（200）へ再送するステップ（1911）、を更に含む方法。
【０２２０】
実施形態５．ネットワークノード（100）から無線端末（200）へデータを送信する方法であって、
第１のＭＩＭＯ送信時間間隔（ＴＴＩ）の期間に、第１及び第２のデータブロックをそれぞれ第１及び第２のＭＩＭＯレイヤで前記無線端末（200）へ送信するステップ（1899）と、
前記第１のＭＩＭＯ  ＴＴＩに対して、前記第１及び第２のＭＩＭＯレイヤにそれぞれマッピングされる第１及び第２のＡＣＫ‐ＮＡＣＫ符号語を含むフィードバックを、前記無線端末（200）から受信するステップ（1901）と、
前記ネットワークノードが前記無線端末（200）に対して送信バッファ制限されていることに応じて、及び、前記第１のＡＣＫ‐ＮＡＣＫ符号語がＡＣＫであり、且つ、前記第２のＡＣＫ‐ＮＡＣＫ符号語がＮＡＣＫであることに応じて、前記第１のＭＩＭＯレイヤについての間欠送信インジケータを前記無線端末（200）へ送信するステップ（2121）と、
前記ネットワークノードが前記無線端末（200）に対して送信バッファ制限されていることに応じて、及び、前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、第２のＭＩＭＯ  ＴＴＩの期間に、前記第２のデータブロックを前記第２のＭＩＭＯレイヤで前記無線端末（200）へ再送するステップ（2123）と、を含む方法。
【０２２１】
実施形態６．実施形態５の方法であって、前記間欠送信インジケータを送信するステップは、下りリンク・シグナリングチャネルで前記間欠送信インジケータを送信するステップを含み、前記第２のデータブロックを再送するステップは、下りリンク・トラフィックチャネルで前記第２のデータブロックを再送するステップを含む方法。
【０２２２】
実施形態７．実施形態６の方法であって、前記下りリンク・シグナリングチャネルは、高速共有制御チャネル（ＨＳ−ＳＣＣＨ）を含み、前記下りリンク・トラトラフィックチャネルは、高速物理下りリンク共有チャネル（ＨＳ−ＰＤＳＣＨ）を含む方法。
【０２２３】
実施形態８．実施形態７の方法であって、前記間欠送信インジケータを送信するステップは、前記ＨＳ−ＳＣＣＨ下りリンク・シグナリングチャネルの変調及び送信ランク・フィールド内のビットパターンとして、前記間欠送信インジケータを送信するステップを含む方法。
【０２２４】
実施形態９．実施形態８の方法であって、前記間欠送信インジケータを送信するステップは、前記ＨＳ−ＳＣＣＨ下りリンク・シグナリングチャネルの変調及び送信ランク・フィールドで、１１１１０のビットパターン及び１１１１１のビットパターンのうちの１つを送信するステップを含む方法。
【０２２５】
実施形態１０．実施形態７の方法であって、前記間欠送信インジケータを送信するステップは、前記第１のＭＩＭＯレイヤについての前記ＨＳ−ＳＣＣＨ下りリンク・シグナリングチャネルのトランスポートブロックサイズ・フィールド内のビットパターンとして、前記間欠送信インジケータを送信するステップを含む方法。
【０２２６】
実施形態１１．実施形態８の方法であって、前記間欠送信インジケータを送信するステップは、前記第１のＭＩＭＯレイヤについての前記ＨＳ−ＳＣＣＨ下りリンク・シグナリングチャネルのトランスポートブロックサイズ・フィールドで、００００００のビットパターンを送信するステップを含む方法。
【０２２７】
実施形態１２．実施形態５〜１１のいずれか１つの方法であって、
前記第１のＭＩＭＯ  ＴＴＩの期間に、第３のデータブロックを第３のＭＩＭＯレイヤで前記無線端末（200）へ送信するステップ（1899）であって、前記第２のＡＣＫ‐ＮＡＣＫ符号語が、前記第２及び第３のＭＩＭＯレイヤにマッピングされる、前記ステップと、
前記ネットワークノードが前記無線端末（200）に対して送信バッファ制限されていることに応じて、及び、前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、前記第２のＭＩＭＯ  ＴＴＩの期間に、前記第３のデータブロックを前記第３のＭＩＭＯレイヤで前記無線端末（200）へ再送するステップ（2123）と、を更に含む方法。
【０２２８】
実施形態１３．実施形態１２の方法であって、
前記第１のＭＩＭＯ  ＴＴＩの期間に、第４のデータブロックを第４のＭＩＭＯレイヤで前記無線端末（200）へ送信するステップ（1899）であって、前記第１のＡＣＫ‐ＮＡＣＫ符号語が、前記第１及び第４のＭＩＭＯレイヤにマッピングされる、前記ステップを更に含み、
前記第２及び第３のデータブロックを再送するステップは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１及び第４のデータブロックを再送することなく前記第２及び第３のデータブロックを再送するステップを含む方法。
【０２２９】
実施形態１４．実施形態５〜１３のいずれか１つの方法であって、
前記第１及び第２のＡＣＫ‐ＮＡＣＫ符号語が否定応答（ＮＡＣＫ）であることに応じて、前記第２のＭＩＭＯ  ＴＴＩの期間に、前記第１及び第２のデータブロックをそれぞれ前記第１及び第２のＭＩＭＯレイヤで前記無線端末（200）へ再送するステップ（1911）、を更に含む方法。
【０２３０】
実施形態１５．実施形態５〜１２のいずれか１つの方法であって、前記第２のデータブロックを再送するステップは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１のデータブロックを再送することなく前記第２のデータブロックを再送するステップを含む方法。
【０２３１】
頭文字／略語
Ｔｘ              送信機
ＨＳＤＰＡ        高速下りリンクパケットアクセス
ＨＡＲＱ          ハイブリッド自動再送要求
ＣＲＣ            巡回冗長検査
ＮＡＫ／ＮＡＣＫ  非肯定応答又は否定応答
ＡＣＫ            肯定応答
ＣＣ              チェイス合成
ＩＲ              増加的冗長性
ＵＥ              ユーザ装置又は無線端末
ＣＱＩ            チャネル品質情報
ＭＭＳＥ          最小平均二乗誤差
ＴＴＩ            送信時間間隔
ＰＣＩ            プリコーディング制御インデックス
【０２３２】
本発明概念の種々の実施形態の上記の説明において、本明細書中で使用される用語は、特定の実施形態を説明するためのものにすぎず、本発明概念を限定することを意図しないことが理解されるべきである。特に定義されない限り、本明細書中で使用される全ての用語（技術及び科学用語を含む）は、本発明概念が属する技術の当業者により一般に理解されるのと同一の意味を有する。一般に使用される辞書において定義されるような用語は、本明細書の内容及び関連技術における意味と一致する意味を有すると解釈されるべきであり、特に定義されない限り、理想化された又は過度に形式的な意味に解釈されないことが更に理解されるだろう。
【０２３３】
要素が別の要素に「接続」、「結合」又は「応答」していると言及される場合、それは他の要素に対して直接接続、結合又は応答されるか、あるいは介在する要素が存在してもよい。それに対して、要素が別の要素に「直接接続」、「直接結合」又は「直接応答」していると言及される場合、介在する要素は存在しない。明細書中、同様の符号は同様の要素を示す。更に、本明細書中で使用される場合、「結合」、「接続」又は「応答」は、無線による結合、接続又は応答を含む。本明細書中で使用されるように、特に指示のない限り、単数形「a」、「an」及び「the」は、複数形も含むことを意図している。簡潔及び／又は明瞭にするため、周知の機能又は構造を詳細に説明しない。用語「及び／又は（and/or）」は、関連する列挙された項目のうちの１つ以上のいずれか及び全ての組み合わせを含む。
【０２３４】
本明細書中で使用されるように、用語「備える」、「含む」又は「有する」は拡張可能であり、１つ以上の記載される特徴、数字、要素、ステップ、構成要素又は機能を含むが、１つ以上の他の特徴、数字、要素、ステップ、構成要素、機能又はそれらの集合の存在又は追加を除外しない。更に、本明細書中で使用されるように、「例えば」は、以前に言及した項目の一般的な例を紹介するか又は特定するために使用され、そのような項目を限定することを意図していない。「即ち」は、更に一般的な詳述から特定の項目を特定するために使用される。
【０２３５】
本明細書では、コンピュータにより実現される方法、装置（システム及び／又はデバイス）及び／又はコンピュータプログラムを示すブロック図及び／又はフローチャートを参照して実施形態を説明している。ブロック図及び／又はフローチャートの説明のブロック、並びにブロック図及び／又はフローチャートの説明におけるブロックの組み合わせは、１つ以上のコンピュータ回路により実行されるコンピュータプログラム命令により実現されることが理解される。これらのコンピュータプログラム命令は、マシンを作り出すために、汎用コンピュータ回路、専用コンピュータ回路及び／又は他のプログラム可能データ処理回路のプロセッサ回路に提供され、それにより、コンピュータ及び／又は他のプログラム可能データ処理装置のプロセッサを介して実行する命令により、トランジスタ、メモリに格納された値及びそのような回路内の他のハードウェア構成要素を、変換及び制御することで、ブロック図及び／又はフローチャートのブロックにおいて特定される機能／動作を実現し、その結果、ブロック図及び／又はフローチャートのブロックにおいて特定される機能／動作を実現するための手段（機能）及び／又は構成を作成する。
【０２３６】
これらのコンピュータプログラム命令は、特定の方法で機能するようにコンピュータ又は他のプログラム可能データ処理装置を導く有形のコンピュータ可読媒体に格納されてもよく、それにより、コンピュータ可読媒体に格納された命令は、ブロック図及び／又はフローチャートのブロックにおいて特定される機能／動作を実現する命令を含む製品を生成する。
【０２３７】
有形の非一時的なコンピュータ可読媒体は、電子データ記憶システム、装置又はデバイス、磁気データ記憶システム、装置又はデバイス、光データ記憶システム、装置又はデバイス、電磁気データ記憶システム、装置又はデバイス、あるいは半導体データ記憶システム、装置又はデバイスを含む。コンピュータ可読媒体の更に特定の例は、ポータブルコンピュータ・ディスケット、ランダムアクセスメモリ（ＲＡＭ）回路、読み出し専用メモリ（ＲＯＭ）回路、消去可能プログラム可能読み出し専用メモリ（ＥＰＲＯＭ又はフラッシュメモリ）回路、ポータブルコンパクトディスク読み出し専用メモリ（ＣＤ−ＲＯＭ）及びポータブルデジタルビデオディスク読み出し専用メモリ（ＤＶＤ／ＢｌｕＲａｙ）を含む。
【０２３８】
コンピュータプログラム命令は、一連の動作ステップがコンピュータ及び／又は他のプログラム可能装置上で実行されて、コンピュータにより実現される処理を生成するように、コンピュータ及び／又は他のプログラム可能データ処理装置にロードされてもよく、それにより、コンピュータ又は他のプログラム可能装置上で実行する命令は、ブロック図及び／又はフローチャートのブロックにおいて指定される機能／動作を実現するステップを提供する。したがって、本発明概念の実施形態は、ハードウェアで、及び／又は、まとめて「回路」又は「モジュール」と称されるデジタル信号プロセッサ等のプロセッサ上で動作する（ファームウェア、常駐ソフトウェア、マイクロコード等を含む）ソフトウェアで実現される。
【０２３９】
なお、いくつかの代替の実現例において、ブロックで示される機能／動作は、フローチャートで示される順序と異なる順序で行われてもよい。例えば連続して示される２つのブロックは、関係する機能／動作に依存して、実際はほぼ同時に実行されてもよく、あるいは、ブロックは、場合によっては逆の順序で実行されてもよい。更に、フローチャート及び／又はブロック図の所定のブロックの機能は、複数のブロックに分離されてもよく、且つ／あるいは、フローチャート及び／又はブロック図の２つ以上のブロックの機能は、少なくとも部分的に統合されてもよい。最後に、図示されるブロックの間に他のブロックが追加／挿入されてもよく、且つ／あるいは、ブロック／動作は、本発明概念の範囲から逸脱せずに省略されてもよい。更に、一部の図面は、通信の主な方向を示すために通信パス上に矢印を含むが、通信は、図示される矢印と反対の方向で行われてもよいことが理解される。
【０２４０】
上記の説明及び図面に関連して、多くの異なる実施形態を本明細書中で開示した。上記の実施形態の全ての組み合わせ及び部分的組み合わせをそのまま説明及び図示することは、必要以上に繰り返し、且つ、不明瞭にすることであることが理解されるだろう。したがって、図面を含む本明細書は、実施形態、並びにそれらを形成及び使用する方法及び処理の組み合わせ及び部分的組み合わせについての種々の例の、完全な書面による説明を構成すると解釈され、また、そのようなあらゆる組み合わせ又は部分的組み合わせに対する特許請求の範囲をサポートしている。
【０２４１】
本発明概念の原理から実質的に逸脱せずに、実施形態に多くの変形及び変更を行うことができる。全てのそのような変形及び変更は、本発明概念の範囲で本明細書中に含まれることが意図されている。したがって、上記で開示した内容は、例示であって限定するものではないと考えられるべきであり、添付の特許請求の範囲は、本発明概念の趣旨の範囲に含まれる全てのそのような変更、改良及び他の実施形態を含むことが意図されている。したがって、本発明概念の範囲は、法律により許される最大限まで、添付の特許請求の範囲の広範な許容される解釈によって決定されるべきであり、上述の詳細な説明により制限又は限定されるべきでない。
【図１】
0006265387.tif 000002
【図２】
0006265387.tif 000003
【図３Ａ】
0006265387.tif 000004
【図３Ｂ】
0006265387.tif 000005
【図４】
0006265387.tif 000006
【図５】
0006265387.tif 000007
【図６】
0006265387.tif 000008
【図７Ａ】
0006265387.tif 000009
【図７Ｂ】
0006265387.tif 000010
【図８Ａ】
0006265387.tif 000011
【図８Ｂ】
0006265387.tif 000012
【図９】
0006265387.tif 000013
【図１０】
0006265387.tif 000014
【図１１】
0006265387.tif 000015
【図１２】
0006265387.tif 000016
【図１３】
0006265387.tif 000017
【図１４】
0006265387.tif 000018
【図１５】
0006265387.tif 000019
【図１６】
0006265387.tif 000020
【図１７】
0006265387.tif 000021
【図１８】
0006265387.tif 000022
【図１９】
0006265387.tif 000023
【図２０Ａ】
0006265387.tif 000024
【図２０Ｂ】
0006265387.tif 000025
【図２０Ｃ】
0006265387.tif 000026
【図２１】
0006265387.tif 000027
【図２２Ａ】
0006265387.tif 000028
【図２２Ｂ】
0006265387.tif 000029
【図２２Ｃ】
0006265387.tif 000030
【図２３Ａ】
0006265387.tif 000031
【図２３Ｂ】
0006265387.tif 000032
【図２３Ｃ】
0006265387.tif 000033
【図２３Ｄ】
0006265387.tif 000034
【図２４】
0006265387.tif 000035
【図２５】
0006265387.tif 000036